(57)【要約】      （修正有）【課題】無線通信システムにおけるチャネル状態情報を報告するための方法及びこのための装置を提供する。【解決手段】無線通信システムにおけるＣＳＩを報告するための方法であって、８ポートより多いアンテナポートを使用するＣＳＩ-ＲＳの資源設定を表すＣＳＩ-ＲＳ資源設定情報を基地局から受信し、受信されたＣＳＩ-ＲＳ資源設定情報に基づいて、基地局から８ポートより多いアンテナポートを使用するＣＳＩ-ＲＳを受信し、受信したＣＳＩ-ＲＳに基づいて、基地局にチャネル状態情報を報告する。【効果】レガシーシステムとの相互互換性を得ることができ、資源をより効率的に使用できる。【選択図】図２５
2020074542.tif 000002
【特許請求の範囲】
【請求項１】
端末（ＵＥ）が無線通信システムにおけるチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ―ＲＳ）を受信するための方法であって、
基地局から無線リソース制御（ＲＲＣ）シグナリングを介して複数のＣＳＩ−ＲＳ資源のナンバリングに関連するＣＳＩ−ＲＳ資源設定情報を受信するステップと、
前記複数のＣＳＩ−ＲＳ資源は、８以上のアンテナポートを利用して前記ＣＳＩ−ＲＳのためのアンテナポートの総数を取得するために併合され、
前記ＣＳＩ−ＲＳ資源設定情報は第１のＣＳＩ−ＲＳ設定情報と少なくとも一つの第２のＣＳＩ−ＲＳ設定情報を含み、
前記受信したＣＳＩ−ＲＳ資源設定に基づいて前記複数のＣＳＩ−ＲＳ資源のための数を決定するステップとを含み、
前記複数のＣＳＩ−ＲＳ資源の中の特定のＣＳＩ−ＲＳ資源は前記第１のＣＳＩ−ＲＳ設定情報に設定された値に対応し、前記複数のＣＳＩ−ＲＳ資源の中の前記特定のＣＳＩ−ＲＳ資源以外の少なくとも一つのＣＳＩ−ＲＳ資源は前記第２のＣＳＩ−ＲＳ設定情報に設定された値に対応し、
前記特定のＣＳＩ−ＲＳ資源と前記少なくとも一つのＣＳＩ−ＲＳ資源は異なるＣＳＩ−ＲＳ設定に対応する、方法。
【請求項２】
前記少なくとも一つのＣＳＩ−ＲＳ資源は前記第２のＣＳＩ−ＲＳ設定情報に設定されたそれぞれの値に対応する、請求項１に記載の方法。
【請求項３】
前記少なくとも一つのＣＳＩ−ＲＳ資源のｋ番目のＣＳＩ−ＲＳ資源は、前記第２のＣＳＩ−ＲＳ設定情報にｋ番目に設定された値に対応する、請求項２に記載の方法。
【請求項４】
前記特定のＣＳＩ−ＲＳ資源は、前記複数のＣＳＩ−ＲＳ資源の中の最も小さいインデックスの値に関連したＣＳＩ−ＲＳ資源である、請求項１に記載の方法。
【請求項５】
前記第１のＣＳＩ−ＲＳ設定情報はｃｓｉ−ＲＳ−ＣｏｎｆｉｇＮＺＰｌｄ−ｒ１１で表されるｒｅｓｏｒｃｅＣｏｎｆｉｇ−ｒ１１であり、前記第２のＣＳＩ−ＲＳ設定情報はｎｚｐ−ｒｅｓｏｒｃｅＣｏｎｆｉｇ−ｒ１３である、請求項１に記載の方法。
【請求項６】
前記アンテナポートの総数を決定するステップをさらに含む、請求項１に記載の方法。
【請求項７】
前記アンテナポートの総数は、ＣＳＩ−ＲＳ資源数情報とＣＳＩ−ＲＳ資源アンテナポート数情報を利用して決定される、請求項１に記載の方法。
【請求項８】
前記複数のＣＳＩ−ＲＳ資源は同じサブフレームに含まれる、請求項１に記載の方法。
【請求項９】
無線通信システムにおけるチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）を受信するための端末（ＵＥ）であって、
無線信号を送受信するＲＦモジュールと、
前記ＲＦモジュールと機能的に結合し、前記ＵＥを制御するプロセッサとを備え、
前記プロセッサは、基地局から無線リソース制御（ＲＲＣ）シグナリングを介して複数のＣＳＩ−ＲＳ資源のためのナンバリングに関連したＣＳＩ−ＲＳ資源設定情報を受信し、
前記複数のＣＳＩ−ＲＳ資源は、８以上のアンテナポートを利用して前記ＣＳＩ−ＲＳのためのアンテナポートの総数を取得するために併合され、
前記ＣＳＩ−ＲＳ資源設定情報は第１のＣＳＩ−ＲＳ設定情報と少なくとも一つの第２のＣＳＩ−ＲＳ設定情報を含み、
前記受信したＣＳＩ−ＲＳ資源設定に基づいて前記複数のＣＳＩ−ＲＳ資源の数を決定するように設定され、
前記複数のＣＳＩ−ＲＳ資源の中の特定のＣＳＩ−ＲＳ資源は前記第１のＣＳＩ−ＲＳ設定情報に設定された値に対応し、前記複数のＣＳＩ−ＲＳ資源の中の前記特定のＣＳＩ−ＲＳ資源以外の少なくとも一つのＣＳＩ−ＲＳ資源は前記第２のＣＳＩ−ＲＳ設定情報に設定された値に対応し、
前記特定のＣＳＩ−ＲＳ資源と前記少なくとも一つのＣＳＩ−ＲＳ資源は異なるＣＳＩ−ＲＳ設定に対応する、端末。
【請求項１０】
前記少なくとも一つのＣＳＩ−ＲＳ資源は前記第２のＣＳＩ−ＲＳ設定情報に設定されたそれぞれの値に対応する、請求項９に記載の端末。
【請求項１１】
前記少なくとも一つのＣＳＩ−ＲＳ資源のｋ番目のＣＳＩ−ＲＳ資源は、前記第２のＣＳＩ−ＲＳ設定情報にｋ番目に設定された値に対応する、請求項１０に記載の端末。
【請求項１２】
前記特定のＣＳＩ−ＲＳ資源は、前記複数のＣＳＩ−ＲＳ資源の中の最も小さいインデックスの値に関連したＣＳＩ−ＲＳ資源である、請求項９に記載の端末。
【請求項１３】
前記第１のＣＳＩ−ＲＳ設定情報はｃｓｉ−ＲＳ−ＣｏｎｆｉｇＮＺＰｌｄ−ｒ１１で表されるｒｅｓｏｒｃｅＣｏｎｆｉｇ−ｒ１１であり、前記第２のＣＳＩ−ＲＳ設定情報はｎｚｐ−ｒｅｓｏｒｃｅＣｏｎｆｉｇＬｉｓｔ−ｒ１３である、請求項９に記載の端末。
【請求項１４】
前記プロセッサは、ＣＳＩ−ＲＳ資源数情報とＣＳＩ−ＲＳ資源アンテナポート数情報を利用して前記アンテナポートの総数を決定するために制御する、請求項９に記載の端末。
【請求項１５】
前記複数のＣＳＩ−ＲＳ資源は、同一のサブフレームに含まれる、請求項９に記載の端末。
【発明の詳細な説明】
【技術分野】
【０００１】
本発明は、無線通信システムに関し、さらに詳細に、端末において参照信号（ｒｅｆｅｒｅｎｃｅ  ｓｉｇｎａｌ）に基づいて、ＣＳＩ（Ｃｈａｎｎｅｌ  Ｓｔａｔｅ  Ｉｎｆｏｒｍａｔｉｏｎ）を報告するための方法、及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスに対して要求するので、より発展した移動通信システムが求められている。
【０００３】
次世代移動通信システムの要求条件は、大きく爆発的なデータトラフィックの収容、ユーザ当たりの送信率の画期的な増加、大幅増加した接続デバイスの数の収容、非常に低いエンドツーエンド遅延（Ｅｎｄ-ｔｏ-Ｅｎｄ  Ｌａｔｅｎｃｙ）、高エネルギー効率を支援できなければならない。このために、二重接続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ-ｂａｎｄ  Ｆｕｌｌ  Ｄｕｐｌｅｘ）、非直交多重接続（ＮＯＭＡ：Ｎｏｎ-Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【０００４】
現在、ＬＴＥ（-Ａ）システムの場合、ＣＳＩ-ＲＳパターン（または、ＣＳＩ-ＲＳ資源）は、１、２、４、または８ｐｏｒｔに対したＣＳＩ-ＲＳパターンのみが存在し、全部２の冪（ｐｏｗｅｒ  ｏｆ  ２）形態である。
【０００５】
しかしながら、大規模多重入出力（ｍａｓｓｉｖｅ  ＭＩＭＯ）システムのように、送信端（または送信装置）のアンテナ数が多い場合、ＣＳＩ-ＲＳパターンは、多様な形態を有することができ、同じアンテナ数に対してもそのアンテナ設定（ａｎｔｅｎｎａ  ｃｏｎｆｉｇｕｒａｔｉｏｎ）が異なりうる。
【０００６】
このように、多様な大きさ（ｓｉｚｅ）と多様なパターンを有する送信アンテナ構造に鑑みるとき、ＣＳＩ-ＲＳポートの数を２の冪形態のみに制限することは非効率的でありうる。
【発明の概要】
【発明が解決しようとする課題】
【０００７】
したがって、本明細書は、ｍａｓｓｉｖｅ  ＭＩＭＯシステムにおいて８ポートより多いアンテナポートを使用する新しいＣＳＩ-ＲＳパターン（ｐａｔｔｅｒｎ）または新しいＣＳＩ-ＲＳ資源（ｒｅｓｏｕｒｃｅ）設計方法を提供することを目的とする。
【０００８】
また、本明細書は、多数のＣＳＩ-ＲＳ資源において各ＣＳＩ-ＲＳ資源でのアンテナポートナンバリングに対する規則を提供することを目的とする。
【０００９】
また、本明細書は、上位階層シグナルリングを介して送信されるＣＳＩ-ＲＳ設定情報とＣＳＩ-ＲＳ資源との間のマッピング方法を提供することを目的とする。
【００１０】
本発明において解決しようとする技術的課題は、以上言及した技術的課題に制限されず、言及しないさらに他の技術的課題は、以下の記載から本発明が属する技術分野における通常の知識を有した者に明確に理解されうるはずである。
【課題を解決するための手段】
【００１１】
本明細書は、無線通信システムにおけるチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するための方法であって、端末により行われる方法は、８ポート（ｐｏｒｔ）より多いアンテナポートを使用するＣＳＩ-ＲＳ（Ｒｅｆｅｒｅｎｃｅ  ｓｉｇｎａｌ）の資源設定を表すＣＳＩ-ＲＳ資源設定（ｒｅｓｏｕｒｃｅ  ｃｏｎｆｉｇｕｒａｔｉｏｎ）情報を基地局から受信するステップと、前記８ポートより多いアンテナポートを使用するＣＳＩ-ＲＳの資源は、二つ以上のレガシー（ｌｅｇａｃｙ）ＣＳＩ-ＲＳ資源の併合（ａｇｇｒｅｇａｔｉｏｎ）を介して設定され、前記レガシー（ｌｅｇａｃｙ）ＣＳＩ-ＲＳ資源は、８ポート以下のアンテナポートを使用するＣＳＩ-ＲＳの資源を表し、前記受信されたＣＳＩ-ＲＳ資源設定情報に基づいて前記基地局から前記８ポートより多いアンテナポートを使用するＣＳＩ-ＲＳを受信するステップと、前記受信されたＣＳＩ-ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するステップとを含んでなることを特徴とする。
【００１２】
また、本明細書において、前記ＣＳＩ-ＲＳ資源設定情報は、多数のレガシー（ｌｅｇａｃｙ）ＣＳＩ-ＲＳ設定値を含み、前記多数のレガシーＣＳＩ-ＲＳ設定値は、前記併合された二つ以上のレガシーＣＳＩ-ＲＳ資源の各々に対応することを特徴とする。
【００１３】
また、本明細書において、前記レガシーＣＳＩ-ＲＳ設定値は、レガシー（ｌｅｇａｃｙ）ＣＳＩ-ＲＳ  ｒｅｓｏｕｒｃｅが始まる資源要素の位置を表す値であることを特徴とする。
【００１４】
また、本明細書において、前記ＣＳＩ-ＲＳ資源設定情報に含まれる特定レガシーＣＳＩ-ＲＳ設定値は、前記併合されたレガシーＣＳＩ-ＲＳ資源のうち、最も低いインデックスを有するレガシーＣＳＩ-ＲＳ資源に対応するか、または最も高いインデックスを有するレガシーＣＳＩ-ＲＳ資源に対応することを特徴とする。
【００１５】
また、本明細書において、前記ＣＳＩ-ＲＳ資源設定情報に含まれる第１レガシーＣＳＩ-ＲＳ設定値は、前記併合されたレガシーＣＳＩ-ＲＳ資源のうち、最も低いインデックスを有するレガシーＣＳＩ-ＲＳ資源に対応し、前記ＣＳＩ-ＲＳ資源設定情報に含まれる第２レガシーＣＳＩ-ＲＳ設定値は、前記併合されたレガシーＣＳＩ-ＲＳ資源のうち、第２番目に低いインデックスを有するレガシーＣＳＩ-ＲＳ資源に対応することを特徴とする。
【００１６】
また、本明細書において、前記８ポートより多いアンテナポートを使用するＣＳＩ-ＲＳの資源は、連続した一定数のシンボル内に含まれることを特徴とする。
【００１７】
また、本明細書において、前記レガシーＣＳＩ-ＲＳ資源での資源要素（ＲＥ）別アンテナポート番号マッピングは、一定規則により行われることを特徴とする。
【００１８】
また、本明細書において、前記一定規則は、各レガシーＣＳＩ-ＲＳ資源別に順次にマッピングされるか、または各レガシーＣＳＩ-ＲＳ資源内の特定資源要素別に順次にマッピングされることを特徴とする。
【００１９】
また、本明細書において、前記併合された二つ以上のレガシーＣＳＩ-ＲＳ資源は、前記多数のレガシー設定値に低い値からまたは高い値から順次に対応することを特徴とする。
【００２０】
また、本明細書において、前記併合された二つ以上のレガシーＣＳＩ-ＲＳ資源は、３個または２個であることを特徴とする。
【００２１】
また、本明細書において、前記８ポート（ｐｏｒｔ）より多いアンテナポートは、１２ポートまたは１６ポートであることを特徴とする。
【００２２】
また、本明細書において、前記８ポート以下のアンテナポートは、１ポート、２ポート、４ポートまたは８ポートであることを特徴とする。
【００２３】
また、本明細書において、前記二つ以上のレガシーＣＳＩ-ＲＳ資源は、ＣＳＩ-ＲＳ  ｒｅｓｏｕｒｃｅ  ＃１、ＣＳＩ-ＲＳ  ｒｅｓｏｕｒｃｅ  ＃２及びＣＳＩ-ＲＳ  ｒｅｓｏｕｒｃｅ  ＃３であり、前記ＣＳＩ-ＲＳ  ｒｅｓｏｕｒｃｅ  ＃１の資源要素は、アンテナポート１５、１６、１７、１８にマッピングされ、前記ＣＳＩ-ＲＳ  ｒｅｓｏｕｒｃｅ  ＃２の資源要素は、アンテナポート１９、２０、２１、２２にマッピングされ、前記ＣＳＩ-ＲＳ  ｒｅｓｏｕｒｃｅ  ＃３の資源要素は、アンテナポート２３、２４、２５、２６にマッピングされることを特徴とする。
【００２４】
また、本明細書において、前記二つ以上のレガシーＣＳＩ-ＲＳ資源は、ＣＳＩ-ＲＳ  ｒｅｓｏｕｒｃｅ  ＃１及びＣＳＩ-ＲＳ  ｒｅｓｏｕｒｃｅ  ＃２であり、前記ＣＳＩ-ＲＳ  ｒｅｓｏｕｒｃｅ  ＃１の資源要素は、アンテナポート１５、１６、１７、１８、１９、２０、２１、２２にマッピングされ、前記ＣＳＩ-ＲＳ  ｒｅｓｏｕｒｃｅ  ＃２の資源要素は、アンテナポート２３、２４、２５、２６、２７、２８、２９、３０にマッピングされることを特徴とする。
【００２５】
また、本明細書において、前記ＣＳＩ-ＲＳ資源設定情報は、上位階層シグナルリング（ｈｉｇｈ  ｌａｙｅｒ  ｓｉｇｎａｌｉｎｇ）を介して前記基地局から受信されることを特徴とする。
【００２６】
また、本明細書において、前記８ポートより多いアンテナポートを使用するＣＳＩ-ＲＳの資源は、同じサブフレームに含まれることを特徴とする。
【００２７】
また、本明細書において、無線通信システムにおけるＣＳＩ（Ｃｈａｎｎｅｌ  Ｓｔａｔｅ  Ｉｎｆｏｒｍａｔｉｏｎ）を報告（ｒｅｐｏｒｔｉｎｇ）するための端末であって、無線信号を送受信するためのＲＦ（Ｒａｄｉｏ  Ｆｒｅｑｕｅｎｃｙ）ユニットと、前記ＲＦユニットを制御するプロセッサを含み、前記プロセッサは、８ポート（ｐｏｒｔ）より多いアンテナポートを使用するＣＳＩ-ＲＳ（Ｒｅｆｅｒｅｎｃｅ  ｓｉｇｎａｌ）の資源設定を表すＣＳＩ-ＲＳ資源設定（ｒｅｓｏｕｒｃｅ  ｃｏｎｆｉｇｕｒａｔｉｏｎ）情報を基地局から受信し、前記８ポートより多いアンテナポートを使用するＣＳＩ-ＲＳの資源は、二つ以上のレガシー（ｌｅｇａｃｙ）ＣＳＩ-ＲＳ資源の併合（ａｇｇｒｅｇａｔｉｏｎ）を介して設定され、前記レガシー（ｌｅｇａｃｙ）ＣＳＩ-ＲＳ資源は、８ポート以下のアンテナポートを使用するＣＳＩ-ＲＳの資源を表し、前記受信されたＣＳＩ-ＲＳ資源設定情報に基づいて、前記基地局から前記８ポートより多いアンテナポートを使用するＣＳＩ-ＲＳを受信し、前記受信されたＣＳＩ-ＲＳに基づいて、前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するよう制御することを特徴とする。
【発明の効果】
【００２８】
本明細書は、レガシーＣＳＩ-ＲＳ資源を併合して新しいＣＳＩ-ＲＳ資源を設定することによって、ｍａｓｓｉｖｅ  ＭＩＭＯシステムのように送信端のアンテナ数が多いシステムを効率的に支援できるだけでなく、レガシーシステムとの相互互換性も維持できるという効果がある。
【００２９】
また、本明細書は、ＲＲＣシグナルリングを介して送受信されるＣＳＩ-ＲＳ  ｃｏｎｆｉｇｕｒａｔｉｏｎに対してＣＳＩ-ＲＳ  ｒｅｓｏｕｒｃｅとの正確なマッピング関係を定義することによって、端末と基地局との間の曖昧さを解決できるという効果がある。
【００３０】
本発明により得ることができる効果は、以上言及した効果に制限されず、言及しないもう一つの効果は、以下の記載から本発明が属する技術分野における通常の知識を有した者にとって明確に理解されるはずである。
【図面の簡単な説明】
【００３１】
【図１】本発明が適用されることができる無線通信システムにおける無線フレームの構造を示す。
【図２】本発明が適用されることができる無線通信システムにおける一つのダウンリンクスロットに対する資源グリッド（ｒｅｓｏｕｒｃｅ  ｇｒｉｄ）を例示した図である。
【図３】本発明が適用されることができる無線通信システムにおけるダウンリンクサブフレームの構造を示す。
【図４】本発明が適用されることができる無線通信システムにおける上向きリンクサブフレームの構造を示す。
【図５】一般的な多重入出力アンテナ（ＭＩＭＯ）通信システムの構成図である。
【図６】多数の送信アンテナから一つの受信アンテナへのチャネルを示した図である。
【図７】本発明が適用されることができる無線通信システムにおけるコンポーネントキャリア及びキャリア併合の一例を示す。
【図８】本発明が適用されることができる無線通信システムにおける競争基盤ランダムアクセス手順を説明するための図である。
【図９】本発明が適用されることができる無線通信システムにおけるダウンリンク資源ブロック対にマッピングされた参照信号パターンを例示する。
【図１０】本発明が適用されることができる無線通信システムにおけるＣＳＩ-ＲＳ構成を例示する図である。
【図１１】本発明が適用されることができる６４個のアンテナ要素を有する２Ｄ能動アンテナシステムの一例を示した図である。
【図１２】本発明が適用されることができる無線通信システムにおける基地局または端末がＡＡＳ基盤の３Ｄ（３-Ｄｉｍｅｎｓｉｏｎ）ビーム形成が可能な多数の送／受信アンテナを有しているシステムを例示する。
【図１３】偏光（Ｐｏｌａｒｉｚａｔｉｏｎ）基盤の２Ｄ平面アンテナアレイモデルの一例を示した図である。
【図１４】送受信端ユニット（ｔｒａｎｓｃｅｉｖｅｒ  ｕｎｉｔｓ：ＴＸＲＵｓ）モデルの一例を示した図である。
【図１５】本明細書で提案する方法が適用されることができる８ポートＣＳＩ-ＲＳ資源マッピングパターンの一例を示した図である。
【図１６】本明細書で提案する方法が適用されることができるＣＳＩ-ＲＳ資源のさらに他の一例を示した図である。
【図１７】本明細書で提案する１２ポートＣＳＩ-ＲＳ資源構造の一例を示した図である。
【図１８】本明細書で提案する方法が適用されることができる２Ｄアンテナアレイモデルの一例を示した図である。
【図１９】本明細書で提案する１２ポートＣＳＩ-ＲＳ資源マッピングパターンのさらに他の一例を示した図である。
【図２０】本明細書で提案する１２ポートＣＳＩ-ＲＳ資源マッピングパターンのさらに他の一例を示した図である。
【図２１】本明細書で提案する１６ポートＣＳＩ-ＲＳパターンの一例を示した図である。
【図２２】本明細書で提案する１６ポートＣＳＩ-ＲＳパターンの一例を示した図である。
【図２３】本明細書で提案する８ポートＣＳＩ-ＲＳパターンのさらに他の一例を示した図である。
【図２４】本明細書で提案する多様なＣＳＩ-ＲＳのパターンの一例を示した図である。
【図２５】本明細書で提案する併合されたＣＳＩ-ＲＳ資源を利用してチャネル状態情報を報告するための方法の一例を示したフローチャートである。
【図２６】本発明の一実施の形態による無線通信装置のブロック構成図を例示する。
【発明を実施するための形態】
【００３２】
以下、本発明にかかる好ましい実施の形態を添付された図面を参照して詳細に説明する。添付された図面とともに、以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３３】
いくつかの場合、本発明の概念が曖昧になることを避けるために、公知の構造及び装置は省略されるか、または各構造及び装置の核心機能を重心にしたブロック図形式で示されることができる。
【００３４】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００３５】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３６】
以下の説明において用いられる特定用語は、本発明の理解に役立つために提供されたものであり、このような特定用語の使用は、本発明の技術的思想から外れない範囲内で他の形態に変更されることができる。
【００３７】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３８】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３９】
説明を明確にするために、３ＧＰＰ  ＬＴＥ／ＬＴＥ−Ａを中心に述べるが、本発明の技術的特徴がこれに制限されることではない。
【００４０】
本発明が適用され得る無線通信システム一般
【００４１】
図１は、本発明が適用され得る無線通信システムにおける無線フレームの構造を示す。
【００４２】
３ＧＰＰ  ＬＴＥ／ＬＴＥ−Ａでは、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造とを支援する。
【００４３】
図１において無線フレームの時間領域での大きさは、Ｔ＿ｓ＝１／（１５０００＊２０４８）の時間単位の倍数で表現される。下向きリンク及び上向きリンク送信は、Ｔ＿ｆ＝３０７２００＊Ｔ＿ｓ＝１０ｍｓの区間を有する無線フレームで構成される。
【００４４】
図１の（ａ）は、タイプ１の無線フレームの構造を例示する。タイプ１の無線フレームは、全二重（ｆｕｌｌ  ｄｕｐｌｅｘ）及び半二重（ｈａｌｆ  ｄｕｐｌｅｘ）ＦＤＤの両方に適用され得る。
【００４５】
無線フレーム（ｒａｄｉｏ  ｆｒａｍｅ）は、１０個のサブフレーム（ｓｕｂｆｒａｍｅ）で構成される。１つの無線フレームは、Ｔ＿ｓｌｏｔ＝１５３６０＊Ｔ＿ｓ＝０．５ｍｓ長さの２０個のスロットで構成され、各スロットは、０から１９までのインデックスが与えられる。１つのサブフレームは、時間領域（ｔｉｍｅ  ｄｏｍａｉｎ）で連続的な２個のスロット（ｓｌｏｔ）で構成され、サブフレームｉは、スロット２ｉ及びスロット２ｉ＋１で構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さが１ｍｓであり、１つのスロットの長さは０．５ｍｓでありうる。
【００４６】
ＦＤＤで上向きリンク送信及び下向きリンク送信は、周波数ドメインで区分される。全二重ＦＤＤに制限がないことに対し、半二重ＦＤＤ動作において端末は、同時に送信及び受信できない。
【００４７】
１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の資源ブロック（ＲＢ：Ｒｅｓｏｕｒｃｅ  Ｂｌｏｃｋ）を含む。３ＧＰＰ  ＬＴＥは、下向きリンクでＯＦＤＭＡを使用するので、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割当単位であり、１つのスロットで複数の連続的な副搬送波（ｓｕｂｃａｒｒｉｅｒ）を含む。
【００４８】
図１の（ｂ）は、タイプ２のフレーム構造（ｆｒａｍｅ  ｓｔｒｕｃｔｕｒｅ  ｔｙｐｅ  ２）を示す。
【００４９】
タイプ２の無線フレームは、各１５３６００＊Ｔ＿ｓ＝５ｍｓの長さの２個のハーフフレーム（ｈａｌｆ  ｆｒａｍｅ）で構成される。各ハーフフレームは、３０７２０＊Ｔ＿ｓ＝１ｍｓ長さの５個のサブフレームで構成される。
【００５０】
ＴＤＤシステムのタイプ２のフレーム構造で上向きリンク−下向きリンク構成（ｕｐｌｉｎｋ−ｄｏｗｎｌｉｎｋ  ｃｏｎｆｉｇｕｒａｔｉｏｎ）は、全てのサブフレームに対して上向きリンクと下向きリンクとが割当て（または、予約）られるか表す規則である。
【００５１】
表１は、上向きリンク−下向きリンク構成を表す。
【００５２】
【表１】
2020074542.tif 000003
【００５３】
表１に示すように、無線フレームの各サブフレーム別に、「Ｄ」は、下向きリンク送信のためのサブフレームを表し、「Ｕ」は、上向きリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成されるスペシャルサブフレーム（ｓｐｅｃｉａｌ  ｓｕｂｆｒａｍｅ）を表す。
【００５４】
ＤｗＰＴＳは、端末での初期セル探索、同期化、またはチャネル推定に使用される。ＵｐＰＴＳは、基地局でのチャネル推定と端末の上向きリンク送信同期とを合わせるのに使用される。ＧＰは、上向きリンクと下向きリンクとの間に下向きリンク信号の多重経路遅延のため、上向きリンクで生じる干渉を除去するための区間である。
【００５５】
各サブフレームｉは、各Ｔ＿ｓｌｏｔ＝１５３６０＊Ｔ＿ｓ＝０．５ｍｓ長さのスロット２ｉ及びスロット２ｉ＋１で構成される。
【００５６】
上向きリンク−下向きリンク構成は、７つに区分されることができ、各構成別に下向きリンクサブフレーム、スペシャルサブフレーム、上向きリンクサブフレームの位置及び／又は個数が異なる。
【００５７】
下向きリンクから上向きリンクに変更される時点または上向きリンクから下向きリンクに切り換えられる時点を切換時点（ｓｗｉｔｃｈｉｎｇ  ｐｏｉｎｔ）という。切換時点の周期性（Ｓｗｉｔｃｈ−ｐｏｉｎｔ  ｐｅｒｉｏｄｉｃｉｔｙ）は、上向きリンクサブフレームと下向きリンクサブフレームとが切り換えられる状態が同様に繰り返される周期を意味し、５ｍｓまたは１０ｍｓの両方が支援される。５ｍｓ下向きリンク−上向きリンク切換時点の周期を有する場合には、スペシャルサブフレームＳはハーフ−フレーム毎に存在し、５ｍｓ下向きリンク−上向きリンク切換時点の周期を有する場合には、１番目のハーフ−フレームのみに存在する。
【００５８】
全ての構成において、０番、５番のサブフレーム及びＤｗＰＴＳは、下向きリンク送信のみのための区間である。ＵｐＰＴＳ及びサブフレームにすぐ繋がるサブフレームは、常に上向きリンク送信のための区間である。
【００５９】
このような、上向きリンク−下向きリンク構成は、システム情報であって、基地局と端末との両方が知っていることもある。基地局は、上向きリンク−下向きリンク構成情報が変わる度に構成情報のインデックスのみを送信することにより、無線フレームの上向きリンク−下向きリンク割当状態の変更を端末に知らせることができる。また、構成情報は、一種の下向きリンク制御情報であって、他のスケジューリング情報と同様に、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内の全ての端末に共通に送信されることもできる。
【００６０】
表２は、スペシャルサブフレームの構成（ＤｗＰＴＳ／ＧＰ／ＵｐＰＴＳの長さ）を表す。
【００６１】
【表２】
2020074542.tif 000004
【００６２】
図１の例示による無線フレームの構造は、１つの例示に過ぎず、無線フレームに含まれる副搬送波の数またはサブフレームに含まれるスロットの数、スロットに含まれるＯＦＤＭシンボルの数は様々に変更されることができる。
【００６３】
図２は、本発明が適用されることができる無線通信システムにおける１つのダウンリンクスロットに対する資源グリッド（ｒｅｓｏｕｒｃｅ  ｇｒｉｄ）を示した図である。
【００６４】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００６５】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数ＮＤＬは、ダウンリンク送信帯域幅（ｂａｎｄｗｉｄｔｈ）に従属する。
【００６６】
アップリンクスロットの構造は、ダウンリンクスロットの構造と同一でありうる。
【００６７】
図３は、本発明が適用されることができる無線通信システムにおけるダウンリンクサブフレームの構造を示す。
【００６８】
図３を参照すると、サブフレーム内の第１番目のスロットにおいて前の最大３個のＯＦＤＭシンボルは、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６９】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域の大きさ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００７０】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００７１】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００７２】
図４は、本発明が適用されることができる無線通信システムにおけるアップリンクサブフレームの構造を示す。
【００７３】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００７４】
１つの端末に対するＰＵＣＣＨには、サブフレーム内に資源ブロック（ＲＢ：Ｒｅｓｏｕｒｃｅ  Ｂｌｏｃｋ）ペアが割り当てられる。ＲＢペアに属するＲＢは、２個のスロットの各々で互いに異なる副搬送波を占める。これをＰＵＣＣＨに割り当てられたＲＢペアは、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００７５】
ＭＩＭＯ（Ｍｕｌｔｉ−Ｉｎｐｕｔ  Ｍｕｌｔｉ−Ｏｕｔｐｕｔ）
【００７６】
ＭＩＭＯ技術は、いままで一般に１個の送信アンテナと１個の受信アンテナを使用したことから脱皮し、多重送信（Ｔｘ）アンテナと多重受信（Ｒｘ）アンテナを使用する。言い換えれば、ＭＩＭＯ技術は、無線通信システムの送信端または受信端で多重入出力アンテナを使用し、容量増大または性能改善を試みるための技術である。以下、「ＭＩＭＯ」を「多重入出力アンテナ」と称する。
【００７７】
さらに具体的には、多重入出力アンテナ技術は、１つの完全なメッセージ（ｔｏｔａｌ  ｍｅｓｓａｇｅ）を受信するために、１個のアンテナ経路に依存せず、いくつかのアンテナを介して受信した複数のデータ片を収集し、完全なデータを完成させる。結果的に、多重入出力アンテナ技術は、特定システム範囲内でデータ送信率を増加させることができ、また特定データ送信率を介してシステムの範囲を増加させることができる。
【００７８】
次世代移動通信は、既存の移動通信に比べてはるかに高いデータ送信率を要求するので、効率的な多重入出力アンテナ技術が必ず必要であると予想される。このような状況でＭＩＭＯ通信技術は、移動通信端末と中継器などに幅広く使用することができる次世代移動通信技術であり、データ通信拡大などにより限界状況により他の移動通信の送信量限界を克服できる技術として関心を集めている。
【００７９】
一方、現在研究されている様々な送信効率の向上技術のうち、多重入出力アンテナ（ＭＩＭＯ）技術は、追加的な周波数割り当てまたは電力増加がなくても通信容量及び送受信性能を画期的に向上させることができる方法として、現在最も大きな注目を受けている。
【００８０】
図５は、一般的な多重入出力アンテナ（ＭＩＭＯ）通信システムの構成図である。
【００８１】
図５を参照すると、送信アンテナの数をＮＴ個に、受信アンテナの数をＮＲ個に同時に増やすと、送信機または受信機においてのみ多数のアンテナを使用するようになる場合とは異なり、アンテナ数に比例して理論的なチャネル送信容量が増加するので、送信レート（ｔｒａｎｓｆｅｒ  ｒａｔｅ）を向上させ、周波数効率を画期的に向上させることができる。この場合、チャネル送信容量の増加に応じる送信レートは、１つのアンテナを利用する場合の最大送信レート（Ｒｏ）に次のようなレート増加率（Ｒｉ）が掛け算された分だけ理論的に増加できる。
【００８２】
【数１】
2020074542.tif 000005
【００８３】
すなわち、例えば、４個の送信アンテナと４個の受信アンテナとを利用するＭＩＭＯ通信システムでは、単一アンテナシステムに比べて理論上４倍の送信レートを取得できる。
【００８４】
このような多重入出力アンテナの技術は、様々なチャネル経路を通過したシンボルを用いて送信信頼度を高める空間ダイバーシティ（ｓｐａｔｉａｌ  ｄｉｖｅｒｓｉｔｙ）方式と、多数の送信アンテナを用いて多数のデータシンボルを同時に送信して送信率を向上させる空間マルチプレクス（ｓｐａｔｉａｌ  ｍｕｌｔｉｐｌｅｘｉｎｇ）方式とに分けられる。また、このような２つの方式を適宜結合して各々の長所を適宜得るための方式に対する研究も、最近多く研究されている分野である。
【００８５】
各々の方式についてさらに具体的に述べると、以下のとおりである。
【００８６】
第１に、空間ダイバーシティ方式の場合には、時空間ブロック符号系列と、ダイバーシティ利得と符号化利得とを同時に利用する時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシティ利得は、送信アンテナ数（ＮＴ）と受信アンテナ数（ＮＲ）の積  （ＮＴ×ＮＲ）に該当する量を得ることができる。
【００８７】
第２に、空間マルチプレクス技法は、各送信アンテナで互いに異なるデータ列を送信する方法であるが、このとき、受信機では、送信機から同時に送信されたデータ間に相互干渉が発生するようになる。受信機では、この干渉を適切な信号処理技法を用いて除去した後に受信する。ここに使用される雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ−ＢＬＡＳＴ（Ｄｉａｇｏｎａｌ−Ｂｅｌｌ  Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００８８】
第３に、空間ダイバーシティと空間マルチプレクスとの結合された技法を例に挙げることができる。空間ダイバーシティ利得だけを得る場合、ダイバーシティ次数の増加に応じる性能改善利得が順次飽和され、空間マルチプレクス利得だけを取ると、無線チャネルにおいて送信信頼度が低下する。これを解決しながら２つの利得を全部得る方式が研究されてきたのであり、このうち、時空間ブロック符号（Ｄｏｕｂｌｅ−ＳＴＴＤ）、時空間ＢＩＣＭ（ＳＴＢＩＣＭ）などの方式がある。
【００８９】
上述のような多重入出力アンテナシステムにおける通信方法をより具体的な方法で説明するために、これを数学的にモデリングする場合、以下のとおりに表すことができる。
【００９０】
まず、図５に示すように、ＮＴ個の送信アンテナとＮＲ個の受信アンテナが存在すると仮定する。
【００９１】
まず、送信信号に対して述べると、このようにＮＴ個の送信アンテナがある場合、最大送信可能な情報は、ＮＴ個であるので、これを次のようなベクトルで表すことができる。
【００９２】
【数２】
2020074542.tif 000006
【００９３】
一方、各々の送信情報ｓ１，  ｓ２，  ．．．，  ｓＮＴにおいて送信電力を異なるようにすることができ、このとき、各々の送信電力をＰ１，Ｐ２，．．．，ＰＮＴとすると、送信電力が調整された送信情報は、次のようなベクトルで表すことができる。
【００９４】
【数３】
2020074542.tif 000007
【００９５】
また、
2020074542.tif 000008
を送信電力の対角行列Ｐで次のように表すことができる。
【００９６】
【数４】
2020074542.tif 000009
【００９７】
一方、送信電力が調整された情報ベクトル
2020074542.tif 000010
は、その後に加重値行列Ｗが掛け算されて実際に送信されるＮＴ個の送信信号ｘ１，ｘ２，．．．，ｘＮＴを構成する。ここで、加重値行列は、送信チャネル状況などに応じて、送信情報を各アンテナに適宜分配する役割を行う。このような送信信号ｘ１，ｘ２，．．．，ｘＮＴをベクトルｘを用いて次のように表すことができる。
【００９８】
【数５】
2020074542.tif 000011
【００９９】
ここで、ｗｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【０１００】
一方、上述のような送信信号（ｘ）は、空間ダイバーシティを使用する場合と空間マルチプレクス使用する場合とに分けて考慮することができる。
【０１０１】
空間マルチプレクスを使用する場合は、互いに異なる信号を多重化して送信するようになるので、情報ベクトルｓの元素が全部異なる値を有するようになることに対し、空間ダイバーシティを使用するようになると、同じ信号を複数のチャネル経路を介して送信するようになるので、情報ベクトルｓの元素が全て同一の値を有するようになる。
【０１０２】
もちろん、空間マルチプレクスと空間ダイバーシティとを混合する方法も考慮可能である。すなわち、例えば、３個の送信アンテナを介して同じ信号を、空間ダイバーシティを用いて送信し、残りは、各々異なる信号を空間マルチプレクスして送信する場合も考慮することができる。
【０１０３】
次に、受信信号は、ＮＲ個の受信アンテナがある場合、各アンテナの受信信号ｙ１，ｙ２，．．．，ｙＮＲをベクトルｙで次のとおりに表すことにする。
【０１０４】
【数６】
2020074542.tif 000012
【０１０５】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈｉｊと表示することにする。ここで、ｈｉｊのインデックスの順序は受信アンテナインデックスが先、送信アンテナのインデックスが後であることに留意する。
【０１０６】
このようなチャネルは、いくつかを束にしてベクトル及び行列形態でも表示可能である。ベクトル表示の例を挙げて説明すると、以下のとおりである。
【０１０７】
図６は、多数の送信アンテナから１つの受信アンテナへのチャネルを示した図である。
【０１０８】
図６に示すように、総ＮＴ個の送信アンテナから受信アンテナｉに到着するチャネルは、以下のとおりに表現可能である。
【０１０９】
【数７】
2020074542.tif 000013
【０１１０】
また、前記数７のような行列表現を介してＮＴ個の送信アンテナからＮＲ個の受信アンテナを経るチャネルを全て表す場合、以下のとおりに表すことができる。
【０１１１】
【数８】
2020074542.tif 000014
【０１１２】
一方、実際のチャネルは、上記のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加えられるので、ＮＲ個の受信アンテナの各々に加えられる白色雑音ｎ１，ｎ２，．．．，ｎＮＲをベクトルで表現すると、以下のとおりである。
【０１１３】
【数９】
2020074542.tif 000015
【０１１４】
上述のような送信信号、受信信号、チャネル、及び白色雑音のモデリングを介して多重入出力アンテナ通信システムでの各々は、次のような関係を介して表すことができる。
【０１１５】
【数１０】
2020074542.tif 000016
【０１１６】
一方、チャネルの状態を表すチャネル行列Ｈの行と列の数は、送受信アンテナの数によって決定される。チャネル行列Ｈは、上述のように、行の数は、受信アンテナの数ＮＲと同じとなり、列の数は、送信アンテナの数ＮＴと同じとなる。すなわち、チャネル行列Ｈは、ＮＲ×ＮＴ行列になる。
【０１１７】
一般に、行列のランク（ｒａｎｋ）は、互いに独立である（ｉｎｄｅｐｅｎｄｅｎｔ）行または列の数のうち、最小数と定義される。したがって、行列のランクは、行または列の数より大きくはありえなくなる。式的に、例えば、チャネル行列Ｈのランク（ｒａｎｋ（Ｈ））は、以下のとおりに制限される。
【０１１８】
【数１１】
2020074542.tif 000017
【０１１９】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数と定義することができる。類似した方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数と定義することができる。したがって、チャネル行列においてランクの物理的な意味は、与えられたチャネルで互いに異なる情報を送ることができる最大数ということができる。
【０１２０】
本明細書において、ＭＩＭＯ送信に対する「ランク（Ｒａｎｋ）」は、特定時点及び特定周波数資源において独立的に信号を送信できる経路の数を表し、「階層（ｌａｙｅｒ）の数」は、各経路を介して送信される信号ストリームの数を示す。一般に、送信端は、信号の送信に利用されるランク数に対応する数の階層を送信するから、特別な言及がない限り、ランクは、階層数と同じ意味を有する。
【０１２１】
キャリア併合一般
【０１２２】
本発明の実施の形態において考慮する通信環境は、マルチキャリア（Ｍｕｌｔｉ−ｃａｒｒｉｅｒ）支援環境をすべて含む。すなわち、本発明で用いられるマルチキャリアシステムまたはキャリア併合（ＣＡ：Ｃａｒｒｉｅｒ  Ａｇｇｒｅｇａｔｉｏｎ）システムは、広帯域を支援するために、目標とする広帯域を構成するときに目標帯域より小さな帯域幅（ｂａｎｄｗｉｄｔｈ）を有する１個以上のコンポーネントキャリア（ＣＣ：Ｃｏｍｐｏｎｅｎｔ  Ｃａｒｒｉｅｒ）を併合（ａｇｇｒｅｇａｔｉｏｎ）して使用するシステムのことをいう。
【０１２３】
本発明においてマルチキャリアは、キャリアの併合（または、搬送波集成）を意味し、このとき、キャリアの併合は、隣接した（ｃｏｎｔｉｇｕｏｕｓ）キャリア間の併合だけでなく、隣接していない（ｎｏｎ−ｃｏｎｔｉｇｕｏｕｓ）キャリア間の併合を全部意味する。また、ダウンリンクとアップリンクとの間に集成されるコンポーネントキャリアの数は、異に設定されることができる。ダウンリンクコンポーネントキャリア（以下、ＤＬ  ＣＣとする）の数とアップリンクコンポーネントキャリア（以下、ＵＬ  ＣＣとする）の数とが同じ場合を対称な（ｓｙｍｍｅｔｒｉｃ）集成といい、その数が異なる場合を非対称な（ａｓｙｍｍｅｔｒｉｃ）集成という。このようなキャリア併合は、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語と混用して使用されることができる。
【０１２４】
２個以上のコンポーネントキャリアが結合されて構成されるキャリア併合は、ＬＴＥ−Ａシステムでは、１００ＭＨｚ帯域幅まで支援することを目標とする。目標帯域より小さな帯域幅を有する１個以上のキャリアを結合するときに、結合するキャリアの帯域幅は、従来のＩＭＴシステムとの互換性（ｂａｃｋｗａｒｄ  ｃｏｍｐａｔｉｂｉｌｉｔｙ）を維持するために、従来のシステムにおいて使用する帯域幅に制限できる。例えば、従来の３ＧＰＰ  ＬＴＥシステムでは、｛１．４，  ３，  ５，  １０，  １５，  ２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために上記の帯域幅だけを用いて２０ＭＨｚより大きな帯域幅を支援するようにすることができる。また、本発明で用いられるキャリア併合システムは、既存システムで使用する帯域幅と関係なしで新しい帯域幅を定義してキャリア併合を支援するようにすることができる。
【０１２５】
ＬＴＥ−Ａシステムは、無線資源を管理するために、セル（ｃｅｌｌ）の概念を使用する。
【０１２６】
上述のキャリア併合環境は、多重セル（ｍｕｌｔｉｐｌｅ  ｃｅｌｌｓ）環境と称することができる。セルは、ダウンリンク資源（ＤＬ  ＣＣ）とアップリンク資源（ＵＬ  ＣＣ）一対の組み合わせと定義されるが、アップリンク資源は、必須要素ではない。したがって、セルは、ダウンリンク資源単独、またはダウンリンク資源とアップリンク資源とから構成されることができる。特定端末がただ１つの設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができるが、特定端末が２個以上の設定されたサービングセルを有する場合には、セルの数だけのＤＬ  ＣＣを有し、ＵＬ  ＣＣの数は、それと同一であるか、またはそれより小さくありうる。
【０１２７】
または、それと反対にＤＬ  ＣＣとＵＬ  ＣＣとが構成されることもできる。すなわち、特定端末が多数の設定されたサービングセルを有する場合、ＤＬ  ＣＣの数よりＵＬ  ＣＣがより多くのキャリア併合環境も支援されることができる。すなわち、キャリア併合（ｃａｒｒｉｅｒ  ａｇｇｒｅｇａｔｉｏｎ）は、各々キャリア周波数（セルの重心周波数）が互いに異なる２個以上のセルの併合と理解されることができる。ここで、言う「セル（Ｃｅｌｌ）」は、一般に使用される基地局がカバーする領域としての「セル」とは区分されなければならない。
【０１２８】
ＬＴＥ−Ａシステムにおいて使用されるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルは、サービングセル（Ｓｅｒｖｉｎｇ  Ｃｅｌｌ）として使用されることができる。ＲＲＣ＿ＣＯＮＮＥＣＴＥＤ状態にあるが、キャリア併合が設定されないか、またはキャリア併合を支援しない端末の場合、Ｐセルだけから構成されたサービングセルがただ１つ存在する。それに対し、ＲＲＣ＿ＣＯＮＮＥＣＴＥＤ状態にあり、キャリア併合が設定された端末の場合、１つ以上のサービングセルが存在でき、全体サービングセルには、Ｐセルと１つ以上のＳセルが含まれる。
【０１２９】
サービングセル（ＰセルとＳセル）は、ＲＲＣパラメータを介して設定されることができる。ＰｈｙｓＣｅｌｌＩｄは、セルの物理階層識別子であって、０から５０３までの定数値を有する。ＳＣｅｌｌＩｎｄｅｘは、Ｓセルを識別するために使用される簡略な（ｓｈｏｒｔ）識別子であって、１から７までの定数値を有する。ＳｅｒｖＣｅｌｌＩｎｄｅｘは、サービングセル（ＰセルまたはＳセル）を識別するために使用される簡略な（ｓｈｏｒｔ）識別子であって、０から７までの定数値を有する。０値は、Ｐセルに適用され、ＳＣｅｌｌＩｎｄｅｘは、Ｓセルに適用するために予め付与される。すなわち、ＳｅｒｖＣｅｌｌＩｎｄｅｘにおいて最も小さなセルＩＤ（またはセルインデックス）を有するセルがＰセルになる。
【０１３０】
Ｐセルは、プライマリ周波数（または、ｐｒｉｍａｒｙ  ＣＣ）上において動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行うか、または接続再−設定過程を行うのに使用されることができ、ハンドオーバー過程で指示されたセルを指し示すことができる。また、Ｐセルは、キャリア併合環境で設定されたサービングセルのうち、制御関連通信の中心になるセルを意味する。すなわち、端末は、自分のＰセルにおいてのＰＵＣＣＨを割り当てられて送信でき、システム情報を取得するか、またはモニタリング手順を変更するのにＰセルだけを利用できる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境を支援する端末に移動性制御情報（ｍｏｂｉｌｉｔｙ  ＣｏｎｔｒｏｌＩｎｆｏ）を含む上位階層のＲＲＣ接続再設定（ＲＲＣ  ＣｏｎｎｅｃｔｉｏｎＲｅｃｏｎｆｉｇｕｔａｉｏｎ）メッセージを利用して、ハンドオーバー手順のためにＰセルだけを変更することもできる。
【０１３１】
Ｓセルは、セカンダリ周波数（または、Ｓｅｃｏｎｄａｒｙ  ＣＣ）上において動作するセルを意味できる。特定端末にＰセルは、１つだけが割り当てられ、Ｓセルは、１つ以上が割り当てられることができる。Ｓセルは、ＲＲＣ接続の設定がなされた後に構成可能であり、追加的な無線資源を提供するのに使用されることができる。キャリア併合環境で設定されたサービングセルのうち、Ｐセルを除いた残りのセル、すなわちＳセルには、ＰＵＣＣＨが存在しない。Ｅ−ＵＴＲＡＮは、Ｓセルを、キャリア併合環境を支援する端末に追加するとき、ＲＲＣ＿ＣＯＮＮＥＣＴＥＤ状態にある関連したセルの動作と関連したすべてのシステム情報を特定シグナル（ｄｅｄｉｃａｔｅｄ  ｓｉｇｎａｌ）を介して提供できる。システム情報の変更は、関連したＳセルの解除及び追加によって制御されることができ、このとき、上位階層のＲＲＣ接続再設定（ＲＲＣ  ＣｏｎｎｅｃｔｉｏｎＲｅｃｏｎｆｉｇｕｔａｉｏｎ）メッセージを利用できる。Ｅ−ＵＴＲＡＮは、関連したＳセル内でブロードキャストするよりは、端末別に相異なったパラメータを有する特定シグナリング（ｄｅｄｉｃａｔｅｄ  ｓｉｇｎａｌｉｎｇ）できる。
【０１３２】
初期セキュリティー活性化過程が始まった以後に、Ｅ−ＵＴＲＡＮは、接続設定過程で初期に構成されるＰセルに付加し、１つ以上のＳセルを含むネットワークを構成できる。キャリア併合環境でＰセル及びＳセルは、各々のコンポーネントキャリアとして動作できる。以下の実施の形態では、プライマリコンポーネントキャリア（ＰＣＣ）は、Ｐセルと同じ意味として使用されることができ、セカンダリコンポーネントキャリア（ＳＣＣ）は、Ｓセルと同じ意味として使用されることができる。
【０１３３】
図７は、本発明が適用されることができる無線通信システムにおけるコンポーネントキャリア及びキャリア併合の一例を示す。
【０１３４】
図７ａは、ＬＴＥシステムにおいて使用される単一キャリア構造を示す。コンポーネントキャリアには、ＤＬ  ＣＣとＵＬ  ＣＣがある。１つのコンポーネントキャリアは、２０ＭＨｚの周波数範囲を有することができる。
【０１３５】
図７ｂは、ＬＴＥ＿Ａシステムにおいて使用されるキャリア併合構造を示す。図７ｂの場合に、２０ＭＨｚの周波数大きさを有する３個のコンポーネントキャリアが結合された場合を示す。ＤＬ  ＣＣとＵＬ  ＣＣがそれぞれ３個ずつあるが、ＤＬ  ＣＣとＵＬ  ＣＣの数に制限があるのではない。キャリア併合の場合、端末は、３個のＣＣを同時にモニタリングでき、ダウンリンク信号／データを受信することができ、アップリンク信号／データを送信できる。
【０１３６】
仮に、特定セルにおいてＮ個のＤＬ  ＣＣが管理される場合には、ネットワークは、端末にＭ（Ｍ≦Ｎ）個のＤＬ  ＣＣを割り当てることができる。このとき、端末は、Ｍ個の制限されたＤＬ  ＣＣだけをモニタリングし、ＤＬ信号を受信することができる。また、ネットワークは、Ｌ（Ｌ≦Ｍ≦Ｎ）個のＤＬ  ＣＣに優先順位をつけて主なＤＬ  ＣＣを端末に割り当てることができ、このような場合、ＵＥは、Ｌ個のＤＬ  ＣＣは、必ずモニタリングしなければならない。このような方式は、アップリンクの送信にも全く同様に適用されることができる。
【０１３７】
ダウンリンク資源の搬送波周波数（またはＤＬ  ＣＣ）とアップリンク資源の搬送波周波数（または、ＵＬ  ＣＣ）との間のリンケージ（ｌｉｎｋａｇｅ）は、ＲＲＣメッセージのような上位階層メッセージまたはシステム情報により指示されることができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによって、ＤＬ資源とＵＬ資源との組み合わせが構成されることができる。具体的には、リンケージは、ＵＬグラントを運ぶＰＤＣＣＨが送信されるＤＬ  ＣＣと前記ＵＬグラントを使用するＵＬ  ＣＣ間のマッピング関係を意味でき、ＨＡＲＱのためのデータが送信されるＤＬ  ＣＣ（またはＵＬ  ＣＣ）とＨＡＲＱ  ＡＣＫ／ＮＡＣＫ信号が送信されるＵＬ  ＣＣ（またはＤＬ  ＣＣ）間のマッピング関係を意味することもできる。
【０１３８】
端末が１つ以上のＳセルを設定すれば、ネットワークは、設定されたＳセル（等）を活性化（ａｃｔｉｖａｔｅ）または非活性化（ｄｅａｃｔｉｖａｔｅ）することができる。Ｐセルは、常に活性化される。ネットワークは、活性／非活性（Ａｃｔｉｖａｔｉｏｎ／Ｄｅａｃｔｉｖａｔｉｏｎ）ＭＡＣ制御要素（ＭＡＣ  Ｃｏｎｔｒｏｌ  Ｅｌｅｍｅｎｔ）を送信することにより、Ｓセル（等）を活性化または非活性化する。
【０１３９】
活性／非活性ＭＡＣ制御要素は、固定された大きさを有し、７個のＣフィールド（Ｃ−ｆｉｅｌｄ）と１個のＲフィールド（Ｒ−ｆｉｅｌｄ）とを含む単一のオクテット（ｏｃｔｅｔ）で構成される。Ｃフィールドは、各Ｓセルインデックス（ＳＣｅｌｌＩｎｄｅｘ）別に構成され、Ｓセルの活性／非活性状態を指示する。Ｃフィールド値が「１」にセッティングされれば、当該Ｓセルインデックスを有するＳセルが活性化されることを指示し、「０」にセッティングされれば、当該Ｓセルインデックスを有するＳセルが非活性化されることを指示する。
【０１４０】
また、端末は、設定されたＳセル別にタイマー（ｓＣｅｌｌＤｅａｃｔｉｖａｔｉｏｎＴｉｍｅｒ）を維持し、タイマーが満了したとき、関連したＳセルを非活性化する。同じ初期タイマー値がタイマー（ｓＣｅｌｌＤｅａｃｔｉｖａｔｉｏｎＴｉｍｅｒ）の各インスタンス（ｉｎｓｔａｎｃｅ）に適用され、ＲＲＣシグナリングにより設定される。Ｓセル（等）が追加されるとき、またはハンドオーバー後、初期Ｓセル（等）は非活性化状態である。
【０１４１】
端末は、各ＴＴＩでそれぞれの設定されたＳセル（等）に対して下記のような動作を行う。
【０１４２】
・端末が特定ＴＴＩ（サブフレームｎ）でＳセルを活性化する活性／非活性ＭＡＣ制御要素を受信すれば、端末は、決められたタイミングに該当するＴＴＩ（サブフレームｎ＋８またはそれ以後）でＳセルを活性化し、当該Ｓセルと関連したタイマーを（再）開始させる。端末がＳセルを活性化するとは、端末がＳセル上でＳＲＳ（Ｓｏｕｎｄｉｎｇ  Ｒｅｆｅｒｅｎｃｅ  Ｓｉｇｎａｌ）送信、ＳセルのためのＣＱＩ（Ｃｈａｎｎｅｌ  Ｑｕａｌｉｔｙ  Ｉｎｄｉｃａｔｏｒ）／ＰＭＩ（Ｐｒｅｃｏｄｉｎｇ  Ｍａｔｒｉｘ  Ｉｎｄｉｃａｔｏｒ）／ＲＩ（Ｒａｎｋ  Ｉｎｄｉｃａｔｉｏｎ）／ＰＴＩ（Ｐｒｅｃｏｄｉｎｇ  Ｔｙｐｅ  Ｉｎｄｉｃａｔｏｒ）報告、Ｓセル上でＰＤＣＣＨモニタリング、ＳセルのためのＰＤＣＣＨモニタリングのような一般Ｓセル動作を適用するということを意味する。
【０１４３】
・端末が特定ＴＴＩ（サブフレームｎ）でＳセルを非活性化する活性／非活性ＭＡＣ制御要素を受信するか、または特定ＴＴＩ（サブフレームｎ）活性化されたＳセルと関連したタイマーが満了すれば、端末は、決められたタイミングに該当するＴＴＩ（サブフレームｎ＋８またはそれ以後）でＳセルを非活性化し、当該Ｓセルのタイマーを中断し、当該Ｓセルと関連した全てのＨＡＲＱバッファを空ける（ｆｌｕｓｈ）。
【０１４４】
・活性化されたＳセル上のＰＤＣＣＨが上向きリンクグラント（ｕｐｌｉｎｋ  ｇｒａｎｔ）または下向きリンク承認（ｄｏｗｎｌｉｎｋ  ａｓｓｉｇｎｍｅｎｔ）を指示するか、または活性化されたＳセルをスケジューリングするサービングセル上のＰＤＣＣＨが活性化されたＳセルのための上向きリンクグラント（ｕｐｌｉｎｋ  ｇｒａｎｔ）または下向きリンク承認（ｄｏｗｎｌｉｎｋ  ａｓｓｉｇｎｍｅｎｔ）を指示すれば、端末は、当該Ｓセルと関連したタイマーを再開始する。
【０１４５】
・Ｓセルが非活性化されれば、端末は、Ｓセル上でＳＲＳを送信せず、ＳセルのためのＣＱＩ／ＰＭＩ／ＲＩ／ＰＴＩを報告せず、Ｓセル上でＵＬ−ＳＣＨを送信せず、Ｓセル上でＰＤＣＣＨをモニターしない。
【０１４６】
ランダムアクセス手順（Ｒａｎｄｏｍ  Ａｃｃｅｓｓ  Ｐｒｏｃｅｄｕｒｅ）
以下では、ＬＴＥ／ＬＴＥ−Ａシステムで提供するランダムアクセス手順（ｒａｎｄｏｍ  ａｃｃｅｓｓ  ｐｒｏｃｅｄｕｒｅ）について説明する。
【０１４７】
ランダムアクセス手順は、端末が基地局と上向きリンク同期を得たり、上向きリンク無線資源を割り当てられるために使用される。端末の電源がつけられた後、端末は、初期セルとの下向きリンク同期を取得し、システム情報を受信する。システム情報から使用可能なランダムアクセスプリアンブル（ｒａｎｄｏｍ  ａｃｃｅｓｓ  ｐｒｅａｍｂｌｅ）の集合とランダムアクセスプリアンブルの送信に使用される無線資源に関する情報を得る。ランダムアクセスプリアンブルの送信に使用される無線資源は、少なくとも１つ以上のサブフレームインデックスと周波数領域上のインデックスとの組み合わせで特定されることができる。端末は、ランダムアクセスプリアンブルの集合から任意に選択したランダムアクセスプリアンブルを送信し、前記ランダムアクセスプリアンブルを受信した基地局は、上向きリンク同期のためのタイミング整列（ＴＡ：ｔｉｍｉｎｇ  ａｌｉｇｎｍｅｎｔ）値を、ランダムアクセス応答を介して端末に送る。これにより、端末は、上向きリンク同期を取得する。
【０１４８】
ランダムアクセス手順は、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）とで共通的な手順である。ランダムアクセス手順は、セルサイズに関係なく、キャリア併合（ＣＡ：ｃａｒｒｉｅｒ  ａｇｇｒｅｇａｔｉｏｎ）が設定された場合、サービングセル（ｓｅｒｖｉｎｇ  ｃｅｌｌ）の個数とも関係ない。
【０１４９】
まず、端末がランダムアクセス手順を行う場合としては、次のような場合がある。
【０１５０】
・端末が基地局とのＲＲＣ連結（ＲＲＣ  Ｃｏｎｎｅｃｔｉｏｎ）がなく、ＲＲＣアイドル状態で初期接続（ｉｎｉｔｉａｌ  ａｃｃｅｓｓ）を行う場合
【０１５１】
・ＲＲＣ連結再確立手順（ＲＲＣ  Ｃｏｎｎｅｃｔｉｏｎ  ｒｅ−ｅｓｔａｂｌｉｓｈｍｅｎｔ  ｐｒｏｃｅｄｕｒｅ）を行う場合
【０１５２】
・端末がハンドオーバー過程で、ターゲット（ｔａｒｇｅｔ）セルに初めて接続する場合
【０１５３】
・基地局の命令によってランダムアクセス手順が要請される場合
【０１５４】
・ＲＲＣ連結状態のうち、上向きリンク時間同期が合わない状況で（ｎｏｎ−ｓｙｎｃｈｒｏｎｉｚｅｄ）下向きリンクに送信されるデータが発生する場合
【０１５５】
・ＲＲＣ連結状態のうち、上向きリンクの時間同期が合わないか（ｎｏｎ−ｓｙｎｃｈｒｏｎｉｚｅｄ）、無線資源を要請するために使用される指定された無線資源が割り当てられていない状況で、上向きリンクに送信するデータが発生する場合
【０１５６】
・ＲＲＣ連結状態のうち、タイミングアドバンス（ｔｉｍｉｎｇ  ａｄｖａｎｃｅ）が必要な状況で端末の位置決定（ｐｏｓｉｔｉｏｎｉｎｇ）を行う場合
【０１５７】
・無線連結失敗（ｒａｄｉｏ  ｌｉｎｋ  ｆａｉｌｕｒｅ）またはハンドオーバー失敗（ｈａｎｄｏｖｅｒ  ｆａｉｌｕｒｅ）の際、復旧過程を行う場合
【０１５８】
３ＧＰＰ  Ｒｅｌ−１０では、キャリア併合を支援する無線接続システムで１つの特定セル（例えば、Ｐセル）に適用可能なＴＡ（ｔｉｍｉｎｇ  ａｄｖａｎｃｅ）値を複数のセルに共通に適用することを考慮した。ただし、端末が互いに異なる周波数バンドに属した（すなわち、周波数上で大きく離間した）複数のセルあるいは伝播（ｐｒｏｐａｇａｔｉｏｎ）特性が他の複数のセルを併合できる。また、特定セルの場合、カバレッジ拡大あるいはカバレッジホールの除去のために、ＲＲＨ（ｒｅｍｏｔｅ  ｒａｄｉｏ  ｈｅａｄｅｒ）（すなわち、リピータ）、フェムトセル（ｆｅｍｔｏ  ｃｅｌｌ）あるいはピコセル（ｐｉｃｏ  ｃｅｌｌ）などのようなスモールセル（ｓｍａｌｌ  ｃｅｌｌ）またはセカンダリ基地局（ＳｅＮＢ：ｓｅｃｏｎｄａｒｙ  ｅＮＢ）がセル内に配置される状況で端末は、１つのセルを介して基地局（すなわち、マクロ基地局（ｍａｃｒｏ  ｅＮＢ））と通信を行い、他のセルを介してセカンダリ基地局と通信を行う場合、複数のセルが互いに異なる伝播遅延特性を有するようになることができる。この場合、１つのＴＡ値を複数のセルに共通に適用する方式で使用する上向きリンク送信を行う場合、複数のセル上で送信される上向きリンク信号の同期に深刻な影響を及ぼすことができる。したがって、複数のセルが併合されたＣＡ状況で複数のＴＡを有することが好ましく、３ＧＰＰ  Ｒｅｌ−１１では、多重ＴＡ（ｍｕｌｔｉｐｌｅ  ＴＡ）を支援するために、特定セルグループ単位でＴＡを独立的に割り当てることを考慮する。これをＴＡグループ（ＴＡＧ：ＴＡ  ｇｒｏｕｐ）といい、ＴＡＧは、１つ以上のセルを含むことができ、ＴＡＧ内に含まれた１つ以上のセルには同じＴＡが共通的に適用され得る。このような多重ＴＡを支援するために、ＭＡＣ  ＴＡ命令制御要素（ｅｌｅｍｅｎｔ）は、２ビットのＴＡＧ識別子（ＴＡＧ  ＩＤ）と６ビットのＴＡ命令フィールドとで構成される。
【０１５９】
キャリア併合が設定された端末は、Ｐセルと関連して前述したランダムアクセス手順を行う場合が発生すれば、ランダムアクセス手順を行うようになる。Ｐセルが属したＴＡＧ（すなわち、ｐＴＡＧ：ｐｒｉｍａｒｙ  ＴＡＧ）の場合、既存と同様に、Ｐセルを基準に決定される、あるいはＰセルに伴われるランダムアクセス手順を介して調整されるＴＡをｐＴＡＧ内の全てのセル（等）に適用することができる。それに対し、Ｓセルのみで構成されるＴＡＧ（すなわち、ｓＴＡＧ：ｓｅｃｏｎｄａｒｙ  ＴＡＧ）の場合、ｓＴＡＧ内の特定Ｓセルを基準に決定されるＴＡは、当該ｓＴＡＧ内の全てのセル（等）に適用することができ、このとき、ＴＡは、基地局により開始されて、ランダムアクセス手順によって取得されることができる。具体的に、ｓＴＡＧ内でＳセルは、ＲＡＣＨ（Ｒａｎｄｏｍ  Ａｃｃｅｓｓ  Ｃｈａｎｎｅｌ）資源として設定され、基地局は、ＴＡを決定するために、ＳセルでＲＡＣＨ接続を要請する。すなわち、基地局は、Ｐセルで送信されるＰＤＣＣＨオーダーによってＳセル等上でＲＡＣＨ送信を開始させる。Ｓセルプリアンブルに対する応答メッセージは、ＲＡ−ＲＮＴＩを使用してＰセルを介して送信される。端末は、ランダムアクセスを成功裏に終えたＳセルを基準に決定されるＴＡを当該ｓＴＡＧ内の全てのセル（等）に適用することができる。このように、ランダムアクセス手順は、Ｓセルでも当該Ｓセルの属したｓＴＡＧのタイミング整列（ｔｉｍｉｎｇ  ａｌｉｇｎｍｅｎｔ）を取得するために、Ｓセルでも行われることができる。
【０１６０】
ＬＴＥ／ＬＴＥ−Ａシステムでは、ランダムアクセスプリアンブル（ｒａｎｄｏｍ  ａｃｃｅｓｓ  ｐｒｅａｍｂｌｅ、ＲＡＣＨ  ｐｒｅａｍｂｌｅ）を選択する過程で、特定の集合内で端末が任意に１つのプリアンブルを選択して使用する競争基盤ランダムアクセス手順（ｃｏｎｔｅｎｔｉｏｎ  ｂａｓｅｄ  ｒａｎｄｏｍ  ａｃｃｅｓｓ  ｐｒｏｃｅｄｕｒｅ）と基地局が特定端末のみに割り当てたランダムアクセスプリアンブルを使用する非競争基盤ランダムアクセス手順（ｎｏｎ−ｃｏｎｔｅｎｔｉｏｎ  ｂａｓｅｄ  ｒａｎｄｏｍ  ａｃｃｅｓｓ  ｐｒｏｃｅｄｕｒｅ）とを共に提供する。ただし、非競争基盤ランダムアクセス手順は、上述したハンドオーバー過程、基地局の命令により要請される場合、端末位置決定（ｐｏｓｉｔｉｏｎｉｎｇ）及び／又はｓＴＡＧのためのタイミングアドバンス整列に限って使用されることができる。ランダムアクセス手順が完了した後、一般的な上向きリンク／下向きリンク送信が発生される。
【０１６１】
一方、リレーノード（ＲＮ：ｒｅｌａｙ  ｎｏｄｅ）も競争基盤ランダムアクセス手順と非競争基盤ランダムアクセス手順との両方を支援する。リレーノードがランダムアクセス手順を行うとき、その時点でＲＮサブフレーム構成（ｃｏｎｆｉｇｕｒａｔｉｏｎ）を中断させる（ｓｕｓｐｅｎｄ）。すなわち、これは、一時的にＲＮサブフレーム構成を廃棄することを意味する。その後、成功裏にランダムアクセス手順が完了する時点でＲＮサブフレーム構成が再開される。
【０１６２】
図８は、本発明が適用され得る無線通信システムにおいて競争基盤ランダムアクセス手順を説明するための図である。
【０１６３】
（１）第１のメッセージ（Ｍｓｇ１、ｍｅｓｓａｇｅ１）
まず、端末は、システム情報（ｓｙｓｔｅｍ  ｉｎｆｏｒｍａｔｉｏｎ）またはハンドオーバー命令（ｈａｎｄｏｖｅｒ  ｃｏｍｍａｎｄ）を介して指示されたランダムアクセスプリアンブルの集合で任意に（ｒａｎｄｏｍｌｙ）１つのランダムアクセスプリアンブル（ｒａｎｄｏｍ  ａｃｃｅｓｓ  ｐｒｅａｍｂｌｅ、ＲＡＣＨ  ｐｒｅａｍｂｌｅ）を選択し、前記ランダムアクセスプリアンブルを送信できるＰＲＡＣＨ（ｐｈｙｓｉｃａｌ  ＲＡＣＨ）資源を選択して送信する。
【０１６４】
ランダムアクセスプリアンブルは、ＲＡＣＨ送信チャネルにおいて６ビットで送信され、６ビットは、ＲＡＣＨ送信した端末を識別するための５ビットの任意識別子（ｒａｄｏｍ  ｉｄｅｎｔｉｔｙ）と、追加情報を表すための１ビット（例えば、第３のメッセージ（Ｍｓｇ３）の大きさを指示）で構成される。
【０１６５】
端末からランダムアクセスプリアンブルを受信した基地局は、プリアンブルをデコーディングし、ＲＡ−ＲＮＴＩを取得する。ランダムアクセスプリアンブルが送信されたＰＲＡＣＨと関連したＲＡ−ＲＮＴＩは、当該端末が送信したランダムアクセスプリアンブルの時間−周波数資源によって決定される。
【０１６６】
（２）第２のメッセージ（Ｍｓｇ２、ｍｅｓｓａｇｅ２）
基地局は、第１のメッセージ上のプリアンブルを介して取得したＲＡ−ＲＮＴＩで指示（ａｄｄｒｅｓｓ）されるランダムアクセス応答（ｒａｎｄｏｍ  ａｃｃｅｓｓ  ｒｅｓｐｏｎｓｅ）を端末に送信する。ランダムアクセス応答には、ランダムアクセスプリアンブル区分子／識別子（ＲＡ  ｐｒｅａｍｂｌｅ  ｉｎｄｅｘ／ｉｄｅｎｔｉｆｉｅｒ）、上向きリンク無線資源を知らせる上向きリンク承認（ＵＬ  ｇｒａｎｔ）、臨時セル識別子（ＴＣ−ＲＮＴＩ：Ｔｅｍｐｏｒａｒｙ  Ｃ−ＲＮＴＩ）、そして時間同期値（ＴＡＣ：ｔｉｍｅ  ａｌｉｇｎｍｅｎｔ  ｃｏｍｍａｎｄ）が含まれ得る。ＴＡＣは、基地局が端末に上向きリンク時間整列（ｔｉｍｅ  ａｌｉｇｎｍｅｎｔ）を維持するために送る時間同期値を指示する情報である。端末は、前記時間同期値を用いて、上向きリンク送信タイミングを更新する。端末が時間同期を更新すれば、時間同期タイマー（ｔｉｍｅ  ａｌｉｇｎｍｅｎｔ  ｔｉｍｅｒ）を開始または再開始する。ＵＬ  ｇｒａｎｔは、後述するスケジューリングメッセージ（第３のメッセージ）の送信に使用される上向きリンク資源割当及びＴＰＣ（ｔｒａｎｓｍｉｔ  ｐｏｗｅｒ  ｃｏｍｍａｎｄ）を含む。ＴＰＣは、スケジューリングされたＰＵＳＣＨのための送信パワーの決定に使用される。
【０１６７】
端末は、ランダムアクセスプリアンブルを送信した後、基地局がシステム情報またはハンドオーバー命令を介して指示されたランダムアクセス応答ウィンドウ（ｒａｎｄｏｍ  ａｃｃｅｓｓ  ｒｅｓｐｏｎｓｅ  ｗｉｎｄｏｗ）内で自分のランダムアクセス応答（ｒａｎｄｏｍ  ａｃｃｅｓｓ  ｒｅｓｐｏｎｓｅ）の受信を試み、ＰＲＡＣＨに対応するＲＡ−ＲＮＴＩでマスキングされたＰＤＣＣＨを検出し、検出されたＰＤＣＣＨにより指示されるＰＤＳＣＨを受信するようになる。ランダムアクセス応答情報は、ＭＡＣ  ＰＤＵ（ＭＡＣ  ｐａｃｋｅｔ  ｄａｔａ  ｕｎｉｔ）の形式で送信されることができ、前記ＭＡＣ  ＰＤＵは、ＰＤＳＣＨを介して伝達されることができる。ＰＤＣＣＨには、前記ＰＤＳＣＨを受信すべき端末の情報と、前記ＰＤＳＣＨの無線資源の周波数、そして時間情報、そして前記ＰＤＳＣＨの送信形式などが含まれていることが好ましい。上述したように、一応、端末が自分に送信されるＰＤＣＣＨの検出に成功すれば、前記ＰＤＣＣＨの情報に応じてＰＤＳＣＨに送信されるランダムアクセス応答を適宜受信することができる。
【０１６８】
ランダムアクセス応答ウィンドウは、プリアンブルを送信した端末がランダムアクセス応答メッセージを受信するために待機する最大時区間を意味する。ランダムアクセス応答ウィンドウは、プリアンブルが送信される最後のサブフレームで３個のサブフレーム以後のサブフレームから始めて「ｒａ−ＲｅｓｐｏｎｓｅＷｉｎｄｏｗＳｉｚｅ」の長さを有する。すなわち、端末は、プリアンブルを送信が終了したサブフレームから３個のサブフレーム以後から確保したランダムアクセスウィンドウの間、ランダムアクセス応答を受信するために待機する。端末は、システム情報（ｓｙｓｔｅｍ  ｉｎｆｏｒｍａｔｉｏｎ）を介してランダムアクセスウィンドウサイズ（「ｒａ−ＲｅｓｐｏｎｓｅＷｉｎｄｏｗＳｉｚｅ」）パラメータ値を取得でき、ランダムアクセスウィンドウサイズは、２から１０の間の値に決定されることができる。
【０１６９】
端末は、基地局に送信したランダムアクセスプリアンブルと同じランダムアクセスプリアンブル区分子／識別子を有するランダムアクセス応答を成功裏に受信すれば、ランダムアクセス応答のモニタリングを中止する。それに対し、ランダムアクセス応答ウィンドウが終了するまでランダムアクセス応答メッセージを受信できないか、基地局に送信したランダムアクセスプリアンブルと同じランダムアクセスプリアンブル区分子を有する有効なランダムアクセス応答を受信できなかった場合、ランダムアクセス応答の受信は失敗したとみなされ、その後、端末はプリアンブル再送信を行うことができる。
【０１７０】
上述したように、ランダムアクセス応答でランダムアクセスプリアンブル区分子が必要な理由は、１つのランダムアクセス応答には、１つ以上の端末のためのランダムアクセス応答情報が含まれ得るため、前記ＵＬ  ｇｒａｎｔ、ＴＣ−ＲＮＴＩ、そしてＴＡＣがどの端末に有効であるかを知らせることが必要なためである。
【０１７１】
（３）第３のメッセージ（Ｍｓｇ３、ｍｅｓｓａｇｅ３）
【０１７２】
端末が自分に有効なランダムアクセス応答を受信した場合には、前記ランダムアクセス応答に含まれた情報を各々処理する。すなわち、端末は、ＴＡＣを適用させ、ＴＣ−ＲＮＴＩを格納する。また、ＵＬ  ｇｒａｎｔを用いて、端末のバッファに格納されたデータまたは新しく生成されたデータを基地局に送信する。端末の最初接続の場合、ＲＲＣ階層で生成されて、ＣＣＣＨを介して伝達されたＲＲＣ連結要請が第３のメッセージに含まれて送信されることができ、ＲＲＣ連結再確立手順の場合、ＲＲＣ階層で生成されて、ＣＣＣＨを介して伝達されたＲＲＣ連結再確立要請が第３のメッセージに含まれて送信されることができる。また、ＮＡＳ接続要請メッセージを含むこともできる。
【０１７３】
第３のメッセージは、端末の識別子が含まれなければならない。競争基盤ランダムアクセス手順では、基地局でどの端末が前記ランダムアクセス手順を行うか判断できないが、今後の衝突解決のためには、端末を識別しなければならないためである。
【０１７４】
端末の識別子を含める方法としては、２つの方法が存在する。１番目の方法は、端末が前記ランダムアクセス手順以前に既に当該セルで割り当てられた有効なセル識別子（Ｃ−ＲＮＴＩ）を有していたとすれば、端末は、前記ＵＬ  ｇｒａｎｔに対応する上向きリンク送信信号を介して自分のセル識別子を送信する。それに対し、仮にランダムアクセス手順以前に有効なセル識別子を割り当てられていないならば、端末は、自分の固有識別子（例えば、Ｓ−ＴＭＳＩまたは任意値（ｒａｎｄｏｍ  ｎｕｍｂｅｒ））を含んで送信する。一般的に、上記の固有識別子は、Ｃ−ＲＮＴＩより長い。ＵＬ−ＳＣＨ上の送信では、端末特定スクランブリングが使用される。ただし、端末がまだＣ−ＲＮＴＩを割り当てていない場合ならば、スクランブリングは、Ｃ−ＲＮＴＩに基盤することができず、その代わりに、ランダムアクセス応答で受信したＴＣ−ＲＮＴＩが使用される。端末は、前記ＵＬ  ｇｒａｎｔに対応するデータを送信したならば、衝突解決のためのタイマー（ｃｏｎｔｅｎｔｉｏｎ  ｒｅｓｏｌｕｔｉｏｎ  ｔｉｍｅｒ）を開始する。
【０１７５】
（４）第４のメッセージ（Ｍｓｇ４、ｍｅｓｓａｇｅ４）
【０１７６】
基地局は、端末から第３のメッセージを介して当該端末のＣ−ＲＮＴＩを受信した場合、受信したＣ−ＲＮＴＩを用いて端末に第４のメッセージを送信する。それに対し、端末から第３のメッセージを介して前記固有識別子（すなわち、Ｓ−ＴＭＳＩまたは任意値（ｒａｎｄｏｍ  ｎｕｍｂｅｒ））を受信した場合、ランダムアクセス応答で当該端末に割り当てたＴＣ−ＲＮＴＩを用いて第４のメッセージを端末に送信する。ここで、第４のメッセージは、Ｃ−ＲＮＴＩを含むＲＲＣ連結設定メッセージ（ＲＲＣ  ｃｏｎｎｅｃｔｉｏｎ  ｓｅｔｕｐ）が該当し得る。
【０１７７】
端末は、ランダムアクセス応答に含まれたＵＬ  ｇｒａｎｔを介して自分の識別子を含むデータを送信した後、衝突解決のために基地局の指示を待つ。すなわち、特定メッセージを受信するためにＰＤＣＣＨの受信を試みる。前記ＰＤＣＣＨを受信する方法においても２つの方法が存在する。前述したように、前記ＵＬ  ｇｒａｎｔに対応して送信された第３のメッセージが自分の識別子がＣ−ＲＮＴＩである場合、自分のＣ−ＲＮＴＩを用いてＰＤＣＣＨの受信を試み、前記識別子が固有識別子（すなわち、Ｓ−ＴＭＳＩまたは任意値（ｒａｎｄｏｍ  ｎｕｍｂｅｒ））である場合には、ランダムアクセス応答に含まれたＴＣ−ＲＮＴＩを用いてＰＤＣＣＨの受信を試みる。その後、前者の場合、仮に前記衝突解決タイマーが満了される前に、自分のＣ−ＲＮＴＩを介してＰＤＣＣＨを受信した場合、端末は、正常にランダムアクセス手順が行われたと判断し、ランダムアクセス手順を終了する。後者の場合には、前記衝突解決タイマーが満了する前に、ＴＣ−ＲＮＴＩを介してＰＤＣＣＨを受信したならば、前記ＰＤＣＣＨが指示するＰＤＳＣＨが伝達するデータを確認する。仮に前記データの内容に自分の固有識別子が含まれているならば、端末は、正常にランダムアクセス手順が行われたと判断し、ランダムアクセス手順を終了する。第４のメッセージを介して端末はＣ−ＲＮＴＩを取得し、その後、端末とネットワークとは、Ｃ−ＲＮＴＩを用いて端末特定メッセージ（ｄｅｄｉｃａｔｅｄ  ｍｅｓｓａｇｅ）を送受信するようになる。
【０１７８】
次に、ランダムアクセスにおいて衝突解決のための方法について説明する。
【０１７９】
ランダムアクセスを行うにあって、衝突が発生する理由は、基本的にランダムアクセスプリアンブルの数が有限なためである。すなわち、基地局は、全ての端末に端末固有のランダムアクセスプリアンブルを与えることができないため、端末は、共通のランダムアクセスプリアンブルのうち、任意的に１つを選択して送信するようになる。これにより、同じ無線資源（ＰＲＡＣＨ資源）を介して２つ以上の端末が同じランダムアクセスプリアンブルを選択して送信するようになる場合が発生するが、基地局では、１つの端末から送信される１つのランダムアクセスプリアンブルとして判断するようになる。これにより、基地局は、ランダムアクセス応答を端末に送信し、ランダムアクセス応答は、１つの端末が受信することと予測する。しかし、上述したように衝突が発生できるので、２つ以上の端末が１つのランダムアクセス応答を受信するようになり、これにより、端末毎に各々ランダムアクセス応答の受信による動作を行うようになる。すなわち、ランダムアクセス応答に含まれた１つのＵＬ  ｇｒａｎｔを用いて、２つ以上の端末が互いに異なるデータを同じ無線資源に送信するようになるという問題が生じる。これにより、前記データの送信は全て失敗することができ、端末の位置または送信パワーによって特定端末のデータのみを基地局で受信することもできる。後者の場合、２つ以上の端末は、全て自分のデータの送信が成功したと仮定するので、基地局は、競争で失敗した端末に失敗事実に関する情報を知らせなければならない。すなわち、前記競争の失敗または成功に関する情報を知らせることを衝突解決（ｃｏｎｔｅｎｔｉｏｎ  ｒｅｓｏｌｕｔｉｏｎ）という。
【０１８０】
衝突解決方法には、２つの方法があるが、１つの方法は、衝突解決タイマー（ｃｏｎｔｅｎｔｉｏｎ  ｒｅｓｏｌｕｔｉｏｎ  ｔｉｍｅｒ）を用いる方法と、他の１つの方法は、成功した端末の識別子を端末に送信する方法である。前者の場合は、端末がランダムアクセス過程前に既に固有のＣ−ＲＮＴＩを有している場合に使用される。すなわち、既にＣ−ＲＮＴＩを有している端末は、ランダムアクセス応答に応じて自分のＣ−ＲＮＴＩを含むデータを基地局に送信し、衝突解決タイマーを作動する。そして、衝突解決タイマーが満了される前に、自分のＣ−ＲＮＴＩにより指示されるＰＤＣＣＨ情報が受信されれば、端末は、自分が競争で成功したと判断し、ランダムアクセスを正常に終えるようになる。逆に、仮に衝突解決タイマーが満了される前に、自分のＣ−ＲＮＴＩにより指示されるＰＤＣＣＨを送信できなかった場合は、自分が競争で失敗したと判断し、ランダムアクセス過程を再度行うか、上位階層に失敗事実を通知することができる。衝突解消方法のうち、後者の場合、すなわち、成功した端末の識別子を送信する方法は、端末がランダムアクセス過程前に固有のセル識別子がない場合に使用される。すなわち、端末自分がセル識別子がない場合、ランダムアクセス応答に含まれたＵＬ  ｇｒａｎｔ情報に応じてデータにセル識別子より上位識別子（Ｓ−ＴＭＳＩまたはｒａｎｄｏｍ  ｎｕｍｂｅｒ）を含んで送信し、端末は、衝突解決タイマーを作動させる。衝突解決タイマーが満了される前に、自分の上位識別子を含むデータがＤＬ−ＳＣＨに送信された場合、端末は、ランダムアクセス過程が成功したと判断する。それに対し、衝突解決タイマーが満了される前に、自分の上位識別子を含むデータをＤＬ−ＳＣＨに送信できなかった場合には、端末は、ランダムアクセス過程が失敗したと判断するようになる。
【０１８１】
一方、非競争基盤任意接続過程での動作は、図８に示された競争基盤任意接続過程とは異なり、第１のメッセージ送信及び第２のメッセージ送信だけで任意接続手順が終了するようになる。ただし、第１のメッセージとして端末が基地局に任意接続プリアンブルを送信する前に、端末は、基地局から任意接続プリアンブルを割り当てられるようになり、この割り当てられた任意接続プリアンブルを基地局に第１のメッセージとして送信し、基地局から任意接続応答を受信することにより、任意接続手順が終了するようになる。
【０１８２】
参照信号（ＲＳ：Ｒｅｆｅｒｅｎｃｅ  Ｓｉｇｎａｌ）
【０１８３】
無線通信システムにおいてデータは、無線チャネルを介して送信されるので、信号は送信中に歪まれることができる。受信端で歪まれた信号を正確に受信するために、受信された信号の歪みは、チャネル情報を利用して補正されなければならない。チャネル情報を検出するために、送信側と受信側とが共に知っている信号送信方法と信号がチャネルを介して送信されるとき、歪まれた程度を用いてチャネル情報を検出する方法を主に利用する。上述した信号をパイロット信号または参照信号（ＲＳ：ｒｅｆｅｒｅｎｃｅ  ｓｉｇｎａｌ）という。
【０１８４】
また、近年、ほとんどの移動通信システムにおいてパケットを送信するとき、今まで１個の送信アンテナと１個の受信アンテナとを使用したことから脱して、多重送信アンテナと多重受信アンテナとを採択して送受信データ効率を向上させることができる方法を使用する。多重入出力アンテナを用いてデータを送受信するとき、信号を正確に受信するために、送信アンテナと受信アンテナとの間のチャネル状態が検出されなければならない。したがって、各送信アンテナは、個別的な参照信号を有さなければならない。
【０１８５】
移動通信システムにおいてＲＳは、その目的によって大きく２つに区分されることができる。チャネル情報取得のための目的のＲＳとデータ復調のために使用されるＲＳとがある。前者は、ＵＥが下向きリンクへのチャネル情報を取得するのにその目的があるので、広帯域に送信されなければならず、特定サブフレームで下向きリンクデータを受信しないＵＥでも、そのＲＳを受信し測定できなければならない。また、これは、ハンドオーバーなどの測定などのためにも使用される。後者は、基地局が下向きリンクを送るとき、当該リソースに共に送るＲＳであって、ＵＥは、当該ＲＳを受信することによってチャネル推定をすることができ、したがって、データを復調できるようになる。このＲＳは、データが送信される領域に送信されなければならない。
【０１８６】
ダウンリンク参照信号は、１つのセル内のすべての端末が共有する共通参照信号（ＣＲＳ：Ｃｏｍｍｏｎ  ＲＳ）と特定端末のみのための専用参照信号（ＤＲＳ：Ｄｅｄｉｃａｔｅｄ  ＲＳ）がある。送信端は、このような参照信号（ＣＲＳ，  ＤＲＳ）を利用して、復調（ｄｅｍｏｄｕｌａｔｉｏｎ）とチャネル測定（ｃｈａｎｎｅｌ  ｍｅａｓｕｒｅｍｅｎｔ）のための情報を受信端に提供できる。
【０１８７】
受信端（例えば、端末）は、ＣＲＳを利用してチャネル状態を測定し、測定されたチャネル状態に応じてＣＱＩ（Ｃｈａｎｎｅｌ  Ｑｕａｌｉｔｙ  Ｉｎｄｉｃａｔｏｒ），ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャネル品質と関連した指示子を送信端（例えば、基地局）にフィードバックできる。本発明の実施の形態においてＣＲＳは、セル特定参照信号（ｃｅｌｌ-ｓｐｅｃｉｆｉｃ  ＲＳ）とも言う。これに対して、チャネル状態情報ＣＳＩのフィードバックと関連した参照信号をＣＳＩ-ＲＳと定義することができる。
【０１８８】
ＤＲＳは、ＰＤＳＣＨ上のデータ復調が必要な場合に、資源要素を介して端末に送信されることができる。端末は、上位階層シグナリングを介してＤＲＳの存在有無を受信することができる。ＤＲＳに相応するＰＤＳＣＨ信号がマッピングされる場合においてのみ有効である。本発明の実施の形態においてＤＲＳを端末特定参照信号（ＵＥ-ｓｐｅｃｉｆｉｃ  ＲＳ）または復調参照信号（ＤＭＲＳ：Ｄｅｍｏｄｕｌａｔｉｏｎ  ＲＳ）とも呼ぶことができる。
【０１８９】
図９は、本発明が適用され得る無線通信システムにおいて下向きリンク資源ブロックペアにマッピングされた参照信号パターンを例示する。
【０１９０】
図９に示すように、参照信号がマッピングされる単位に下向きリンク資源ブロックペアは、時間領域において１つのサブフレーム×周波数領域で１２個の副搬送波で表すことができる。すなわち、時間軸（ｘ軸）上で１つの資源ブロックペアは、一般循環前置（ｎｏｒｍａｌ  ＣＰ：ｎｏｒｍａｌ  Ｃｙｃｌｉｃ  Ｐｒｅｆｉｘ）である場合、１４個のＯＦＤＭシンボルの長さを有し（図９（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）である場合、１２個のＯＦＤＭシンボルの長さを有する（図９（ｂ）の場合）。資源ブロック格子において「０」、「１」、「２」、及び「３」として記載された資源要素（ＲＥｓ）は、各々アンテナポートインデックス「０」、「１」、「２」、及び「３」のＣＲＳの位置を意味し、「Ｄ」として記載された資源要素は、ＤＲＳの位置を意味する。
【０１９１】
以下、ＣＲＳについてさらに詳しく記述すれば、ＣＲＳは、物理的アンテナのチャネルを推定するために使用され、セル内に位置した全ての端末に共通的に受信され得る参照信号として全体周波数帯域に分布される。すなわち、このＣＲＳは、ｃｅｌｌ−ｓｐｅｃｉｆｉｃなシグナルであって、広帯域に対してサブフレーム毎に送信される。また、ＣＲＳは、チャネル品質情報ＣＳＩ及びデータ復調のために用いられることができる。
【０１９２】
ＣＲＳは、送信側（基地局）でのアンテナ配列によって様々なフォーマットで定義される。３ＧＰＰ  ＬＴＥシステム（例えば、リリース−８）では、基地局の送信アンテナ個数によって最大４個のアンテナポートに対するＲＳが送信される。下向きリンク信号送信側は、単一の送信アンテナ、２個の送信アンテナ、及び４個の送信アンテナのように、３つの種類のアンテナ配列を有する。例えば、基地局の送信アンテナの個数が２個である場合、０番と１番のアンテナポートに対するＣＲＳが送信され、４個である場合、０〜３番のアンテナポートに対するＣＲＳが各々送信される。基地局の送信アンテナが４個である場合、１つのＲＢでのＣＲＳパターンは、図９のとおりである。
【０１９３】
基地局が単一の送信アンテナを使用する場合、単一アンテナポートのための参照信号が配列される。
【０１９４】
基地局が２個の送信アンテナを使用する場合、２個の送信アンテナポートのための参照信号は、時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を利用して配列される。すなわち、２個のアンテナポートのための参照信号は、各々が区別されるために、互いに異なる時間資源及び／又は互いに異なる周波数資源が割り当てられる。
【０１９５】
さらに、基地局が４個の送信アンテナを使用する場合、４個の送信アンテナポートのための参照信号は、ＴＤＭ及び／又はＦＤＭ方式を利用して配列される。下向きリンク信号の受信側（端末）によって測定されたチャネル情報は、単一の送信アンテナ送信、送信ダイバーシティ、閉鎖ループ空間多重化（ｃｌｏｓｅｄ−ｌｏｏｐ  ｓｐａｔｉａｌ  ｍｕｌｔｉｐｌｅｘｉｎｇ）、開放ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（Ｍｕｌｔｉ−Ｕｓｅｒ  ＭＩＭＯ）のような送信方式を利用して送信されたデータを復調するために使用されることができる。
【０１９６】
多重入出力アンテナが支援される場合、参照信号が特定のアンテナポートから送信されるとき、前記参照信号は、参照信号のパターンによって特定された資源要素の位置に送信され、他のアンテナポートのために特定された資源要素の位置に送信されない。すなわち、互いに異なるアンテナ間の参照信号は、互いに重ならない。
【０１９７】
以下、ＤＲＳについてさらに詳しく記述すれば、ＤＲＳは、データを復調するために使用される。多重入出力アンテナ送信において特定の端末のために使用される先行符号化（ｐｒｅｃｏｄｉｎｇ）加重値は、端末が参照信号を受信したとき、各送信アンテナで送信された送信チャネルと結合されて相応するチャネルを推定するために変更無しで使用される。
【０１９８】
３ＧＰＰ  ＬＴＥシステム（例えば、リリース−８）は、最大４個の送信アンテナを支援し、ランク１ビームフォーミング（ｂｅａｍｆｏｒｍｉｎｇ）のためのＤＲＳが定義される。ランク１ビームフォーミングのためのＤＲＳは、さらにアンテナポートインデックス５のための参照信号を表す。
【０１９９】
ＬＴＥシステムの進化発展した形態のＬＴＥ−Ａシステムにおいて基地局の下向きリンクに最大８個の送信アンテナを支援できるようにデザインされなければならない。したがって、最大８個の送信アンテナに対するＲＳも支援されなければならない。ＬＴＥシステムにおいて下向きリンクＲＳは、最大４個のアンテナポートに対するＲＳのみ定義されているので、ＬＴＥ−Ａシステムにおいて基地局が４個以上、最大８個の下向きリンク送信アンテナを有する場合、これらのアンテナポートに対するＲＳが追加的に定義され、デザインされなければならない。最大８個の送信アンテナポートに対するＲＳは、上記で説明したチャネル測定のためのＲＳとデータ復調のためのＲＳとの２つが共にデザインされなければならない。
【０２００】
ＬＴＥ−Ａシステムをデザインするにあって重要な考慮事項のうちの１つは、下位互換性（ｂａｃｋｗａｒｄ  ｃｏｍｐａｔｉｂｉｌｉｔｙ）、すなわち、ＬＴＥ端末がＬＴＥ−Ａシステムでも何らの無理もなくよく動作しなければならず、システムもこれを支援しなければならないということである。ＲＳ送信観点から見たとき、ＬＴＥで定義されているＣＲＳが全帯域にサブフレーム毎に送信される時間−周波数領域で追加的に最大８個の送信アンテナポートに対するＲＳが定義されなければならない。ＬＴＥ−Ａシステムにおいて既存のＬＴＥのＣＲＳのような方式で最大８個の送信アンテナに対するＲＳパターンをサブフレーム毎に全帯域に追加するようになると、ＲＳオーバーヘッドが過度に大きくなる。
【０２０１】
したがって、ＬＴＥ−Ａシステムにおいて新しくデザインされるＲＳは、大別して２つの分類に分けられるようになるが、ＭＣＳ、ＰＭＩなどの選択のためのチャネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳ等）と８個の送信アンテナに送信されるデータ復調のためのＲＳ（ＤＭ−ＲＳ：Ｄａｔａ  Ｄｅｍｏｄｕｌａｔｉｏｎ−ＲＳ）である。
【０２０２】
チャネル測定目的のＣＳＩ−ＲＳは、既存のＣＲＳがチャネル測定、ハンドオーバーなどの測定などの目的と同時に、データ復調のために使用されることとは異なり、チャネル測定中心の目的のためにデザインされるという特徴がある。もちろん、これもまたハンドオーバーなどの測定などの目的でも使用されることができる。ＣＳＩ−ＲＳがチャネル状態に関する情報のみを得る目的で送信されるので、ＣＲＳとは異なり、サブフレーム毎に送信されなくても良い。ＣＳＩ−ＲＳのオーバーヘッドを減らすために、ＣＳＩ−ＲＳは、時間軸上で間歇的に送信される。
【０２０３】
データ復調のために、当該時間−周波数領域でスケジューリングされたＵＥに専用的（ｄｅｄｉｃａｔｅｄ）にＤＭ−ＲＳが送信される。すなわち、特定ＵＥのＤＭ−ＲＳは、当該ＵＥがスケジューリングされた領域、すなわちデータを受信する時間−周波数領域のみに送信される。
【０２０４】
ＬＴＥ−ＡシステムにおいてｅＮＢは、全てのアンテナポートに対するＣＳＩ−ＲＳを送信しなければならない。最大８個の送信アンテナポートに対するＣＳＩ−ＲＳをサブフレーム毎に送信することは、オーバーヘッドが大きすぎるという短所があるので、ＣＳＩ−ＲＳは、サブフレーム毎に送信されずに、時間軸で間歇的に送信されてこそ、そのオーバーヘッドを減らすことができる。すなわち、ＣＳＩ−ＲＳは、１つのサブフレームの整数倍の周期を有して周期的に送信されたり、特定送信パターンで送信されることができる。このとき、ＣＳＩ−ＲＳが送信される周期やパターンは、ｅＮＢが設定できる。
【０２０５】
ＣＳＩ−ＲＳを測定するために、ＵＥは、必ず自分の属したセルのそれぞれのＣＳＩ−ＲＳアンテナポートに対するＣＳＩ−ＲＳの送信サブフレームインデックス、送信サブフレーム内でＣＳＩ−ＲＳ資源要素（ＲＥ）時間−周波数位置、そして、ＣＳＩ−ＲＳシーケンス等に関する情報を知っていなければならない。
【０２０６】
ＬＴＥ−ＡシステムにおいてｅＮＢは、ＣＳＩ−ＲＳを最大８個のアンテナポートに対して各々送信しなければならない。互いに異なるアンテナポートのＣＳＩ−ＲＳ送信のために使用される資源は、互いに直交（ｏｒｔｈｏｇｏｎａｌ）しなければならない。１つのｅＮＢが互いに異なるアンテナポートに対するＣＳＩ−ＲＳを送信するとき、それぞれのアンテナポートに対するＣＳＩ−ＲＳを互いに異なるＲＥにマッピングすることにより、ＦＤＭ／ＴＤＭ方式でこれらの資源を直交（ｏｒｔｈｏｇｏｎａｌ）して割り当てることができる。または、互いに異なるアンテナポートに対するＣＳＩ−ＲＳを互いに直交（ｏｒｔｈｏｇｏｎａｌ）したコードにマッピングさせるＣＤＭ方式で送信することができる。
【０２０７】
ＣＳＩ−ＲＳに関する情報をｅＮＢが自分のセルＵＥに知らせるとき、まず、各アンテナポートに対するＣＳＩ−ＲＳがマッピングされる時間−周波数に関する情報を知らせるべきである。具体的には、ＣＳＩ−ＲＳが送信されるサブフレーム番号、またはＣＳＩ−ＲＳが送信される周期、ＣＳＩ−ＲＳが送信されるサブフレームオフセットであり、特定アンテナのＣＳＩ−ＲＳ  ＲＥが送信されるＯＦＤＭシンボル番号、周波数間隔（ｓｐａｃｉｎｇ）、周波数軸でのＲＥのオフセットまたはシフト値などがある。
【０２０８】
ＣＳＩ−ＲＳは、１個、２個、４個、または８個のアンテナポートを介して送信される。このとき、使用されるアンテナポートは、各々ｐ＝１５、ｐ＝１５、１６、ｐ＝１５、．．．、１８、ｐ＝１５、．．．、２２である。ＣＳＩ−ＲＳは、サブキャリア間隔Δｆ＝１５ｋＨｚに対してのみ定義されることができる。
【０２０９】
（ｋ´、ｌ´）（ここで、ｋ´は、資源ブロック内の副搬送波インデックスであり、ｌ´は、スロット内のＯＦＤＭシンボルインデックスを表す。）及びｎ＿ｓの条件は、下記の表３または表４のようなＣＳＩ−ＲＳ設定（ｃｏｎｆｉｇｕｒａｔｉｏｎ）によって決定される。
【０２１０】
表３は、一般ＣＰにおいてＣＳＩ−ＲＳ構成から（ｋ´、ｌ´）のマッピングを例示する。
【０２１１】
【表３】
2020074542.tif 000018
【０２１２】
表４は、拡張ＣＰにおいてＣＳＩ−ＲＳ構成から（ｋ´、ｌ´）のマッピングを例示する。
【０２１３】
【表４】
2020074542.tif 000019
【０２１４】
表３及び表４を参照すれば、ＣＳＩ−ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０２１５】
ＣＳＩ−ＲＳ構成は、セル内のアンテナポートの個数及びＣＰによって互いに異なり、隣接したセルは、最大限に互いに異なる構成を有することができる。また、ＣＳＩ−ＲＳ構成は、フレーム構造によってＦＤＤフレームとＴＤＤフレームとの両方に適用する場合とＴＤＤフレームのみに適用する場合とに分けられることができる。
【０２１６】
表３及び表４に基づき、ＣＳＩ−ＲＳ構成によって（ｋ´、ｌ´）及びｎ＿ｓが決められ、各ＣＳＩ−ＲＳアンテナポートがＣＳＩ−ＲＳ送信に用いる時間−周波数資源が決定される。
【０２１７】
図１０は、本発明が適用され得る無線通信システムにおけるＣＳＩ−ＲＳ構成を例示する図である。
【０２１８】
図１０（ａ）は、１個または２個のＣＳＩ−ＲＳアンテナポートによるＣＳＩ−ＲＳ送信に使用可能な２０つのＣＳＩ−ＲＳ構成を示したものであり、図１０（ｂ）は、４個のＣＳＩ−ＲＳアンテナポートにより使用可能な１０つのＣＳＩ−ＲＳ構成を示したものであり、図１０（ｃ）は、８個のＣＳＩ−ＲＳアンテナポートによりＣＳＩ−ＲＳ送信に使用可能な５つのＣＳＩ−ＲＳ構成を示したものである。
【０２１９】
このように、各ＣＳＩ−ＲＳ構成によってＣＳＩ−ＲＳが送信される無線資源（すなわち、ＲＥペア）が決定される。
【０２２０】
特定セルに対してＣＳＩ−ＲＳ送信のために、１個あるいは２個のアンテナポートが設定されれば、図１０（ａ）に示された２０つのＣＳＩ−ＲＳ構成のうち、設定されたＣＳＩ−ＲＳ構成による無線資源上でＣＳＩ−ＲＳが送信される。
【０２２１】
同様に、特定セルに対してＣＳＩ−ＲＳ送信のために４個のアンテナポートが設定されれば、図１０（ｂ）に示された１０つのＣＳＩ−ＲＳ構成のうち、設定されたＣＳＩ−ＲＳ構成による無線資源上でＣＳＩ−ＲＳが送信される。また、特定セルに対してＣＳＩ−ＲＳ送信のために８個のアンテナポートが設定されれば、図１０（ｃ）に示された５つのＣＳＩ−ＲＳ構成のうち、設定されたＣＳＩ−ＲＳ構成による無線資源上でＣＳＩ−ＲＳが送信される。
【０２２２】
２個のアンテナポート別（すなわち、｛１５、１６｝、｛１７、１８｝、｛１９、２０｝、｛２１、２２｝）にそれぞれのアンテナポートに対するＣＳＩ−ＲＳは、同じ無線資源にＣＤＭされて送信される。アンテナポート１５及び１６を、例えば、アンテナポート１５及び１６に対するそれぞれのＣＳＩ−ＲＳ複素シンボルは同一であるが、互いに異なる直交コード（例えば、ウォルシュコード（ｗａｌｓｈ  ｃｏｄｅ）がかけられて同じ無線資源にマッピングされる。アンテナポート１５に対するＣＳＩ−ＲＳの複素シンボルには［１、１］がかけられ、アンテナポート１６に対するＣＳＩ−ＲＳの複素シンボルには［１、−１］がかけられて、同じ無線資源にマッピングされる。これは、アンテナポート｛１７、１８｝、｛１９、２０｝、｛２１、２２｝も同様である。
【０２２３】
ＵＥは、送信されたシンボルにかけられたコードをかけて、特定アンテナポートに対するＣＳＩ−ＲＳを検出できる。すなわち、アンテナポート１５に対するＣＳＩ−ＲＳを検出するためにかけられたコード［１、１］をかけ、アンテナポート１６に対するＣＳＩ−ＲＳを検出するためにかけられたコード［１、−１］をかける。
【０２２４】
図１０（ａ）〜（ｃ）に示すように、同じＣＳＩ−ＲＳ構成インデックスに該当すれば、アンテナポート数が多いＣＳＩ−ＲＳ構成による無線資源は、ＣＳＩ−ＲＳアンテナポート数が少ないＣＳＩ−ＲＳ構成による無線資源を含む。例えば、ＣＳＩ−ＲＳ構成が０である場合、８個のアンテナポート数に対する無線資源は、４個のアンテナポート数に対する無線資源と１または２個のアンテナポート数に対する無線資源を全て含む。
【０２２５】
１つのセルで複数のＣＳＩ−ＲＳ構成が使用され得る。ノン−ゼロ電力（ＮＺＰ：ｎｏｎ−ｚｅｒｏ  ｐｏｗｅｒ）ＣＳＩ−ＲＳは、０個または１個のＣＳＩ−ＲＳ構成のみが用いられ、ゼロ電力（ＺＰ：ｚｅｒｏ  ｐｏｗｅｒ）ＣＳＩ−ＲＳは、０個または複数個のＣＳＩ−ＲＳ構成が用いられ得る。
【０２２６】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは、上記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は、最も低いＣＳＩ−ＲＳ構成インデックスに該当し、ビットマップ内でその次のビットは、順に次のＣＳＩ−ＲＳ構成インデックスに該当する。
【０２２７】
ＣＳＩ−ＲＳは、上記の表３及び表４において（ｎ＿ｓ  ｍｏｄ２）の条件を満たす下向きリンクスロット及びＣＳＩ−ＲＳサブフレーム構成を満たすサブフレームのみで送信される。
【０２２８】
フレーム構造タイプ２（ＴＤＤ）の場合、スペシャルサブフレーム、同期信号（ＳＳ）、ＰＢＣＨまたはＳＩＢ１（ＳｙｓｔｅｍＩｎｆｏｒｍａｔｉｏｎＢｌｏｃｋＴｙｐｅ１）メッセージ送信と衝突されるサブフレームまたはページングメッセージ送信のために設定されたサブフレームでＣＳＩ−ＲＳは送信されない。
【０２２９】
また、アンテナポートセットＳ（Ｓ＝｛１５｝、Ｓ＝｛１５、１６｝、Ｓ＝｛１７、１８｝、Ｓ＝｛１９、２０｝、またはＳ＝｛２１、２２｝）内に属するいかなるアンテナポートに対するＣＳＩ−ＲＳが送信されるＲＥは、ＰＤＳＣＨまたは他のアンテナポートのＣＳＩ−ＲＳ送信に使用されない。
【０２３０】
ＣＳＩ−ＲＳ送信に使用される時間−周波数資源は、データ送信に使用されることができないので、ＣＳＩ−ＲＳオーバーヘッドが増加するほど、データ処理量（ｔｈｒｏｕｇｈｐｕｔ）が減少するようになる。これを考慮してＣＳＩ−ＲＳは、サブフレーム毎に送信されるように構成されず、複数のサブフレームに該当する所定の送信周期毎に送信されるように構成される。この場合、サブフレーム毎にＣＳＩ−ＲＳが送信される場合に比べてＣＳＩ−ＲＳ送信オーバーヘッドが低すぎるようになり得る。
【０２３１】
ＣＳＩ−ＲＳ送信のためのサブフレーム周期（以下、「ＣＳＩ送信周期」と称する）（Ｔ＿ＣＳＩ−ＲＳ）及びサブフレームオフセット（Δ＿ＣＳＩ−ＲＳ）は、下記の表５のとおりである。
【０２３２】
表５は、ＣＳＩ−ＲＳサブフレーム構成を例示する。
【０２３３】
【表５】
2020074542.tif 000020
【０２３４】
表５を参照すれば、ＣＳＩ−ＲＳサブフレーム構成（Ｉ＿ＣＳＩ−ＲＳ）によってＣＳＩ−ＲＳ送信周期（Ｔ＿ＣＳＩ−ＲＳ）及びサブフレームオフセット（Δ＿ＣＳＩ−ＲＳ）が決定される。
【０２３５】
表５のＣＳＩ−ＲＳサブフレーム構成は、先の「ＳｕｂｆｒａｍｅＣｏｎｆｉｇ」フィールド及び「ｚｅｒｏＴｘＰｏｗｅｒＳｕｂｆｒａｍｅＣｏｎｆｉｇ」フィールドのうち、いずれか１つに設定されることができる。ＣＳＩ−ＲＳサブフレーム構成は、ＮＺＰ  ＣＳＩ−ＲＳ及びＺＰ  ＣＳＩ−ＲＳに対して個別的に（ｓｅｐａｒａｔｅｌｙ）設定されることができる。
【０２３６】
ＣＳＩ−ＲＳを含むサブフレームは、下記の数式１２を満たす。
【０２３７】
【数１２】
2020074542.tif 000021
【０２３８】
数式１２においてＴ＿ＣＳＩ−ＲＳは、ＣＳＩ−ＲＳ送信周期、Δ＿ＣＳＩ−ＲＳは、サブフレームオフセット値、ｎ＿ｆは、システムフレームナンバー、ｎ＿ｓは、スロットナンバーを意味する。
【０２３９】
サービングセルに対して送信モード９（ｔｒａｎｓｍｉｓｓｉｏｎ  ｍｏｄｅ９）が設定されたＵＥの場合、ＵＥは、１つのＣＳＩ−ＲＳ資源構成が設定され得る。サービングセルに対して送信モード１０（ｔｒａｎｓｍｉｓｓｉｏｎ  ｍｏｄｅ１０）が設定されたＵＥの場合、ＵＥは、１つまたはそれ以上のＣＳＩ−ＲＳ資源構成（等）が設定され得る。
【０２４０】
各ＣＳＩ−ＲＳ資源構成のために、下記のようにパラメータが上位階層シグナリングを介して設定される。
【０２４１】
・送信モード１０が設定された場合、ＣＳＩ−ＲＳ資源構成識別子
【０２４２】
・ＣＳＩ−ＲＳポート個数
【０２４３】
・ＣＳＩ−ＲＳ構成（表３及び表４参照）
【０２４４】
・ＣＳＩ−ＲＳサブフレーム構成（Ｉ＿ＣＳＩ−ＲＳ）（表５参照）
【０２４５】
・送信モード９が設定された場合、ＣＳＩフィードバックのための送信パワー（Ｐ＿Ｃ）
【０２４６】
・送信モード１０が設定された場合、各ＣＳＩプロセスに対してＣＳＩフィードバックのための送信パワー（Ｐ＿Ｃ）。ＣＳＩプロセスに対してＣＳＩサブフレームセットのＣ＿ＣＳＩ、０及びＣ＿ＣＳＩ、１が上位階層により設定されれば、Ｐ＿Ｃは、ＣＳＩプロセスの各ＣＳＩサブフレームセット別に設定される。
【０２４７】
・任意ランダム（ｐｓｅｕｄｏ−ｒａｎｄｏｍ）シーケンス発生器パラメータ（ｎ＿ＩＤ）
【０２４８】
・送信モード１０が設定された場合、ＱＣＬ（ＱｕａｓｉＣｏ−Ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（「ｑｃｌ−ＣＲＳ−Ｉｎｆｏ−ｒ１１））
【０２４９】
ＵＥが導き出したＣＳＩフィードバック値が［−８、１５］ｄＢ範囲内の値を有するとき、Ｐ＿Ｃは、ＣＳＩ−ＲＳ  ＥＰＲＥに対するＰＤＳＣＨ  ＥＰＲＥの割合に仮定される。ここで、ＰＤＳＣＨ  ＥＰＲＥは、ＣＲＳ  ＥＰＲＥに対するＰＤＳＣＨ  ＥＰＲＥの割合がρ＿Ａであるシンボルに該当する。
【０２５０】
サービングセルの同じサブフレームでＣＳＩ−ＲＳとＰＭＣＨとが共に設定されない。
【０２５１】
フレーム構造タイプ２において４個のＣＲＳアンテナポートが設定された場合、ＵＥは、一般ＣＰの場合、［２０−３１］セット（表３参照）または拡張ＣＰの場合、［１６−２７］セット（表４参照）に属するＣＳＩ−ＲＳ構成インデックスが設定されない。
【０２５２】
ＵＥは、ＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０２５３】
送信モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係であると仮定することができる。
【０２５４】
送信モード１０が設定されたＵＥの場合、サービングセルに対して１つまたはそれ以上のＣＳＩ−ＩＭ（Ｃｈａｎｎｅｌ−Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）資源構成が設定され得る。
【０２５５】
上位階層シグナリングを介して各ＣＳＩ−ＩＭ資源構成のために、下記のようなパラメータが設定され得る。
【０２５６】
・ＺＰ  ＣＳＩ−ＲＳ構成（表３及び表４参照）
【０２５７】
・ＺＰ  ＣＳＩ  ＲＳサブフレーム構成（Ｉ＿ＣＳＩ−ＲＳ）（表５参照）
【０２５８】
ＣＳＩ−ＩＭ資源構成は、設定されたＺＰ  ＣＳＩ−ＲＳ資源構成のうち、いずれか１つと同一である。
【０２５９】
サービングセルの同じサブフレーム内のＣＳＩ−ＩＭ資源とＰＭＣＨとが同時に設定されない。
【０２６０】
送信モード１−９が設定されたＵＥの場合、サービングセルに対してＵＥは、１つのＺＰ  ＣＳＩ−ＲＳ資源構成が設定され得る。送信モード１０が設定されたＵＥの場合、サービングセルに対してＵＥは、１つまたはそれ以上のＺＰ  ＣＳＩ−ＲＳ資源構成が設定され得る。
【０２６１】
上位階層シグナリングを介してＺＰ  ＣＳＩ−ＲＳ資源構成のために、下記のようなパラメータが設定され得る。
【０２６２】
・ＺＰ  ＣＳＩ−ＲＳ構成リスト（表３及び表４参照）
【０２６３】
・ＺＰ  ＣＳＩ−ＲＳサブフレーム構成（Ｉ＿ＣＳＩ−ＲＳ）（表５参照）
【０２６４】
サービングセルの同じサブフレームでＺＰ  ＣＳＩ−ＲＳとＰＭＣＨとが同時に設定されない。
【０２６５】
セル測定（Ｃｅｌｌ  Ｍｅａｓｕｒｅｍｅｎｔ）／測定報告（Ｍｅａｓｕｒｅｍｅｎｔ  Ｒｅｐｏｒｔ）
【０２６６】
端末の移動性（ｍｏｂｉｌｉｔｙ）保障のための種々の方法（ハンドオーバー、ランダムアクセス、セル探索等）のうち、１つまたはその種々の方法のためにＵＥは、セル測定（ｃｅｌｌ  ｍｅａｓｕｒｅｍｅｎｔ）した結果を基地局（あるいは、ネットワーク）に報告する。
【０２６７】
３ＧＰＰ  ＬＴＥ／ＬＴＥ−Ａシステムでセル特定参照信号（ＣＲＳ）は、時間軸に各サブフレーム内の０、４、７、１１番目のＯＦＤＭシンボルを介して送信され、これは、セル測定（ｃｅｌｌ  ｍｅａｓｕｒｅｍｅｎｔ）のために基本的に使用される。すなわち、端末は、サービングセル（ｓｅｒｖｉｎｇ  ｃｅｌｌ）と隣接セル（ｎｅｉｇｈｂｏｒ  ｃｅｌｌ）から各々受信されるＣＲＳを用いてセル測定を行う。
【０２６８】
セル測定（ｃｅｌｌ  ｍｅａｓｕｒｅｍｅｎｔ）は、サービングセル及び隣接セルの信号強度あるいは総受信電力に対する信号強度などを測定する参照信号受信電力（ＲＳＲＰ：Ｒｅｆｅｒｅｎｃｅ  Ｓｉｇｎａｌ  ｒｅｃｅｉｖｅ  ｐｏｗｅｒ）、受信信号強度（ＲＳＳＩ：Ｒｅｃｅｉｖｅｄ  ｓｉｇｎａｌ  ｓｔｒｅｎｇｔｈ  ｉｎｄｉｃａｔｏｒ）、参照信号受信品質（ＲＳＲＱ：Ｒｅｆｅｒｅｎｃｅ  Ｓｉｇｎａｌ  ｒｅｃｅｉｖｅｄ  ｑｕａｌｉｔｙ）などのＲＲＭ（Ｒａｄｉｏ  ｒｅｓｏｕｒｃｅ  ｍａｎａｇｅｍｅｎｔ）測定とサービングセルとのリンク品質を測定してラジオリンク失敗（ｒａｄｉｏ  ｌｉｎｋ  ｆａｉｌｕｒｅ）可否を評価できるＲＬＭ（Ｒａｄｉｏ  Ｌｉｎｋ  Ｍｏｎｉｔｏｒｉｎｇ）測定を含む概念である。
【０２６９】
ＲＳＲＰは、測定周波数帯域内でＣＲＳが送信されるＲＥの電力分配の線形平均である。ＲＳＲＰ決定のために、アンテナポート「０」に該当するＣＲＳ（Ｒ０）が使用され得る。また、ＲＳＲＰ決定のために、アンテナポート「１」に該当するＣＲＳ（Ｒ１）が追加に使用されることもできる。ＲＳＲＰを決定するために、ＵＥによって用いられる測定周波数帯域及び測定区間内で用いるＲＥの数は、当該測定正確度要求（ａｃｃｕｒａｃｙ  ｒｅｑｕｉｒｅｍｅｎｔｓ）が満たされる限度でＵＥが決定できる。また、ＲＥ当たりの電力は、循環前置（ＣＰ）を除いたシンボルの残りの部分内で受信したエネルギーから決定されることができる。
【０２７０】
ＲＳＳＩは、測定帯域内でアンテナポート「０」に該当するＲＳを含むＯＦＤＭシンボルで同一チャネル（ｃｏ−ｃｈａｎｎｅｌ）のサービングセル（ｓｅｒｖｉｎｇ  ｃｅｌｌ）とノン−サービングセル（ｎｏｎ−ｓｅｒｖｉｎｇ  ｃｅｌｌ）、隣接チャネルからの干渉、熱雑音（ｔｈｅｒｍａｌ  ｎｏｉｓｅ）などを含む当該ＵＥにより全てのソースから感知された総受信電力の線形平均で導き出される。上位階層シグナリングによってＲＳＲＱ測定を行うための特定サブフレームが指示される場合、ＲＳＳＩは、指示されたサブフレーム内の全てのＯＦＤＭシンボルを介して測定される。
【０２７１】
ＲＳＲＱは、Ｎ×ＲＳＲＰ／ＲＳＳＩに導き出される。ここで、Ｎは、ＲＳＳＩ測定帯域幅のＲＢ個数を意味する。また、上記の式で分子及び分母の測定は、同じＲＢのセットで求められることができる。
【０２７２】
基地局は、上位階層シグナリング（例えば、ＲＲＣ連結再構成（ＲＲＣ  Ｃｏｎｎｅｃｔｉｏｎ  Ｒｅｃｏｎｆｉｇｕｒａｔｉｏｎ）メッセージ）を介してＵＥに測定（ｍｅａｓｕｒｅｍｅｎｔ）のための設定情報を伝達できる。
【０２７３】
ＲＲＣ連結再構成メッセージは、無線資源構成専用（「ｒａｄｉｏＲｅｓｏｕｒｃｅＣｏｎｆｉｇＤｅｄｉｃａｔｅｄ」）情報要素（ＩＥ：Ｉｎｆｏｒｍａｔｉｏｎ  Ｅｌｅｍｅｎｔ）と、測定設定（「ｍｅａｓＣｏｎｆｉｇ））ＩＥを含む。
【０２７４】
「ｍｅａｓＣｏｎｆｉｇ」ＩＥは、ＵＥにより行われなければならない測定を特定し、測定ギャップ（ｍｅａｓｕｒｅｍｅｎｔ  ｇａｐ）の構成だけでなく、イントラ−周波数（ｉｎｔｒａ−ｆｒｅｑｕｅｎｃｙ）移動性、インター−周波数（ｉｎｔｅｒ−ｆｒｅｑｕｅｎｃｙ）移動性、インター−ＲＡＴ（ｉｎｔｅｒ−ＲＡＴ）移動性のための設定情報を含む。
【０２７５】
特に、「ｍｅａｓＣｏｎｆｉｇ」ＩＥは、測定で除去される測定対象（「ｍｅａｓＯｂｊｅｃｔ」）のリストを表す「ｍｅａｓＯｂｊｅｃｔＴｏＲｅｍｏｖｅＬｉｓｔ」と、新しく追加されたり、修正されるリストを表す「ｍｅａｓＯｂｊｅｃｔＴｏＡｄｄＭｏｄＬｉｓｔ」が含まれる。また、「ｍｅａｓＯｂｊｅｃｔ」には、通信技術によって「ＭｅａｓＯｂｊｅｃｔＣＤＭＡ２０００」、「ＭｅａｓＯｂｊｃｔＥＵＴＲＡ」、「ＭｅａｓＯｂｊｅｃｔＧＥＲＡＮ」などが含まれる。
【０２７６】
「ＲａｄｉｏＲｅｓｏｕｒｃｅＣｏｎｆｉｇＤｅｄｉｃａｔｅｄ」ＩＥは、無線ベアラー（Ｒａｄｉｏ  Ｂｅａｒｅｒ）を設定／変更／解除（ｓｅｔｕｐ／ｍｏｄｉｆｙ／ｒｅｌｅａｓｅ）したり、ＭＡＣメイン構成を変更したり、半永続スケジューリング（ＳＰＳ：Ｓｅｍｉ−Ｐｅｒｓｉｓｔｅｎｔ  Ｓｃｈｅｄｕｌｉｎｇ）設定を変更したり、及び専用物理的設定（ｄｅｄｉｃａｔｅｄ  ｐｈｙｓｉｃａｌ  ｃｏｎｆｉｇｕｒａｔｉｏｎ）を変更するために使用される。
【０２７７】
「ＲａｄｉｏＲｅｓｏｕｒｃｅＣｏｎｆｉｇＤｅｄｉｃａｔｅｄ」ＩＥは、サービングセル測定のための時間領域測定資源制限パターン（ｔｉｍｅ  ｄｏｍａｉｎ  ｍｅａｓｕｒｅｍｅｎｔ  ｒｅｓｏｕｒｃｅ  ｒｅｓｔｒｉｃｔｉｏｎ  ｐａｔｔｅｒｎ）を指示する「ｍｅａｓＳｕｂｆｒａｍｅＰａｔｔｅｒｎ−Ｓｅｒｖ」フィールドを含む。また、ＵＥにより測定される隣接セルを指示する「ｍｅａｓＳｕｂｆｒａｍｅＣｅｌｌＬｉｓｔ」と隣接セル測定のための時間領域測定資源制限パターンを指示する「ｍｅａｓＳｕｂｆｒａｍｅＰａｔｔｅｒｎ−Ｎｅｉｇｈ」とを含む。
【０２７８】
測定セル（サービングセル及び隣接セルを含む）のために設定された時間領域測定資源制限パターン（ｔｉｍｅ  ｄｏｍａｉｎ  ｍｅａｓｕｒｅｍｅｎｔ  ｒｅｓｏｕｒｃｅ  ｒｅｓｔｒｉｃｔｉｏｎ  ｐａｔｔｅｒｎ）は、ＲＳＲＱ測定を行うための無線フレーム当たり、少なくとも１つのサブフレームを指示できる。測定セルのために設定された時間領域測定資源制限パターンによって指示されたサブフレーム以外では、ＲＳＲＱ測定が行われない。
【０２７９】
このように、ＵＥ（例えば、３ＧＰＰ  Ｒｅｌ−１０）は、サービングセル測定のためのサブフレームパターン（「ｍｅａｓＳｕｂｆｒａｍｅＰａｔｔｅｒｎ−Ｓｅｒｖ」）及び隣接セル測定のためのサブフレームパターン（「ｍｅａｓＳｕｂｆｒａｍｅＰａｔｔｅｒｎ−Ｎｅｉｇｈ」）により設定された区間のみでＲＳＲＱが測定されなければならない。
【０２８０】
ただし、ＲＳＲＰは、このようなパターン内の測定が制約されていないが、正確度要求（ａｃｃｕｒａｃｙ  ｒｅｑｕｉｒｅｍｅｎｔ）のためには、このようなパターン内のみで測定されることが好ましい。
【０２８１】
マッシブＭＩＭＯ（Ｍａｓｓｉｖｅ  ＭＩＭＯ）
【０２８２】
ＬＴＥリリース（Ｒｅｌ：ｒｅｌｅａｓｅ）-１２以後の無線通信システムでは、能動アンテナシステム（ＡＡＳ：Ａｃｔｉｖｅ  Ａｎｔｅｎｎａ  Ｓｙｓｔｅｍ）の導入が考慮されている。
【０２８３】
信号の位相及び大きさを調整することができる増幅器とアンテナが分離されている従来の受動アンテナシステムとは異なり、ＡＡＳは、各々のアンテナが増幅器のような能動素子を含むように構成されたシステムを意味する。
【０２８４】
ＡＡＳは、能動アンテナの使用によって増幅器とアンテナを接続するための別のケーブル、コネクター、その他のハードウェアなどを必要とせずに、したがって、エネルギー及び運用費用の側面で効率性が高いという特徴を有する。特に、ＡＡＳは、各アンテナ別電子式ビーム制御（ｅｌｅｃｔｒｏｎｉｃ  ｂｅａｍ  ｃｏｎｔｒｏｌ）方式を支援するから、ビーム方向及びビーム幅を考慮した精巧なビームパターン形成または３次元ビームパターンを形成する等の進歩したＭＩＭＯ技術を可能にする。
【０２８５】
ＡＡＳの進歩したアンテナシステムの導入で多数の入出力アンテナと多次元アンテナ構造を有する大規模ＭＩＭＯ構造もまた考慮されている。一例として、従来の一字型アンテナ配列と異なり、２次元アンテナ配列を形成する場合、ＡＡＳの能動アンテナにより３次元ビームパターンを形成できる。
【０２８６】
図１１は、本発明が適用されることができる６４個のアンテナ要素を有する２Ｄ能動アンテナシステムの一例を示した図である。
【０２８７】
図１１に示すように、一般的な２次元アンテナ配列として
2020074542.tif 000022
個のアンテナが正方形の模様を有する場合を考慮することができる。
【０２８８】
ここで、
2020074542.tif 000023
は、水平方向にアンテナ列の数を
2020074542.tif 000024
は、垂直方向にアンテナ行の数を示す。
【０２８９】
送信アンテナ観点で前記３次元ビームパターンを活用する場合、ビームの水平方向だけでなく垂直方向への準-静的または動的なビーム形成を行うことができ、一例として垂直方向のセクター形成などの応用を考慮できる。
【０２９０】
また、受信アンテナ観点では、大規模受信アンテナを活用して受信ビームを形成するとき、アンテナ配列利得（ａｎｔｅｎｎａ  ａｒｒａｙ  ｇａｉｎ）に応じる信号電力上昇効果を期待することができる。したがって、上向きリンクの場合、基地局が多数のアンテナを介して端末から送信される信号を受信することができ、このとき、端末は、干渉影響を減らすために、大規模受信アンテナの利得を考慮して自身の送信電力を非常に低く設定できるという長所がある。
【０２９１】
図１２は、本発明が適用されることができる無線通信システムにおける基地局または端末がＡＡＳ基盤の３Ｄ（３-Ｄｉｍｅｎｓｉｏｎ）ビーム形成が可能な多数の送／受信アンテナを有しているシステムを例示する。
【０２９２】
図１２は、上述の例を図式化したもので、２次元アンテナ配列（すなわち、２Ｄ-ＡＡＳ）を利用した３Ｄ  ＭＩＭＯシステムを例示する。
【０２９３】
マッシブＭＩＭＯのセルカバレッジ（Ｃｅｌｌ  ｃｏｖｅｒａｇｅ  ｏｆ  ｍａｓｓｉｖｅ  ＭＩＭＯ）
【０２９４】
多重アンテナシステム、一例としてＮ個の送信アンテナを有するシステムは、単一アンテナシステムに比べて全体送信電力を同一に送信すると仮定すると、特定地点に受信パワーが最大Ｎ倍高いように、ビーム形成（ｂｅａｍｆｏｒｍｉｎｇ）することができる。
【０２９５】
多重アンテナを有する基地局でもＣＲＳ、ＰＳＳ／ＳＳＳ、ＰＢＣＨ及びブロードキャスト（ｂｒｏａｄｃａｓｔ）情報を伝達するチャネルは、基地局カバレッジ領域内のすべてのＵＥが受信できるように特定方向にビーム形成をしない。
【０２９６】
これとは異なり、特定ＵＥにユニキャスト（ｕｎｉｃａｓｔ）情報を伝達するチャネルであるＰＤＳＣＨは、該当ＵＥの位置及びリンク状況に合せてビーム形成をして、送信効率を上げるようにする。すなわち、ＰＤＳＣＨの送信データストリームは、特定方向にビームを形成するために、プリコーディング（ｐｒｅｃｏｄｉｎｇ）されて、多重のアンテナポートを介して送信される。したがって、代表的にＣＲＳとＰＤＳＣＨの送信電力が同じ場合に、特定ＵＥにＣＲＳの平均受信電力と比べて該当ＵＥに向かってビーム形成されたプリコーディングされた（ｐｒｅｃｏｄｅｄ）ＰＤＳＣＨの受信電力は、最大Ｎ倍まで高くありうる。
【０２９７】
現在までＬＴＥ  Ｒｅｌ-１１システムにおいて最大８個の送信アンテナを有する基地局を考慮するが、これは、ＣＲＳ平均受信電力に比べてｐｒｅｃｏｄｅｄ  ＰＤＳＣＨ受信電力が８倍大きくありうることを意味する。しかしながら、後にマッシブＭＩＭＯシステムの導入で基地局の送信アンテナが１００個以上になる場合に、ＣＲＳとｐｒｅｃｏｄｅｄ  ＰＤＳＣＨの受信電力は、１００倍以上の差が出ることができる。結論的に、ｍａｓｓｉｖｅ  ＭＩＭＯシステムの導入で特定基地局から送信するＣＲＳのカバレッジ領域とＤＭ-ＲＳ基盤ＰＤＳＣＨのカバレッジ領域とが一致しないようになる。
【０２９８】
特に、このような現象は、隣接した二つの基地局の送信アンテナ数の差が大きいとき、大きく現れることができる。代表的に６４個の送信アンテナを有するマクロセル（ｍａｃｒｏ  ｃｅｌｌ）と単一送信アンテナを有するマイクロセル（ｍｉｃｒｏ  ｃｅｌｌ）（例えば、ピコセル（ｐｉｃｏ ｃｅｌｌ））が隣接している場合を例に挙げることができる。Ｍａｓｓｉｖｅ  ＭＩＭＯの初期配置（ｄｅｐｌｏｙｍｅｎｔ）過程でサービングされる（ｓｅｒｖｅｄ）ＵＥが多いｍａｃｒｏ  ｃｅｌｌからまずアンテナ数を増やすと期待しているから、ｍａｃｒｏ  ｃｅｌｌ、ｍｉｃｒｏ  ｃｅｌｌ、及びｐｉｃｏ ｃｅｌｌが混在している異種のネットワーク（ｈｅｔｅｒｏｇｅｎｅｏｕｓ  ｎｅｔｗｏｒｋ）の場合に、隣接した基地国間に送信アンテナの数が大きく差が出るようになる。
【０２９９】
例えば、単一送信アンテナを有するｐｉｃｏ ｃｅｌｌの場合に、ＣＲＳとＰＤＳＣＨのカバレッジ領域が一致するようになる。
【０３００】
しかしながら、６４個の送信アンテナを有するｍａｃｒｏ  ｃｅｌｌの場合に、ＣＲＳのカバレッジ領域よりＰＤＳＣＨのカバレッジ領域がより大きくなる。したがって、ｍａｃｒｏ  ｃｅｌｌとｐｉｃｏ ｃｅｌｌの境界でＣＲＳの受信品質であるＲＳＲＰまたはＲＳＲＱだけに依存して初期接続及びハンドオーバーを決定するようになると、ＰＤＳＣＨの最大品質を提供してくれる基地局をサービングセル（ｓｅｒｖｉｎｇ  ｃｅｌｌ）として選択できなくなる。これに対する単純な解決策として、Ｎ個の送信アンテナを有する基地局のＰＤＳＣＨ受信電力は、Ｎ倍大きいと仮定することができるが、基地局が可能なすべての方向にビーム形成をしてくれることができない場合を考慮するとき、最適の解決策ではない。
【０３０１】
以下、遅延（ｌａｔｅｎｃｙ）を減らすための端末のＣＳＩ測定及び報告動作方法について説明する。
【０３０２】
以下、述べられる方法は、３Ｄ-ＭＩＭＯ、ｍａｓｓｉｖｅ  ＭＩＭＯなどのシステムだけでなく、ａｍｏｒｐｈｏｕｓ  ｃｅｌｌ（非定型セル）環境などでも拡張されて適用可能でありうることはもちろんである。
【０３０３】
まず、３Ｄ-ＭＩＭＯシステムについて簡略に説明する。
【０３０４】
３Ｄ-ＭＩＭＯシステムは、ＬＴＥ標準（Ｒｅｌ-１２）に基づいて先に述べた図１２のようなｓｉｎｇｌｅ-ｃｅｌｌ  ２Ｄ-ＡＡＳ（Ａｄａｐｔｉｖｅ  Ａｎｔｅｎｎａ  Ｓｙｓｔｅｍ）基地局に適した最適の送信方式のうちの一つであり、次のような動作を考慮できる。
【０３０５】
図１２に示すように、８-ｂｙ-８（８Ｘ８）のａｎｔｅｎｎａ  ａｒｒａｙからＣＳＩ-ＲＳ  ｐｏｒｔｓを構成する例を挙げて述べると、縦に各々８個のアンテナに対しては、特定ｔａｒｇｅｔ  ＵＥに最適化された‘ＵＥ-ｄｅｄｉｃａｔｅｄ  ｂｅａｍ  ｃｏｅｆｆｉｃｉｅｎｔｓ’を適用したｐｒｅｃｏｄｅｄ  ＣＳＩ-ＲＳ    ｐｏｒｔ一つずつを構成するようにすることによって、横に総８-ｐｏｒｔ（ｖｅｒｔｉｃａｌｌｙ  ｐｒｅｃｏｄｅｄ）ＣＳＩ-ＲＳを設定／送信するようにする。
【０３０６】
これにより、端末は、従来のような８-ｐｏｒｔに対したＣＳＩ  ｆｅｅｄｂａｃｋを行うようになる。
【０３０７】
結局、基地局は、個別端末（または特定端末グループ）に最適化された垂直方向ｂｅａｍ  ｇａｉｎが既に適用された（ｐｒｅｃｏｄｅｄ）ＣＳＩ-ＲＳ ８ ｐｏｒｔｓを端末に送信する。
【０３０８】
したがって、前記端末は、無線チャネルを通じて受信したＣＳＩ-ＲＳを測定（ｍｅａｓｕｒｅ）するから、前記端末は、従来の水平方向コードブックによる同じフィードバック方式を行っても、前記（ｖｅｒｔｉｃａｌｌｙ  ｐｒｅｃｏｄｅｄ）ＣＳＩ-ＲＳに対するＣＳＩ測定及び報告（ｍｅａｓｕｒｅｍｅｎｔ  ａｎｄ  ｒｅｐｏｒｔｉｎｇ）動作を介して、既に無線チャネルの垂直方向のｂｅａｍ  ｇａｉｎ効果を得ることができるようになる。
【０３０９】
このとき、個別端末に最適化された垂直方向のｂｅａｍを決定するための方法として、（１）（ｖｅｒｔｉｃａｌｌｙ  ｐｒｅｃｏｄｅｄ）ｓｍａｌｌ-ｃｅｌｌ  ｄｉｓｃｏｖｅｒｙ  ＲＳ（ＤＲＳ）によるＲＲＭ  ｒｅｐｏｒｔ結果を利用する方法、（２）端末のｓｏｕｎｄｉｎｇ  ＲＳ（ＳＲＳ）を基地局が最適の受信ｂｅａｍ方向に受信し、該当受信ｂｅａｍ方向をチャネル相互関係（ｃｈａｎｎｅｌ  ｒｅｃｉｐｒｏｃｉｔｙ）によりＤＬ最適ｂｅａｍ方向に変換して適用する方法などがある。
【０３１０】
万が一、基地局が端末の移動性により前記ＵＥ-ｄｅｄｉｃａｔｅｄ  ｂｅｓｔ  Ｖ-ｂｅａｍ方向が変わったと判断する場合、従来の動作によれば、基地局は、ＣＳＩ-ＲＳ及び関連ＣＳＩ  ｐｒｏｃｅｓｓなどと関連したＲＲＣ設定を全て再構成（ｒｅ-ｃｏｎｆｉｇｕｒｅ）した。
【０３１１】
このように、ＲＲＣ再構成（ｒｅｃｏｎｆｉｇｕｒａｔｉｏｎ）過程を行わなければならない場合、ＲＲＣレベルの遅延（ｌａｔｅｎｃｙ）（例えば、数十〜数百ｍｓ単位）の発生は不回避である。
【０３１２】
すなわち、ネットワーク次元では、事前にターゲットＶ-ｂｅａｍ方向を、例えば、４個に分割し、それぞれのＶ-方向にｐｒｅｃｏｄｉｎｇがかかった別の８  ｐｏｒｔ  ＣＳＩ-ＲＳを該当別の送信資源位置から送信するようになる。
【０３１３】
また、各ＵＥは、８  ｐｏｒｔ  ＣＳＩ-ＲＳのうち、特定の一つのＣＳＩ-ＲＳ設定に対するＣＳＩ測定及び報告（ｍｅａｓｕｒｅｍｅｎｔ  ａｎｄ  ｒｅｐｏｒｔｉｎｇ）をしなければならないので、ターゲットＶ-方向が変わるときには、変更されるＣＳＩ-ＲＳ設定でネットワークとＲＲＣ  ｒｅｃｏｎｆｉｇｕｒａｔｉｏｎ手順を行わざるをえない。
【０３１４】
２Ｄ  Ｐｌａｎａｒ  Ａｎｔｅｎｎａ  ａｒｒａｙ  Ｍｏｄｅｌ
【０３１５】
図１３は、偏光（Ｐｏｌａｒｉｚａｔｉｏｎ）基盤の２Ｄ平面アンテナアレイモデルの一例を示した図である。
【０３１６】
すなわち、図１３は、交差偏光（ｃｒｏｓｓ  ｐｏｌａｒｉｚａｔｉｏｎ）を有する２Ｄ  ＡＡＳ（ａｃｔｉｖｅ  ａｎｔｅｎｎａ  ｓｙｓｔｅｍ）の一例を示す。
【０３１７】
図１３を参照すると、２Ｄ平面（Ｐｌａｎａｒ）アンテナアレイモデルは、（Ｍ、Ｎ、Ｐ）で表すことができる。
【０３１８】
ここで、Ｍは、各列に同じｐｏｌａｒｉｚａｔｉｏｎを有しているａｎｔｅｎｎａ  ｅｌｅｍｅｎｔの数を表し、Ｎは、水平方向の列の数を表し、Ｐは、ｐｏｌａｒｉｚａｔｉｏｎのｄｉｍｅｎｓｉｏｎの数を表す。
【０３１９】
図１３において、ｃｒｏｓｓ-ｐｏｌａｒｉｚａｔｉｏｎである場合、Ｐ＝２になる。
【０３２０】
図１４は、送受信端ユニット（ｔｒａｎｓｃｅｉｖｅｒ  ｕｎｉｔｓ：ＴＸＲＵｓ）モデルの一例を示した図である。
【０３２１】
図１４のａｎｔｅｎｎａ  ａｒｒａｙ  Ｍｏｄｅｌ  ｃｏｎｆｉｇｕｒａｔｉｏｎ（Ｍ、Ｎ、Ｐ）に相応するＴＸＲＵ  ｍｏｄｅｌ  ｃｏｎｆｉｇｕｒａｔｉｏｎは、（ＭＴＸＲＵ、Ｎ、Ｐ）で表すことができる。
【０３２２】
この場合、ＭＴＸＲＵは、２Ｄ同じ列、同じｐｏｌａｒｉｚａｔｉｏｎに存在するＴＸＲＵの数を意味し、ＭＴＸＲＵ＜＝Ｍを常に満たす。
【０３２３】
また、ＴＸＲＵ  ｖｉｒｔｕａｌｉｚａｔｉｏｎモデルは、ＴＸＲＵのｓｉｇｎａｌとａｎｔｅｎｎａ  ｅｌｅｍｅｎｔｓのｓｉｇｎａｌの関係によって定義される。
【０３２４】
ここで、ｑは、同じ列内の同じｐｏｌａｒｉｚａｔｉｏｎを有するＭ個のａｎｔｅｎｎａ  ｅｌｅｍｅｎｔｓの送信ｓｉｇｎａｌ  ｖｅｃｔｏｒで、ｗとＷは、ｗｉｄｅｂａｎｄ  ＴＸＲＵ  ｖｉｒｔｕａｌｉｚａｔｉｏｎ  ｗｅｉｇｈｔ  ｖｅｃｔｏｒとｍａｔｒｉｘを表し、ｘは、ＭＴＸＲＵ  ＴＸＲＵのｓｉｇｎａｌ  ｖｅｃｔｏｒを表す。
【０３２５】
具体的には、図１４Ａは、ＴＸＲＵ仮像化モデルオプション-１（ｓｕｂ-ａｒｒａｙｐａｒｔｉｔｉｏｎｍｏｄｅｌ）を示し、図１４Ｂは、ＴＸＲＵ仮像化モデルオプション-２（ｆｕｌｌ  ｃｏｎｎｅｃｔｉｏｎ  ｍｏｄｅｌ）を示す。
【０３２６】
すなわち、ＴＸＲＵ  ｖｉｒｔｕａｌｉｚａｔｉｏｎモデルは、ａｎｔｅｎｎａ  ｅｌｅｍｅｎｔｓとＴＸＲＵとの相関関係に応じて、図１４Ａ及び図１４Ｂのように、ｓｕｂ-ａｒｒａｙモデル、ｆｕｌｌ-ｃｏｎｎｅｃｔｉｏｎモデルなどに区分される。
【０３２７】
また、ＣＳＩ-ＲＳ  ｐｏｒｔｓとＴＸＲＵとのｍａｐｐｉｎｇは、１-ｔｏ-１または１-ｔｏ-ｍａｎｙでありうる。
【０３２８】
図１２において述べた、２Ｄ-ＡＡＳアンテナ構造などを使用するｍａｓｓｉｖｅ  ＭＩＭＯシステムの場合、端末は、基地局から送信されるＣＳＩ-ＲＳを介してＣＳＩを獲得し、これを基地局に報告するために、多くの数のＣＳＩ-ＲＳ  ｐｏｒｔｓがデザインされる必要がある。
【０３２９】
すなわち、ｍａｓｓｉｖｅ  ＭＩＭＯシステムでは、従来の１、２、４または８  ｐｏｒｔのＣＳＩ-ＲＳパターンを支援することに比べて、１２  ｐｏｒｔ  ＣＳＩ-ＲＳ  ｐａｔｔｅｒｎ、１６  ｐｏｒｔ  ＣＳＩ-ＲＳ  ｐａｔｔｅｒｎなど、より多くのポート数を有する新しいＣＳＩ-ＲＳパターン及び設定方法が考慮される必要がある。
【０３３０】
本明細書において表記されるＮ-ｐｏｒｔ  ＣＳＩ-ＲＳ  ｐａｔｔｅｒｎは、Ｎ-ｐｏｒｔ  ＣＳＩ-ＲＳ  ｒｅｓｏｕｒｃｅと同じ意味で解析されることができる。
【０３３１】
ここで、Ｎ-ｐｏｒｔ  ＣＳＩ-ＲＳ  ｒｅｓｏｕｒｃｅまたはＮ-ｐｏｒｔ  ＣＳＩ-ＲＳ  ｐａｔｔｅｒｎは、ＣＳＩ-ＲＳがＮ個のｐｏｒｔを介して送信されるＲＥ（または、ＲＥのグループ）を表す資源（グループ）であって、一つのサブフレームまたは多数のサブフレームにおいて一つまたはそれ以上存在できる。
【０３３２】
多数のＮ-ｐｏｒｔ  ＣＳＩ-ＲＳ  ｒｅｓｏｕｒｃｅは、Ｎ-ｐｏｒｔ  ＣＳＩ-ＲＳ  ｒｅｓｏｕｒｃｅ  ｐｏｏｌと表現されることができる。
【０３３３】
例えば、４-ｐｏｒｔ  ＣＳＩ-ＲＳ  ｒｅｓｏｕｒｃｅは、４個のＲＥで構成され、各ＲＥには、ＣＳＩ-ＲＳが送信されるａｎｔｅｎｎａ  ｐｏｒｔ  ｎｕｍｂｅｒがそれぞれマッピングされる。
【０３３４】
ｍａｓｓｉｖｅ  ＭＩＭＯシステムのように、多くの数（例えば、ＭＮＰ）のｔｒａｎｓｍｉｔ  ａｎｔｅｎｎａ  ｅｌｅｍｅｎｔｓを備えた送信端（例：基地局）において効果的な（ｃｌｏｓｅｄ-ｌｏｏｐ）ＭＩＭＯ送信を支援するためには、Ｑ-ｐｏｒｔ  ＣＳＩ-ＲＳ  ｐａｔｔｅｒｎ（例えば、Ｑ＜＝ＭＮＰ）が端末に設定されなければならない。
【０３３５】
その理由は、前記端末は、前記設定されたＱ-ｐｏｒｔ  ＣＳＩ-ＲＳを共にｍｅａｓｕｒｅし、これに基づいてＣＳＩを計算及び報告する動作が支援されることができなければならないためである。
【０３３６】
一例として、前記端末に設定されるＱ-ｐｏｒｔ  ＣＳＩ-ＲＳは、ｎｏｎ-ｐｒｅｃｏｄｅｄ  ＣＳＩ-ＲＳでありうる。
【０３３７】
前記ｎｏｎ-ｐｒｅｃｏｄｅｄ  ＣＳＩ-ＲＳは、ｔｙｐｅ  Ａまたはｔｙｐｅ  Ｂと表現されることができる。
【０３３８】
前記ｎｏｎ-ｐｒｅｃｏｄｅｄ  ＣＳＩ-ＲＳは、送信端からビーム形成を適用せずに送信するＣＳＩ-ＲＳを意味することで、通常にｗｉｄｅ  ｂｅａｍ  ｗｉｄｔｈを有する各ＣＳＩ-ＲＳ  ｐｏｒｔを送信する形態でありうる。
【０３３９】
図１５及び図１６を参照して、従来のＣＳＩ-ＲＳパターン（またはＣＳＩ-ＲＳ  ｒｅｓｏｕｒｃｅ）についてさらに述べることにする。
【０３４０】
図１５は、８ポートＣＳＩ-ＲＳ資源マッピングパターンの一例を示した図である。
【０３４１】
すなわち、図１５は、ＬＴＥ（-Ａ）システムにおいて１２個のｓｕｂ  ｃａｒｒｉｅｒで構成された１  ｒｅｓｏｕｒｃｅ  ｂｌｏｃｋ（ＲＢ）において８  ａｎｔｅｎｎａ  ｐｏｒｔを有したＣＳＩ-ＲＳの送信可能な資源または資源ｐａｔｔｅｒｎを示す。
【０３４２】
図１５において、互いに異なるように斜線を引いた部分は、各々一つのＣＳＩ-ＲＳ  ｒｅｓｏｕｒｃｅ（または一つのＣＳＩ-ＲＳ  ｐａｔｔｅｒｎ）１５１０、１５２０、１５３０、１５４０、１５５０を示す。
【０３４３】
すなわち、図１５の場合、一つのサブフレーム内に５個のＣＳＩ-ＲＳ  ｒｅｓｏｕｒｃｅまたは５個のＣＳＩ-ＲＳ  ｐａｔｔｅｒｎが存在することが分かる。
【０３４４】
図１５を参照すると、一つのｐｏｒｔに対したＣＳＩ-ＲＳは、二つのＯＦＤＭ  ｓｙｍｂｏｌにかけて拡散（ｓｐｒｅａｄ）されて送信される。
【０３４５】
二つのＣＳＩ-ＲＳは、２個のＲＥを共有し、２個のＲＥに共有された二つのＣＳＩ-ＲＳは、直交コード（ｏｒｔｈｏｇｏｎａｌ  ｃｏｄｅ）を使用して区分されることができる。
【０３４６】
図１５において、「０」と「１」の数字で表現されたＲＥは、ＣＳＩ-ＲＳ  ｐｏｒｔ  ０と１が送信される２個のＲＥを意味する。
【０３４７】
本明細書では、説明の便宜のために、ＣＳＩ-ＲＳ  ｐｏｒｔ  ０、１のような表現を使用しているが、ＣＲＳやＵＥ-ｓｐｅｃｉｆｉｃ  ＲＳのような異なる種類のＲＳとの区分のために、前記ＣＳＩ-ＲＳ  ｐｏｒｔ  ０、１の表現は、ＣＳＩ-ＲＳ  ｐｏｒｔ  １５、１６などのようなｉｎｄｅｘ形態で表現されることができる。
【０３４８】
ＣＳＩ-ＲＳは、８  ｐｏｒｔの他にも、１、２、４  ｐｏｒｔを有するように設定されることができる。
【０３４９】
表３及び図１５を参照すると、ＬＴＥシステムのｆｒａｍｅ  ｓｔｒｕｃｔｕｒｅ  ｔｙｐｅ  １（ＦＤＤモード）とｔｙｐｅ  ２（ＴＤＤモード）に共通に、８-ｐｏｒｔ  ＣＳＩ-ＲＳは、一つのｓｕｂｆｒａｍｅにおいて５個のＣＳＩ-ＲＳ送信パターン（または５個のＣＳＩ-ＲＳ  ｒｅｓｏｕｒｃｅ）のみを有することを確認することができる。
【０３５０】
図１６は、ＣＳＩ-ＲＳ資源のさらに他の一例を示した図である。
【０３５１】
すなわち、図１６Ａ、図１６Ｂ、図１６Ｃは、それぞれ２-ｐｏｒｔ、４-ｐｏｒｔ、及び８-ｐｏｒｔ  ＣＳＩ-ＲＳの送信パターンの一例を示す。
【０３５２】
図１６Ａ、図１６Ｂ、図１６Ｃにおいて、互いに異なる斜線で表示された部分は、それぞれ一つのＣＳＩ-ＲＳ  ｒｅｓｏｕｒｃｅまたは一つのＣＳＩ-ＲＳ  ｐａｔｔｅｒｎを示す。
【０３５３】
以下、本明細書において提案する８ポートより多いアンテナポートを使用するＣＳＩ-ＲＳ送信と関連して、新しいＣＳＩ-ＲＳ  ｒｅｓｏｕｒｃｅ（または新しいＣＳＩ-ＲＳ  ｐａｔｔｅｒｎ）設定方法について、関連図面を参照して具体的に述べることにする。
【０３５４】
第１の実施の形態
【０３５５】
第１の実施の形態は、一般（ｎｏｒｍａｌ）循環前置（Ｃｙｃｌｉｃ  Ｐｒｅｆｉｘ：ＣＰ）での新しいＣＳＩ-ＲＳ資源の設定方法及びＣＳＩ-ＲＳ資源での資源要素（Ｒｅｓｏｕｒｃｅ  Ｅｌｅｍｅｎｔ：ＲＥ）別アンテナポート番号のマッピング方法を提供する。
【０３５６】
以下、代表的に１２-ｐｏｒｔ  ＣＳＩ-ＲＳ  ｐａｔｔｅｒｎ及び１６-ｐｏｒｔ  ＣＳＩ-ＲＳ  ｐａｔｔｅｒｎを例に挙げて、本明細書で提案するｍａｓｓｉｖｅ  ＭＩＭＯシステムにおける新しいＣＳＩ-ＲＳ  ｐａｔｔｅｒｎ（または新しいＣＳＩ-ＲＳ  ｒｅｓｏｕｒｃｅ）の設定方法とＣＳＩ-ＲＳ  ｐａｔｔｅｒｎ別アンテナポート番号マッピング方法を説明する。
【０３５７】
図１７は、本明細書において提案する１２ポートＣＳＩ-ＲＳ資源構造の一例を示した図である。
【０３５８】
すなわち、図１７は、新しい１２-ｐｏｒｔ  ＣＳＩ-ＲＳ  ｐａｔｔｅｒｎ（以下、便宜上「Ｎｅｗ  ＣＳＩ-ＲＳ  ｐａｔｔｅｒｎ」と通称し、１２-ｐｏｒｔ以外の場合に対しても、図１７で提案する方式が適用されうることはもちろんである）デザインまたは設計の一例を示す。
【０３５９】
新しいＣＳＩ-ＲＳ  ｐａｔｔｅｒｎ設計において、以下の（１）ないし（３）の技術特徴要素のうち、少なくとも一つの特徴を含んで、新しいＣＳＩ-ＲＳ  ｐａｔｔｅｒｎが設計されることができる。
【０３６０】
（１）ないし（３）の技術特徴要素について一つずつ説明する。
【０３６１】
（１）レガシー（Ｌｅｇａｃｙ）１、２、４または８ｐｏｒｔ  ＣＳＩ-ＲＳ  ｐａｔｔｅｒｎのうち、一部を結合する形態で一つの新しいＣＳＩ-ＲＳ  ｐａｔｔｅｒｎを作る。
【０３６２】
図１７に示す、各Ｎｅｗ  ＣＳＩ-ＲＳ  ｐａｔｔｅｒｎ１７１０、１７２０は、１個の８-ｐｏｒｔ  ＣＳＩ-ＲＳ  ｐａｔｔｅｒｎと１個の４-ｐｏｒｔ  ＣＳＩ-ＲＳ  ｐａｔｔｅｒｎとを結合した形態で、一つのＮｅｗ  ＣＳＩ-ＲＳ  ｐａｔｔｅｒｎを設計（または生成）したことを示す。
【０３６３】
このように、ｌｅｇａｃｙ  ＣＳＩ-ＲＳ  ｐａｔｔｅｒｎ（またはｌｅｇａｃｙ  ＣＳＩ-ＲＳ  ｒｅｓｏｕｒｃｅ）間の結合形態としてｎｅｗ  ＣＳＩ-ＲＳ  ｐａｔｔｅｒｎを限定する場合、ｌｅｇａｃｙ端末に現在標準によって支援される特定ＺＰ  ＣＳＩ-ＲＳ  ｒｅｓｏｕｒｃｅ（ｓ）を設定することによって、ｌｅｇａｃｙ  ｉｍｐａｃｔを最小化させることができるという長所がある。
【０３６４】
（２）Ｎｅｗ  ＣＳＩ-ＲＳ  ｐａｔｔｅｒｎ内のＣＳＩ-ＲＳ  ｐｏｒｔ  ｎｕｍｂｅｒｉｎｇに関する規則
【０３６５】
ＣＳＩ-ＲＳ  ｐｏｒｔ  ｎｕｍｂｅｒｉｎｇに対する規則は、以下の１）ないし３）を介して行われることができる。
【０３６６】
１）図１７のように、まずｐｏｒｔ  ０と１（実際にｐｏｒｔ  １５、１６等にして、ｐｏｒｔ  ｎｕｍｂｅｒｉｎｇの開始点は、０からでない１５からでありうる）を最も低い（または最も高い）ｓｕｂ  ｃａｒｒｉｅｒ  ｉｎｄｅｘに該当するＲＥにまずマッピングできる。
【０３６７】
図１７において、ｐｏｒｔ  ０と１は、それぞれ異なる（ＯＦＤＭ）ｓｙｍｂｏｌにマッピングされても良く、ｐｏｒｔ  ０と１は、２個のＲＥに互いにＣＤＭされてマッピングされても良い。
【０３６８】
２）以後、ｐｏｒｔ  ２と３をＣＳＩ-ＲＳ  ｒｅｓｏｕｒｃｅ内のＲＥにマッピングしようとするとき、以下のように行うことができる。
【０３６９】
万が一、前記ｐｏｒｔ  ０と１のＲＥ位置に隣接した後、ｓｕｂ  ｃａｒｒｉｅｒ ｉｎｄｅｘを（ｉ）前記ｐｏｒｔ  ０と１がマッピングされたＮｅｗ  ＣＳＩ-ＲＳ  ｐａｔｔｅｒｎが占有しており、（ｉｉ）このように連続的に隣接するＲＥを前記Ｎｅｗ  ＣＳＩ-ＲＳ  ｐａｔｔｅｒｎのサブグループ＃１（１７１１）とするとき、前記サブグループ＃１に隣接しない前記Ｎｅｗ  ＣＳＩ-ＲＳ  ｐａｔｔｅｒｎのサブグループ＃２（１７１２）が存在すると、前記サブグループ＃２において最も低い（または最も高い）ｓｕｂ  ｃａｒｒｉｅｒ  ｉｎｄｅｘに該当するＲＥにまずｐｏｒｔ  ２と３をマッピングする。
【０３７０】
万が一、サブグループ別に最も低い（または最も高い）ｓｕｂ  ｃａｒｒｉｅｒ  ｉｎｄｅｘに該当するＲＥに全部ｐｏｒｔ  ｎｕｍｂｅｒがマッピングされた場合、ｐｏｒｔ  ２と３は、初めてマッピングを始めたサブグループ＃１（１７１１）において、第２番目に低い（または高い）ｓｕｂ  ｃａｒｒｉｅｒ  ｉｎｄｅｘに該当するＲＥにマッピングされる。
【０３７１】
このような形態で、サブグループ別にまずｐｏｒｔ  ｉｎｄｅｘｉｎｇを交互にし、各サブグループ内では、ｓｕｂ  ｃａｒｒｉｅｒ  ｉｎｄｅｘの昇順（または降順）順にｐｏｒｔ  ｉｎｄｅｘｉｎｇを行う。
【０３７２】
図１７は、２）において述べた規則にしたがってａｎｔｅｎｎａ  ｐｏｒｔ  ｎｕｍｂｅｒｉｎｇを適用した例を示す。
【０３７３】
３）図１７でのｐｏｒｔ  ｎｕｍｂｅｒｉｎｇ規則のように、サブグループ別にＣＳＩ-ＲＳ  ｐｏｒｔの数が同じ形態でｎｅｗ  ＣＳＩ-ＲＳ  ｐａｔｔｅｒｎを設計するように限定することもできる。
【０３７４】
すなわち、１２-ｐｏｒｔ  ＣＳＩ-ＲＳの場合、図１７のように、二つのサブグループ別に分け、各サブグループにおいて６個のＣＳＩ-ＲＳ  ｐｏｒｔｓずつ含むようにすることができる。
【０３７５】
（３）一つのＮｅｗ  ＣＳＩ-ＲＳ  ｐａｔｔｅｒｎに属するＣＳＩ-ＲＳ  ｐｏｒｔｓは、全てＬ  ｃｏｎｓｅｃｕｔｉｖｅ（ＯＦＤＭ）ｓｙｍｂｏｌｓ内に存在する。
【０３７６】
図１７において、各Ｎｅｗ  ＣＳＩ-ＲＳ  ｐａｔｔｅｒｎ別に総１２個のＣＳＩ-ＲＳ  ｐｏｒｔｓが全部２個の連続的なシンボル（Ｌ＝２  ｃｏｎｓｅｃｕｔｉｖｅ（ＯＦＤＭ）ｓｙｍｂｏｌｓ）内に配置されている場合を見ることができる。
【０３７７】
または、Ｌ＝５までを許容して、図１７においてＣＳＩ-ＲＳ  ｐａｔｔｅｒｎ  Ｙに該当するＲＥとも共に結合して、Ｎｅｗ  ＣＳＩ-ＲＳ  ｐａｔｔｅｒｎを設計（または、生成またはデザイン）することもできる。
【０３７８】
この場合、同じ一つのＮｅｗ  ＣＳＩ-ＲＳ  ｐａｔｔｅｒｎ内に存在するＣＳＩ-ＲＳ  ｐｏｒｔが最大４  ＯＦＤＭ  ｓｙｍｂｏｌ分だけ離れている場合が発生できる。
【０３７９】
したがって、この場合には、Ｌ＝２に該当するＮｅｗ  ＣＳＩ-ＲＳ  ｐａｔｔｅｒｎデザインより端末のｃｈａｎｎｅｌ  ｍｅａｓｕｒｅｍｅｎｔ時にｐｈａｓｅ  ｄｒｉｆｔ影響がより大きくなりうるという短所が存在できる。
【０３８０】
しかしながら、最大５個までの連続的なＯＦＤＭシンボルを利用して、Ｎｅｗ  ＣＳＩ-ＲＳ  ｐａｔｔｅｒｎを設計する場合、それだけＮｅｗ  ＣＳＩ-ＲＳ  ｐａｔｔｅｒｎの設計に対するｆｌｅｘｉｂｉｌｉｔｙが高まる。
【０３８１】
したがって、最大５個までの連続的なＯＦＤＭシンボルを利用することは、ｎｅｔｗｏｒｋ端においてＣＳＩ-ＲＳを設定するのにより高いｆｌｅｘｉｂｉｌｉｔｙを提供するという長所がある。
【０３８２】
または、Ｌ＝５の場合と同様に、Ｌ＝６までを許容して、図１７においてＣＳＩ-ＲＳ  ｐａｔｔｅｒｎ  Ｘに該当するＲＥとも共に結合して、特定Ｎｅｗ  ＣＳＩ-ＲＳ  ｐａｔｔｅｒｎをデザインすることもできる。
【０３８３】
前記（１）において説明したように、新しいＣＳＩ-ＲＳ  ｐａｔｔｅｒｎは、ｌｅｇａｃｙ  ＣＳＩ-ＲＳ  ｐａｔｔｅｒｎ間の結合形態だけに限定することもできるが、これに限定されず、Ｎｅｗ  ＣＳＩ-ＲＳ  ｐａｔｔｅｒｎをｌｅｇａｃｙ  ＣＳＩ-ＲＳ  ｐａｔｔｅｒｎ以外のＲＥ（ら）に対しても含むことができるという形態で拡張設計する方法も可能である。
【０３８４】
この場合、（３）において説明したＬ値が２よりは大きい値になる形態になることができ、図１７においてなんの表示がないすなわち、ＰＤＳＣＨ  ＲＥのうちの一部がＮｅｗ  ＣＳＩ-ＲＳ  ｐａｔｔｅｒｎに属するＲＥ（ら）として設計されることができる。
【０３８５】
この場合、ｌｅｇａｃｙ  ＺＰ（Ｚｅｒｏ  Ｐｏｗｅｒ）ＣＳＩ-ＲＳ  ｒｅｓｏｕｒｃｅではカバーされないから、これをカバーできるｎｅｗ  ＺＰ  ＣＳＩ-ＲＳ  ｒｅｓｏｕｒｃｅも共に設計される必要がある。
【０３８６】
すなわち、ｅｎｈａｎｃｅｄ端末（ＵＥ）の間には、端末が基地局からＰＤＳＣＨを受信する場合、Ｎｅｗ  ＣＳＩ-ＲＳ  ｐａｔｔｅｒｎに応じるＲＥの位置をｒａｔｅ  ｍａｔｃｈｉｎｇできるようにするために、前記Ｎｅｗ  ＣＳＩ-ＲＳ  ｐａｔｔｅｒｎが占有しているＲＥをカバーするための別のＺＰ  ＣＳＩ-ＲＳ  ｒｅｓｏｕｒｃｅが支援されなければならない。
【０３８７】
すなわち、端末は、基地局から前記別のＺＰ  ＣＳＩ-ＲＳ  ｒｅｓｏｕｒｃｅをＲＲＣ  ｓｉｇｎａｌｉｎｇを介して設定され、前記設定されたＺＰ  ＣＳＩ-ＲＳ  ｒｅｓｏｕｒｃｅをＰＤＳＣＨ  ＲＥ  ｍａｐｐｉｎｇ（ｒａｔｅ  ｍａｔｃｈｉｎｇ）時に適用するようにすることができる。
【０３８８】
上述の（１）ないし（３）の規則などに従ってデザインされるＮｅｗ  ＲＳ  ｐａｔｔｅｒｎを（ＲＲＣ  ｓｉｇｎａｌｉｎｇを介して）設定された端末は、前記Ｎｅｗ  ＲＳ  ｐａｔｔｅｒｎの設定と同時に、前記Ｎｅｗ  ＲＳ  ｐａｔｔｅｒｎに該当するＣＳＩ-ＲＳ  ｐｏｒｔをｍｅａｓｕｒｅし、これに基づいてＣＳＩを計算するために、追加的に、ｍａｐｐｉｎｇ  ｉｎｆｏｒｍａｔｉｏｎを共に設定されることができる。
【０３８９】
前記ｍａｐｐｉｎｇ  ｉｎｆｏｒｍａｔｉｏｎは、前記Ｎｅｗ  ＲＳ  ｐａｔｔｅｒｎ内でのＣＳＩ-ＲＳ  ｐｏｒｔ  ｎｕｍｂｅｒｉｎｇがどのような順に実際の送信アンテナのａｎｔｅｎｎａ  ｃｏｎｆｉｇｕｒａｔｉｏｎにマッピングされるかに関連する情報を表す。
【０３９０】
例えば、同じ１２-ｐｏｒｔ  ＣＳＩ-ＲＳ  ｐａｔｔｅｒｎであるとしても、図１８Ａ形態のＴＸＲＵ  ｃｏｎｆｉｇｕｒａｔｉｏｎに従っても良く、図１８Ｂ形態のＴＸＲＵ  ｃｏｎｆｉｇｕｒａｔｉｏｎに従っても良い。
【０３９１】
したがって、基地局は、端末に２Ｄアンテナアレイ形態が図１８Ａの形態であるか、または図１８Ｂの形態であるかなどを知らせるために、２Ｄアンテナアレイのｃｏｌｕｍｎの数（Ｎａ）、ｒｏｗの数（Ｍａ）、Ｐｏｌａｒｉｚａｔｉｏｎの数（Ｐ）などのパラメータのうち、少なくとも一つをｈｉｇｈｅｒ-ｌａｙｅｒ  ｓｉｇｎａｌｉｎｇを介して知らせることができる。
【０３９２】
このとき、このようなパラメータは、ＮＺＰ  ＣＳＩ-ＲＳ  ｃｏｎｆｉｇｕｒａｔｉｏｎ情報に含まれることができる。
【０３９３】
または、このようなパラメータは、基本的に端末のＣＳＩ  ｒｅｐｏｒｔｉｎｇと関連したパラメータであって、該当Ｎｅｗ  ＲＳ  ｐａｔｔｅｒｎが設定される特定ＮＺＰ  ＣＳＩ-ＲＳ  ｃｏｎｆｉｇｕｒａｔｉｏｎを含んでいる特定ＣＳＩ  ｐｒｏｃｅｓｓ  ｃｏｎｆｉｇｕｒａｔｉｏｎを介して（またはこれと連動して）基地局が端末に送信できる。
【０３９４】
すなわち、前記特定ＣＳＩ  ｐｒｏｃｅｓｓ  ｃｏｎｆｉｇｕｒａｔｉｏｎは、前記Ｎａ、Ｍａ、Ｐなどの「特定ＣＳＩ-ＲＳ  ｐｏｒｔ  ｍａｐｐｉｎｇ  ｐａｔｔｅｒｎを端末が分かるようにするためのパラメータ」を共に含むことができる。
【０３９５】
図１８は、本明細書において提案する方法が適用されることができる２Ｄアンテナアレイモデルの一例を示した図である。
【０３９６】
例えば、基地局から１２-ｐｏｒｔ  ＣＳＩ-ＲＳ設定を受信した端末がＮａ＝３、Ｍａ＝２、Ｐ＝２を共に設定されるようになると、端末は、図１８ＡのようなＴＸＲＵ  ｃｏｎｆｉｇｕｒａｔｉｏｎ（またはＣＳＩ-ＲＳ  ｐｏｒｔ  ｄｉｓｔｒｉｂｕｔｉｏｎ／ｃｏｎｆｉｇｕｒａｔｉｏｎ）を仮定して、ＣＳＩ  ｄｅｒｉｖａｔｉｏｎを行う。
【０３９７】
万が一、端末が１２-ｐｏｒｔ  ＣＳＩ-ＲＳ設定と共にＮａ＝２、Ｍａ＝３、Ｐ＝２を設定されるようになると、端末は、図１８ＢのようなＴＸＲＵ  ｃｏｎｆｉｇｕｒａｔｉｏｎ（またはＣＳＩ-ＲＳ  ｐｏｒｔ  ｄｉｓｔｒｉｂｕｔｉｏｎ／ｃｏｎｆｉｇｕｒａｔｉｏｎ）を仮定して、ＣＳＩ  ｄｅｒｉｖａｔｉｏｎを行う。
【０３９８】
また、図１７の例示のような形態として、ＣＳＩ-ＲＳ  ｐｏｒｔ  ｎｕｍｂｅｒｉｎｇが与えられた場合、端末は、図１８Ａまたは図１８Ｂのような形態で仮定することができるＴＸＲＵ  ｃｏｎｆｉｇｕｒａｔｉｏｎ上において特定ｃｏｒｎｅｒ（例えば、最も左側）から始めて、ｒｏｗまず（またはｃｏｌｕｍｎまず）前記ＣＳＩ-ＲＳ  ｐｏｒｔ  ｎｕｍｂｅｒｓを昇順（または降順）にマッピングしていく形態が定義／設定されることができる。
【０３９９】
このとき、互いに異なる偏光（ｄｉｆｆｅｒｅｎｔ  ｐｏｌａｒｉｚａｔｉｏｎ）に対しては、前記「ｒｏｗまず（またはｃｏｌｕｍｎまず）」ｍａｐｐｉｎｇを行う時に同じｃｏｌｕｍｎ（またはｒｏｗ）ｉｎｄｅｘごとにｐｏｌａｒｉｚａｔｉｏｎ  ｉｎｄｅｘ別に順次マッピングを完了した後、次にｃｏｌｕｍｎ（またはｒｏｗ）ｉｎｄｅｘにマッピング（ｍａｐｐｉｎｇ）を行うことができる。
【０４００】
または、このようなｐｏｒｔ  ｎｕｍｂｅｒｉｎｇ  ｐａｔｔｅｒｎ自体が特定形態（例えば、ｂｉｔｍａｐ）で端末に明示上（ｅｘｐｌｉｃｉｔｌｙ）ＲＲＣ ｓｉｇｎａｌｉｎｇされることもできる。
【０４０１】
図１７形態の１２-ｐｏｒｔ  ＣＳＩ-ＲＳパターンが有する長所は、ｌｅｇａｃｙ  ＣＳＩ-ＲＳ  ｐａｔｔｅｒｎと同一サブフレームに共に設定するにおいて、ｎｅｔｗｏｒｋ  ｆｌｅｘｉｂｌｉｔｙを高めることができるという点にある。
【０４０２】
例えば、特定ｃｅｌｌまたはＴＰ（Ｔｒａｎｓｐｏｒｔ  Ｐｏｉｎｔ）Ａが図１７において‘Ｎｅｗ  １２-ｐｏｒｔ  ＣＳＩ-ＲＳ  ｐａｔｔｅｒｎ  ＃１’だけを送信する場合、空いている‘Ｎｅｗ  １２-ｐｏｒｔ  ＣＳＩ-ＲＳ  ｐａｔｔｅｒｎ  ＃２’のＲＥに他のｃｅｌｌ（またはＴＰ）が（または同一ｃｅｌｌ／ＴＰＡが追加に）ｌｅｇａｃｙ１、２または４  ｐｏｒｔ  ＣＳＩ-ＲＳパターンのうち、少なくともいずれか一つを選択して送信できるようになる。
【０４０３】
これは、各ＣＳＩ-ＲＳパターン間にオーバーラップが発生しないためである。しかしながら、前記１２-ｐｏｒｔ  ＣＳＩ-ＲＳに対する設計方法は、これに限定されずに、追加的な多様な設計方法が存在できることはもちろんである。
【０４０４】
すなわち、１２-ｐｏｒｔ  ＣＳＩ-ＲＳ  ｐａｔｔｅｒｎは、図１７を含んで図１９などのように様々な方法のうち、少なくとも一つが定義または設定されることができる。
【０４０５】
また、基地局は、ｈｉｇｈｅｒ-ｌａｙｅｒ  ｓｉｇｎａｌｉｎｇを介してどのようなＣＳＩ-ＲＳパターンを端末が仮定してＣＳＩ-ＲＳを受信し、これを介してＣＳＩ  ｄｅｒｉｖａｔｉｏｎを行わなければならないかについても端末に知らせることができる。
【０４０６】
図１９は、本明細書において提案する１２ポートＣＳＩ-ＲＳ資源マッピングパターンのさらに他の一例を示した図である。
【０４０７】
図１９は、Ｎｅｗ  ＣＳＩ-ＲＳ  ｐａｔｔｅｒｎ内のサブグループ別ｐｏｒｔの数が異なる場合を示す。
【０４０８】
すなわち、一つのサブグループには、ｐｏｒｔの数が２個であり、もう一つの一つのサブグループには、ｐｏｒｔの数が４個である場合を示す。
【０４０９】
図２０は、本明細書において提案する１２ポートＣＳＩ-ＲＳ資源マッピングパターンのさらに他の一例を示した図である。
【０４１０】
図２０は、Ｎｅｗ  ＣＳＩ-ＲＳ  ｐａｔｔｅｒｎ内に３個のサブグループを有し、各サブグループ当たりの４ｐｏｒｔずつ含んだ場合を示す。
【０４１１】
上述の（１）ないし（３）のｐｏｒｔ  ｎｕｍｂｅｒｉｎｇ適用規則を利用して、１６-ｐｏｒｔ  ＣＳＩ-ＲＳ  ｐａｔｔｅｒｎを設計する方法について、図２１及び図２２を参照して説明する。
【０４１２】
図２１及び図２２は、本明細書において提案する１６ポートＣＳＩ-ＲＳパターンの一例を示した図である。
【０４１３】
図２１Ａ及び図２１Ｂを参照すると、２個の‘Ｎｅｗ  １６-ｐｏｒｔ  ＣＳＩ-ＲＳ  ｐａｔｔｅｒｎ’をそれぞれＮｅｗ  １６-ｐｏｒｔ  ＣＳＩ-ＲＳ  ｐａｔｔｅｒｎ  ＃１及びＮｅｗ  １６-ｐｏｒｔ  ＣＳＩ-ＲＳ  ｐａｔｔｅｒｎ  ＃２で表すことができる。
【０４１４】
ここでも同様に、１６-ｐｏｒｔ  ＣＳＩ-ＲＳ  ｐａｔｔｅｒｎは、１６-ｐｏｒｔ  ＣＳＩ-ＲＳ  ｒｅｓｏｕｒｃｅで表現または呼ばれることができる。
【０４１５】
図２１Ａ及び図２１Ｂに示すように、１６-ｐｏｒｔの場合、ｐａｔｔｅｒｎ  ＃１（２１１０）とｐａｔｔｅｒｎ  ＃２（２１２０）が同一サブフレームにおいて同時に設定／送信される場合、一部ＲＥ位置で互いにオーバーラップが発生できる。
【０４１６】
したがって、好ましくは、特定ｃｅｌｌ／ＴＰ  Ａが図２１Ａのｐａｔｔｅｒｎ    ＃１を送信する場合、該当サブフレームにおいて他のｃｅｌｌ／ＴＰは、さらに他の１６-ｐｏｒｔ  ＣＳＩ-ＲＳを設定／送信せずに、「Ｚ」と表示されたｌｅｇａｃｙ  ＣＳＩ-ＲＳ  ｐａｔｔｅｒｎｓ及び／または「Ｘ」及び「Ｙ」と表示されたｌｅｇａｃｙ  ｐａｔｔｅｒｎｓ位置を利用して、ｌｅｇａｃｙ  ＣＳＩ-ＲＳを設定／送信することが好ましい。
【０４１７】
上述の（１）の説明と関連して、図２１のＣＳＩ-ＲＳ（資源マッピング）パターンの一例は、２個の８-ｐｏｒｔ  ＣＳＩ-ＲＳ  ｐａｔｔｅｒｎｓを結合した形態として、一つのＮｅｗ  ＣＳＩ-ＲＳ  ｐａｔｔｅｒｎを設計した場合と解析できる。
【０４１８】
また、上述の（３）の説明と関連して、図２１のＣＳＩ-ＲＳ資源マッピングパターンの一例は、各Ｎｅｗ  ＣＳＩ-ＲＳ  ｐａｔｔｅｒｎ別に総１６個のＣＳＩ-ＲＳ  ｐｏｒｔｓが全部Ｌ＝２  ｃｏｎｓｅｃｕｔｉｖｅ（ＯＦＤＭ）  ｓｙｍｂｏｌｓ内に配置されている場合を示している。
【０４１９】
このとき、図２１において、２個のＮｅｗ  ｐａｔｔｅｒｎｓが一つのサブフレーム内で共存できないという短所があるので、図２２のような形態で特定（少なくとも）一つのＮｅｗ  ｐａｔｔｅｒｎは、Ｌ＞２を有するようにする形態で定義／設定されることができるようにする。
【０４２０】
同様に、図２２においてＣＳＩ-ＲＳ  ｐｏｒｔ  ｎｕｍｂｅｒｉｎｇは、一例として、前で言及した（１）ないし（３）の方法を含んで多様な形態でｐｏｒｔ  ｎｕｍｂｅｒｉｎｇが定義／設定されることができる。
【０４２１】
例えば、図２２においてＮｅｗ  ｐａｔｔｅｒｎ  ＃２のｐｏｒｔ  ４と５に該当するＲＥをｐｏｒｔ  ０と１でマッピングする形態で始めることができる。
【０４２２】
これは、ＯＦＤＭ  ｓｙｍｂｏｌ  ｉｎｄｅｘの昇順の順にマッピングをまず行うことではなく、ｓｕｂ  ｃａｒｒｉｅｒ  ｉｎｄｅｘの昇順の順にまずｐｏｒｔ  ０と１をマッピングし始める規則を意味する。
【０４２３】
また、Ｎｅｗ  ＣＳＩ-ＲＳ  ｐａｔｔｅｒｎに対するもう一つのｐｏｒｔ  ｎｕｍｂｅｒｉｎｇ方法として、サブグループ別にまずｐｏｒｔ  ｉｎｄｅｘを付与していく方式でなく、同一サブグループ内でｐｏｒｔ  ｉｎｄｅｘを昇順（または降順）の順にまず全部満たしてマッピングし、その次にサブグループ内のｐｏｒｔ  ｉｎｄｅｘを連続して昇順（または降順）の順に全部満たしてマッピングする順に定義／設定されることができる。
【０４２４】
また、図２２の例示において、Ｎｅｗ  ｐａｔｔｅｒｎ  ＃２のｐｏｒｔ  ４、５、６、７、１２、１３、１４、１５と表示されたＲＥの代りに、‘Ｘ’表示された「ｌｅｇａｃｙ  ＣＳＩ-ＲＳ  ｐａｔｔｅｒｎｓのために使用されるＲＥ」の位置を使用して、ｐｏｒｔ  ｎｕｍｂｅｒｉｎｇ  ｍａｐｐｉｎｇをする形態でＮｅｗ  ＣＳＩ-ＲＳ  ｐａｔｔｅｒｎが設計されうることは明らかである。
【０４２５】
この場合、Ｌ＝６になることができる。
【０４２６】
第２の実施の形態
【０４２７】
第２の実施の形態は、拡張（Ｅｘｔｅｎｄｅｄ）ＣＰ（Ｃｙｃｌｉｃ  Ｐｒｅｆｉｘ）での新しいＣＳＩ-ＲＳ資源マッピングパターンを提供する。
【０４２８】
第１の実施の形態では、１２-ｐｏｒｔ及び１６-ｐｏｒｔ  Ｎｅｗ  ＣＳＩ-ＲＳ ｐａｔｔｅｒｎ設計を中心に、ｎｏｒｍａｌ  ＣＰの場合を仮定した実施の形態について述べた。
【０４２９】
以下、第２の実施の形態では、第１の実施の形態で説明した提案方法の原理などを含む形態で、拡張ＣＰ（ｅｘｔｅｎｄｅｄ  ＣＰ）の場合について述べることにする。
【０４３０】
図２３は、本明細書において提案する８ポートＣＳＩ-ＲＳパターンのさらに他の一例を示した図である。
【０４３１】
具体的に、図２３は、ｅｘｔｅｎｄｅｄ  ＣＰが適用されたサブフレームにおいて８個のアンテナポートを有するＣＳＩ-ＲＳの送信可能なパターンを示す。
【０４３２】
図２３において、ＣＳＩ-ＲＳの２個のＯＦＤＭシンボルに対してＯＣＣ（ｏｒｔｈｏｇｏｎａｌ  ｃｏｖｅｒｃｏｄｅ）が適用され、ＣＤＭ方式により２個のＣＳＩ-ＲＳアンテナポートを区分する。
【０４３３】
したがって、２個のＣＳＩ-ＲＳは、２個のＲＥを共有し、ＯＣＣにより区分されて送信される。
【０４３４】
図２３において、数字０と１と表現されたＲＥは、ＣＳＩ-ＲＳポート０と１が送信される２個のＲＥを意味する。
【０４３５】
説明の便宜のために、ＣＳＩ-ＲＳポート０、１のような表現を使用し、ＣＲＳ及びその他ＵＥ特定ＲＳのような他の種類のＲＳとの区分のために、ＣＳＩ-ＲＳポート０、１などをＣＳＩ-ＲＳポート１５、１６などのように表示できる。
【０４３６】
ＣＳＩ-ＲＳは、８個のアンテナポートの他にも、１、２、４個のアンテナポートを有するように設定されることができる。
【０４３７】
図２４は、本明細書において提案する多様なＣＳＩ-ＲＳのパターンの一例を示した図である。
【０４３８】
図２４は、ｅｘｔｅｎｄｅｄ  ＣＰが適用されたサブフレーム内でＣＳＩ-ＲＳアンテナポートが１、２及び４個である場合に対するＣＳＩ-ＲＳパターンを示す。
【０４３９】
図２４のような従来のｌｅｇａｃｙ  ＣＳＩ-ＲＳ  ｐａｔｔｅｒｎ位置を鑑みるとき、第１の実施の形態（ｎｏｒｍａｌ  ＣＰの場合）において説明した（１）ないし（３）方法などのＣＳＩ-ＲＳパターン設計原理がｅｘｔｅｎｄｅｄ  ＣＰの場合には、前記ｌｅｇａｃｙ  ｐａｔｔｅｒｎ位置のみが他の状態で拡張適用可能であることが分かる。
【０４４０】
例えば、１６-ｐｏｒｔ  Ｎｅｗ  ＣＳＩ-ＲＳ  ｐａｔｔｅｒｎをｅｘｔｅｎｄｅｄ  ＣＰの場合に定義／設定しようとするときには、図２４でのｌｅｇａｃｙ  ８-ｐｏｒｔ  ｐａｔｔｅｒｎ２個を結合して１６-ｐｏｒｔを作ることができる。
【０４４１】
そして、第１の実施の形態において述べた特定ｐｏｒｔ  ｎｕｍｂｅｒｉｎｇ規則を適用して、ＣＳＩ-ＲＳ  ｐｏｒｔ  ｎｕｍｂｅｒｉｎｇを定義／設定できる。
【０４４２】
もちろん、１６-ｐｏｒｔ  ＣＳＩ-ＲＳパターンを構成するにおいて、一部ｐｏｒｔｓは、前記ｌｅｇａｃｙ  ｐａｔｔｅｒｎ以外のＰＤＳＣＨ  ＲＥを一部結合して設計されることもできる。
【０４４３】
また、１２-ｐｏｒｔ  ＣＳＩ-ＲＳパターンを構成するためには、１６-ｐｏｒｔ  ＣＳＩ-ＲＳパターンのうち、特定の４個のｐｏｒｔ位置を排除した（または除いた）形態で定義／設定されることができる。
【０４４４】
この場合、前記除外または排除された４個のｐｏｒｔ位置は、特定の一つのｌｅｇａｃｙ  ４-ｐｏｒｔパターンと一致するように定義することができる。
【０４４５】
このように定義する理由は、同一サブフレームにおいてｃｅｌｌ／ＴＰが設定／送信できるＣＳＩ-ＲＳパターン数が最大限オーバーラップされないようにし、ｌｅｇａｃｙ  ＣＳＩ-ＲＳ  ｐｏｒｔ  ｐａｔｔｅｒｎと共に送信できるように支援するためである。
【０４４６】
例えば、図２４においてｌｅｇａｃｙ  ８-ｐｏｒｔ  ＣＳＩ-ＲＳ  ｐａｔｔｅｒｎ２個を結合して、１６-ｐｏｒｔのＮｅｗ  ＣＳＩ-ＲＳ  ｐａｔｔｅｒｎが定義されたと仮定しよう。
【０４４７】
このとき、１２-ｐｏｒｔのＮｅｗ  ＣＳＩ-ＲＳ  ｐａｔｔｅｒｎは、１６-ｐｏｒｔのＮｅｗ  ＣＳＩ-ＲＳ  ｐａｔｔｅｒｎのうち、図２４に示す特定の一つの４-ｐｏｒｔ  ｌｅｇａｃｙ  ｐａｔｔｅｒｎに該当する４個のＲＥ位置を排除した形態で定義／設定される方式が適用可能である。
【０４４８】
ここで、前記「特定の一つの４-ｐｏｒｔ  ｌｅｇａｃｙ  ｐａｔｔｅｒｎ」を排除する方法も色々ありうる。
【０４４９】
すなわち、ｎｅｔｗｏｒｋ ｆｌｅｘｉｂｉｌｉｔｙを高くする目的として、特定のただ一つの４-ｐｏｒｔ  ｌｅｇａｃｙ  ｐａｔｔｅｒｎのみを排除する形態で１２-ｐｏｒｔ  ｐａｔｔｅｒｎ  ＃１のみを定義することではなく、さらに他の特定の４-ｐｏｒｔ  ｌｅｇａｃｙ  ｐａｔｔｅｒｎを排除する形態でさらに他の１２-ｐｏｒｔ  ｐａｔｔｅｒｎ  ＃２を定義する式で１２-ｐｏｒｔ  ｐａｔｔｅｒｎ  ＃ｎ個までを定義することができる。
【０４５０】
このうち、端末別に何番目のｐａｔｔｅｒｎが設定されるかを指示子などを介して選択的に設定してくれる方法も適用可能である。
【０４５１】
端末は、以上の方法のように設定された特定の１２-ｐｏｒｔ  ｐａｔｔｅｒｎ  ＃ｉ（ｉ＝１、２、…またはｎ）に対してＣＳＩに対したｃｈａｎｎｅｌを測定し、基地局にＣＳＩ  ｒｅｐｏｒｔｉｎｇを行う。
【０４５２】
第３の実施の形態
【０４５３】
第３の実施の形態は、多数の（存在する）ＣＳＩ-ＲＳ  ｒｅｓｏｕｒｃｅを併合（ａｇｇｒｅｇａｔｉｏｎ）して、新しいＣＳＩ-ＲＳ  ｒｅｓｏｕｒｃｅを設定する方法を提供する。
【０４５４】
例えば、１２-ｐｏｒｔ  ＣＳＩ-ＲＳ  ｒｅｓｏｕｒｃｅ設定は、４-ｐｏｒｔ  ＣＳＩ-ＲＳ  ｒｅｓｏｕｒｃｅ３個を共に併合（ａｇｇｒｅｇａｔｉｏｎ）して設定できる。
【０４５５】
または、１６-ｐｏｒｔ  ＣＳＩ-ＲＳ  ｒｅｓｏｕｒｃｅ設定は、４-ｐｏｒｔ  ＣＳＩ-ＲＳ  ｒｅｓｏｕｒｃｅ４個を共に併合（ａｇｇｒｅｇａｔｉｏｎ）して設定できる。
【０４５６】
または、１６-ｐｏｒｔ  ＣＳＩ-ＲＳ  ｒｅｓｏｕｒｃｅ設定は、８-ｐｏｒｔ  ＣＳＩ-ＲＳ  ｒｅｓｏｕｒｃｅ２個を共に併合（ａｇｇｒｅｇａｔｉｏｎ）して設定できる。
【０４５７】
具体的には、以下の方法１ないし方法４の原理のうち、少なくとも一つが適用される形態として、第３の実施の形態において提案するＮｅｗ  ＣＳＩ-ＲＳ  ｐａｔｔｅｒｎ設定方法が定義されることができる。
【０４５８】
（１）方法１
【０４５９】
Ｎｅｗ  ＣＳＩ-ＲＳ（ｒｅｓｏｕｒｃｅ）設定は、常に特定（ｅｘｉｓｔｉｎｇ）Ｘ-ｐｏｒｔ  ＣＳＩ-ＲＳ  ｒｅｓｏｕｒｃｅのｍｕｌｔｉｐｌｅ ａｇｇｒｅｇａｔｉｏｎ形態で設定されると定義する。
【０４６０】
一例として、Ｘ＝４に固定されることができる。Ｘが‘４’に固定される場合、前記Ｎｅｗ  ＣＳＩ-ＲＳ設定は、４-ｐｏｒｔ、８-ｐｏｒｔ、１２-ｐｏｒｔ、１６-ｐｏｒｔ、２０-ｐｏｒｔなどに設定できるという拡張性を有する。
【０４６１】
また、Ｘが‘２’（Ｘ＝２）に固定される場合、Ｎｅｗ  ＣＳＩ-ＲＳ  ｒｅｓｏｕｒｃｅ設定は、２の倍数になるｐｏｒｔ数を有するように設定することが可能である。
【０４６２】
前記Ｘ-ｐｏｒｔ  ＣＳＩ-ＲＳ  ｒｅｓｏｕｒｃｅがＹ個のｍｕｌｔｉｐｌｅ ａｇｇｒｅｇａｔｉｏｎされた形態で前記Ｎｅｗ  ＣＳＩ-ＲＳ設定が提供されたとき、総ＸＹ個のｐｏｒｔｓが存在する。
【０４６３】
総ＸＹ個のａｎｔｅｎｎａ  ｐｏｒｔに対するｐｏｒｔ  ｎｕｍｂｅｒｉｎｇ規則は、以下の１）オプション１または２）オプション２のような方式に従うことができる。
【０４６４】
説明の便宜のために、ＣＳＩ-ＲＳ  ｒｅｓｏｕｒｃｅ  ＃１、ＣＳＩ-ＲＳ  ｒｅｓｏｕｒｃｅ  ＃２、…、ＣＳＩ-ＲＳ  ｒｅｓｏｕｒｃｅ  ＃Ｙが共にａｇｇｒｅｇａｔｉｏｎされており、各ＣＳＩ-ＲＳ  ｒｅｓｏｕｒｃｅ内のｐｏｒｔ  ｎｕｍｂｅｒｉｎｇは、０、１、…、Ｘ-１と付与されていると仮定する。
【０４６５】
ここで、各ＣＳＩ-ＲＳ  ｒｅｓｏｕｒｃｅ内のｐｏｒｔ  ｎｕｍｂｅｒｉｎｇは、１５、１６、…、１５＋Ｘ-１形態でｐｏｒｔ  ｎｕｍｂｅｒの開始点は、実際には、０でなく、１５または他の値でありうる。
【０４６６】
１）オプション１
【０４６７】
ｎｇは、下記のように決まることができる。
【０４６８】
同様に、ｐｏｒｔ  ｎｕｍｂｅｒの開始点は、０でなくありうる。
【０４６９】
総ＸＹ個のｐｏｒｔのうち、｛０、１、…、Ｘ-１｝は、それぞれＣＳＩ-ＲＳ  ｒｅｓｏｕｒｃｅ  ＃１内のＸ個｛０、１、…、Ｘ-１｝ｐｏｒｔを順次にマッピングする。
【０４７０】
次に、｛Ｘ、Ｘ＋１、…、２Ｘ-１｝は、ＣＳＩ-ＲＳ  ｒｅｓｏｕｒｃｅ  ＃２内のＸ個｛０、１、…、Ｘ-１｝ｐｏｒｔを順次にマッピングする。
【０４７１】
このような方式で続いてＣＳＩ-ＲＳ  ｒｅｓｏｕｒｃｅ  ｉｎｄｅｘの昇順（または降順）にｐｏｒｔを順次に接続させてマッピングし、最後のＸ個のｐｏｒｔ  ｉｎｄｅｘである｛（Ｙ-１）Ｘ、（Ｙ-１）Ｘ＋１、…、ＹＸ-１｝は、ＣＳＩ-ＲＳ  ｒｅｓｏｕｒｃｅ  ＃ＹのＸ個｛０、１、…、Ｘ-１｝ｐｏｒｔに順次にマッピングする。
【０４７２】
このようにマッピングされた総ｐｏｒｔ  ｉｎｄｅｘｅｓ｛０、１、…、ＸＹ-１｝に対して、端末は、ＣＳＩ  ｐｒｏｃｅｓｓ設定（または関連したＣＳＩ  ｆｅｅｄｂａｃｋ設定）を介して該当ｃｏｄｅｂｏｏｋを適用して、ＣＳＩ  ｄｅｒｉｖａｔｉｏｎを行う。
【０４７３】
２）オプション２
【０４７４】
総ＸＹ個のｐｏｒｔ（０、１、…、ＸＹ-１）に対するｐｏｒｔ  ｎｕｍｂｅｒｉｎｇは、下記のように決まる。
【０４７５】
総ＸＹ個のｐｏｒｔのうち、｛０、１、…、Ｙ-１｝は、それぞれＣＳＩ-ＲＳ  ｒｅｓｏｕｒｃｅ  ＃１、＃２、…、＃Ｙ内のｐｏｒｔ  ０を順次にマッピングする。
【０４７６】
次に、｛Ｙ、Ｙ＋１、…、２Ｙ-１｝は、それぞれＣＳＩ-ＲＳ  ｒｅｓｏｕｒｃｅ  ＃１、＃２、…、＃Ｙ内のｐｏｒｔ  １を順次にマッピングする。
【０４７７】
このような方式で行い続けて、最後のＹ個のｐｏｒｔ  ｉｎｄｅｘである｛（Ｘ-１）Ｙ、（Ｘ-１）Ｙ＋１、…、ＸＹ-１｝は、それぞれＣＳＩ-ＲＳ  ｒｅｓｏｕｒｃｅ  ＃１、＃２、…、＃Ｙ内のｐｏｒｔ  Ｘ-１を順次にマッピングする。
【０４７８】
このようにマッピングされた総ｐｏｒｔ  ｉｎｄｅｘｅｓ｛０、１、…、ＸＹ-１｝に対し、端末は、ＣＳＩ  ｐｒｏｃｅｓｓ設定（または関連したＣＳＩ  ｆｅｅｄｂａｃｋ設定）を介して該当ｃｏｄｅｂｏｏｋを適用してＣＳＩ  ｄｅｒｉｖａｔｉｏｎを行う。
【０４７９】
（２）方法２
【０４８０】
上述の方法１を適用する状況で、例外的な追加条件として、前記Ｘ-ｐｏｒｔ  ＣＳＩ-ＲＳ  ｒｅｓｏｕｒｃｅがＹ個ｍｕｌｔｉｐｌｅ ａｇｇｒｅｇａｔｉｏｎされた後に追加にＡ-ｐｏｒｔ  （０＜Ａ＜Ｘ）ＣＳＩ-ＲＳ  ｒｅｓｏｕｒｃｅをもう一つａｇｇｒｅｇａｔｉｏｎさせることができるようにする形態で拡張定義／設定されることができる。
【０４８１】
例えば、Ｘ＝４、Ｙ＝３、Ａ＝２の場合、４-ｐｏｒｔ  ＣＳＩ-ＲＳ  ｒｅｓｏｕｒｃｅが３個ａｇｇｒｅｇａｔｉｏｎされるので、総１２-ｐｏｒｔ  ＣＳＩ-ＲＳの状態でさらに２-ｐｏｒｔ  ＣＳＩ-ＲＳ  ｒｅｓｏｕｒｃｅをもう一つａｇｇｒｅｇａｔｉｏｎすると、総１４-ｐｏｒｔ  ＣＳＩ-ＲＳ  ｒｅｓｏｕｒｃｅが設定されることができる。
【０４８２】
これは、常にＸ-ｐｏｒｔ  ＣＳＩ-ＲＳ  ｒｅｓｏｕｒｃｅ単位のみでａｇｇｒｅｇａｔｉｏｎさせるように限定することから拡張して、Ｘ-ｐｏｒｔより小さな単位である特定Ａ-ｐｏｒｔ数を追加することができるようにする効果がある。
【０４８３】
結果的に、万が一、１４-ｐｏｒｔ  ＣＳＩ-ＲＳ  ｒｅｓｏｕｒｃｅを設定しようとすると、総４個のＣＳＩ-ＲＳ  ｒｅｓｏｕｒｃｅｓ（３個のＸ-ｐｏｒｔ＋１個のＡ-ｐｏｒｔ  ＣＳＩ-ＲＳ  ｒｅｓｏｕｒｃｅ）を含むことによって設定可能である。
【０４８４】
この場合、前記方法１でのオプション１及びオプション２は、下記のように一部拡張適用されることができる。
【０４８５】
１）オプション１’
【０４８６】
方法１でのオプション１（またはオプション２）方式をＸ-ｐｏｒｔ  ＣＳＩ-ＲＳ  ｒｅｓｏｕｒｃｅに対してのみまず同様に適用する。
【０４８７】
すなわち、｛０、１、…、ＸＹ-１｝ｐｏｒｔをまずマッピングした後、追加的なＡ個（例えば、Ａ＝２）のｐｏｒｔである｛ＸＹ、…、ＸＹ＋Ａ-１｝は、それぞれ前記追加されたＡ-ｐｏｒｔ  ＣＳＩ-ＲＳ  ｒｅｓｏｕｒｃｅ内の｛０、…、Ａ-１｝ｐｏｒｔを順次に続いてマッピングする。
【０４８８】
２）オプション２’
【０４８９】
方法１でのオプション２方式に従って、総Ｙ個のＸ-ｐｏｒｔ  ＣＳＩ-ＲＳ  ｒｅｓｏｕｒｃｅ  ｉｎｄｅｘをそれぞれＣＳＩ-ＲＳ  ｒｅｓｏｕｒｃｅ  ＃１、＃２、…、＃Ｙと名称するとき、追加された１個のＡ-ｐｏｒｔ  ＣＳＩ-ＲＳ  ｒｅｓｏｕｒｃｅ  ｉｎｄｅｘを＃（Ｙ＋１）と名付けることができる。
【０４９０】
そして、優先的に各ＣＳＩ-ＲＳ  ｒｅｓｏｕｒｃｅ内のｐｏｒｔ  ０をＣＳＩ-ＲＳ  ｒｅｓｏｕｒｃｅ  ｉｎｄｅｘの昇順（または降順）に交互にまずマッピングする。
【０４９１】
その次に、各ＣＳＩ-ＲＳ  ｒｅｓｏｕｒｃｅ内のｐｏｒｔ  １をＣＳＩ-ＲＳ  ｒｅｓｏｕｒｃｅ  ｉｎｄｅｘの昇順（または降順）に交互に続いてマッピングするものの、ｐｏｒｔ  １がない特定ＣＳＩ-ＲＳ  ｒｅｓｏｕｒｃｅがあると、該当ｐｏｒｔは、マッピングをスキップ（ｓｋｉｐ）するようにする。
【０４９２】
こういう方式でその次のｐｏｒｔ  ２に対して、その次のｐｏｒｔ３に対しても（該当ｐｏｒｔを含んでいるＣＳＩ-ＲＳ  ｒｅｓｏｕｒｃｅ  ｉｎｄｅｘが一つでも残っている限り）この動作を繰り返して、すべてのｐｏｒｔ  ｍａｐｐｉｎｇを行う。
【０４９３】
（３）方法３
【０４９４】
方法２において説明した例外動作は、続いて次の通りに一般化または拡張適用されることができる。
【０４９５】
すなわち、前記Ｘ-ｐｏｒｔ  ＣＳＩ-ＲＳ  ｒｅｓｏｕｒｃｅがＹ個ｍｕｌｔｉｐｌｅ ａｇｇｒｅｇａｔｉｏｎされた後、追加にＡ-ｐｏｒｔ（０＜Ａ＜Ｘ）ＣＳＩ-ＲＳ  ｒｅｓｏｕｒｃｅをもう一つａｇｇｒｅｇａｔｉｏｎさせることができ、ここに追加にＢ-ｐｏｒｔ（０＜Ｂ＜Ａ）ＣＳＩ-ＲＳ  ｒｅｓｏｕｒｃｅをもう一つａｇｇｒｅｇａｔｉｏｎさせることができる。
【０４９６】
そして、ここに追加にＣ-ｐｏｒｔ  （０＜Ｃ＜Ｂ）  ＣＳＩ-ＲＳ  ｒｅｓｏｕｒｃｅをもう一つａｇｇｒｅｇａｔｉｏｎさせることができる等のような形態でより小さなｐｏｒｔ単位のＣＳＩ-ＲＳ  ｒｅｓｏｕｒｃｅを追加設定し続けることができる形態で拡張定義／設定されることができる。
【０４９７】
上述の方法１、方法２及び方法３を適用するにおいて、ＣＳＩ-ＲＳ  ｒｅｓｏｕｒｃｅをそれぞれＣＳＩ-ＲＳ  ｒｅｓｏｕｒｃｅ  ＃１、ＣＳＩ-ＲＳ  ｒｅｓｏｕｒｃｅ  ＃２などの形態で表記した部分は、ＲＲＣ  ｓｉｇｎａｌｉｎｇ上のＣＳＩ-ＲＳ  ｒｅｓｏｕｒｃｅ  ＩＤが付与されるｉｎｄｅｘを意味するか、またはＲＲＣ  ｓｉｇｎａｌｉｎｇを介して付与されるＣＳＩ-ＲＳ  ｒｅｓｏｕｒｃｅ  ＩＤを昇順に整列した後、前から順次に＃１、＃２等で付与したｉｎｄｅｘを意味できる。
【０４９８】
以下、多数のｌｅｇａｃｙ  ＣＳＩ-ＲＳ  ｒｅｓｏｕｒｃｅを併合して、新しいＣＳＩ-ＲＳ  ｒｅｓｏｕｒｃｅを設定する方法と、ＣＳＩ-ＲＳ  ｃｏｎｆｉｇｕｒａｔｉｏｎ（ｉｎｄｅｘ）を利用して、ＣＳＩ-ＲＳ  ｒｅｓｏｕｒｃｅ内のＣＳＩ-ＲＳＲＥ（ら）に対したアンテナポートナンバリング（ａｎｔｅｎｎａ  ｐｏｒｔ  ｎｕｍｂｅｒｉｎｇ）を行う方法について、第４の実施の形態を介して具体的に述べることにする。
【０４９９】
ここで、ｌｅｇａｃｙ  ＣＳＩ-ＲＳ  ｒｅｓｏｕｒｃｅは、１-ｐｏｒｔ、２-ｐｏｒｔ、４-ｐｏｒｔ、８-ｐｏｒｔ  ＣＳＩ-ＲＳ  ｒｅｓｏｕｒｃｅを意味し、新しいＣＳＩ-ＲＳ  ｒｅｓｏｕｒｃｅは、８-ｐｏｒｔより多いポート（例：１２-ｐｏｒｔ、１６-ｐｏｒｔ等）に対したＣＳＩ-ＲＳ  ｒｅｓｏｕｒｃｅを意味する。
【０５００】
上述のように、ＣＳＩ-ＲＳ  ｒｅｓｏｕｒｃｅは、ＣＳＩ-ＲＳが送信される資源のパターンを表すもので、一般に一つのＸ-ｐｏｒｔ  ＣＳＩ-ＲＳ  ｒｅｓｏｕｒｃｅは、Ｘ個のｐｏｒｔ数分だけのＲＥを含むことができる。
【０５０１】
また、多数のＣＳＩ-ＲＳ  ｒｅｓｏｕｒｃｅをＣＳＩ-ＲＳ  ｒｅｓｏｕｒｃｅ  ｐｏｏｌと呼ぶことができる。
【０５０２】
第４の実施の形態
【０５０３】
第４の実施の形態は、第３の実施の形態において述べた方法１ないし方法３（アンテナポートナンバリング規則）を利用して、ＣＳＩ-ＲＳ  ｒｅｓｏｕｒｃｅ（例：１２-ｐｏｒｔの場合、４-ｐｏｒｔ  ｒｅｓｏｕｒｃｅ３個、１６-ｐｏｒｔの場合、８-ｐｏｒｔ  ｒｅｓｏｕｒｃｅ２個）に対して各ＣＳＩ-ＲＳ  ｒｅｓｏｕｒｃｅ別アンテナポートナンバリング規則に対する方法を提供する。
【０５０４】
すなわち、第４の実施の形態は、各ＣＳＩ-ＲＳ  ｒｅｓｏｕｒｃｅにおいてＣＳＩ-ＲＳが送信されるＲＥ（ら）の位置及び該当ＲＥ（ら）に対したａｎｔｅｎｎａ  ｐｏｒｔ  ｎｕｍｂｅｒｉｎｇの規則（または、方法またはマッピング）を提供する。
【０５０５】
すなわち、基地局がＲＲＣ  ｓｉｇｎａｌｉｎｇ（例：ＣＳＩ-ＲＳ  ｃｏｎｆｉｇ．）を介して端末に設定するＣＳＩ-ＲＳ  ｒｅｓｏｕｒｃｅ  ＩＤと関係なく、（Ｘ-ｐｏｒｔ）ＣＳＩ-ＲＳ  ｒｅｓｏｕｒｃｅ  ＃ｉ（ｉ＝０、１、２、…）を介して設定される情報のうち、前記Ｘ個のａｎｔｅｎｎａ  ｐｏｒｔがマッピングされるＣＳＩ-ＲＳＲＥ位置と関連したＣＳＩ-ＲＳ  ｃｏｎｆｉｇｕｒａｔｉｏｎ  ｎｕｍｂｅｒ（またはｉｎｄｅｘ）を適用する形態でアンテナポートナンバリング規則が定義／設定されることができる。
【０５０６】
ここで、（Ｘ-ｐｏｒｔ）ＣＳＩ-ＲＳ  ｒｅｓｏｕｒｃｅ  ＃０、＃１、＃２等は、各々Ｘ個のアンテナポートにマッピングされるＲＥを含む。
【０５０７】
前記ＣＳＩ-ＲＳ  ｃｏｎｆｉｇｕｒａｔｉｏｎ  ｎｕｍｂｅｒ（またはｉｎｄｅｘ）は、上述の表３及び表４の最も左側のｃｏｌｕｍｎである‘ＣＳＩ  ｒｅｆｅｒｅｎｃｅ  ｓｉｇｎａｌ  ｃｏｎｆｉｇｕｒａｔｉｏｎ’を表す。
【０５０８】
ここで、前記表３及び表４のＣＳＩ-ＲＳ  ｃｏｎｆｉｇｕｒａｔｉｏｎのｉｎｄｅｘは、ＣＳＩ-ＲＳ  ｒｅｓｏｕｒｃｅにおいてＣＳＩ-ＲＳが送信されるＲＥの開始地点を表す情報である。
【０５０９】
例えば、端末が同じＣＳＩ  ｐｒｏｃｅｓｓ内に共に設定されたＹ個のＣＳＩ-ＲＳ  ｒｅｓｏｕｒｃｅがあるとしよう。
【０５１０】
各ＣＳＩ-ＲＳ  ｒｅｓｏｕｒｃｅにおいて指示しているＲＥ位置に関する‘ＣＳＩ  ｒｅｆｅｒｅｎｃｅ  ｓｉｇｎａｌ  ｃｏｎｆｉｇｕｒａｔｉｏｎ’ｎｕｍｂｅｒを昇順（または降順）に整列した後、これについて上述の方法１ないし方法３のａｎｔｅｎｎａ  ｐｏｒｔ  ｎｕｍｂｅｒｉｎｇ規則を適用する。
【０５１１】
この場合、上述の方法１ないし方法３において表示したＣＳＩ-ＲＳ  ｒｅｓｏｕｒｃｅ  ＃１、＃２などの形態は、ＲＲＣ  ｓｉｇｎａｌｉｎｇ上のＣＳＩ-ＲＳ  ｒｅｓｏｕｒｃｅ  ＩＤでなく、‘ＣＳＩ  ｒｅｆｅｒｅｎｃｅ  ｓｉｇｎａｌ  ｃｏｎｆｉｇｕｒａｔｉｏｎ’ｎｕｍｂｅｒで（昇順または降順に）再整列されたＣＳＩ-ＲＳ  ｒｅｓｏｕｒｃｅ  ｉｎｄｅｘに該当する。
【０５１２】
このとき、前記‘ＣＳＩ  ｒｅｆｅｒｅｎｃｅ  ｓｉｇｎａｌ  ｃｏｎｆｉｇｕｒａｔｉｏｎ’ｎｕｍｂｅｒで昇順（または降順）に整列する動作無しで、ＲＲＣ  ｓｉｇｎａｌｉｎｇ設定上、前記‘ＣＳＩ  ｒｅｆｅｒｅｎｃｅ  ｓｉｇｎａｌ  ｃｏｎｆｉｇｕｒａｔｉｏｎ’ｎｕｍｂｅｒが設定／提供される順に前記ＣＳＩ-ＲＳ  ｒｅｓｏｕｒｃｅ  ＃１、＃２などが対応すると見なし、各ＣＳＩ-ＲＳ  ｒｅｓｏｕｒｃｅ別アンテナポートナンバリング規則を適用できる。
【０５１３】
例えば、前記Ｘ＝４（Ｘは、ａｎｔｅｎｎａ  ｐｏｒｔの数）、Ｙ＝３（Ｙは、ＣＳＩ-ＲＳ  ｒｅｓｏｕｒｃｅの数）とするとき、ＲＲＣ  ｓｉｇｎａｌｉｎｇ（例：ＣＳＩ-ＲＳ  ｃｏｎｆｉｇ．ＩＥ）を介してＣＳＩ-ＲＳ  ｒｅｓｏｕｒｃｅ３個（Ｙ＝３）に対した“ＣＳＩ  ｒｅｆｅｒｅｎｃｅ  ｓｉｇｎａｌ  ｃｏｎｆｉｇｕｒａｔｉｏｎ”ｎｕｍｂｅｒが設定されることができる。
【０５１４】
このとき、前記設定されたＣＳＩ-ＲＳ  ｃｏｎｆｉｇｕｒａｔｉｏｎ  ｎｕｍｂｅｒは、それぞれ順に２、６、４と仮定する。
【０５１５】
この場合、上述の方法（方法１ないし方法３）においてＣＳＩ-ＲＳ  ｒｅｓｏｕｒｃｅ  ＃１、ＣＳＩ-ＲＳ  ｒｅｓｏｕｒｃｅ  ＃２、ＣＳＩ-ＲＳ  ｒｅｓｏｕｒｃｅ  ＃３は、順にそれぞれ‘ＣＳＩ  ｒｅｆｅｒｅｎｃｅ  ｓｉｇｎａｌ  ｃｏｎｆｉｇｕｒａｔｉｏｎ’ｎｕｍｂｅｒ２、６、４に対応すると見なし、上述のａｎｔｅｎｎａ  ｐｏｒｔ  ｎｕｍｂｅｒｉｎｇ規則を適用できる。
【０５１６】
前記ＲＲＣ  ｓｉｇｎａｌｉｎｇの一例は、ＣＳＩ-ＲＳ  ｃｏｎｆｉｇ．ＩＥ（Ｉｎｆｏｒｍａｔｉｏｎ  Ｅｌｅｍｅｎｔ）でありえ、そのフォーマットの一例は、以下の表６のとおりであり、表６のパラメータについての説明は、以下の表７のとおりである。
【０５１７】
【表６】
2020074542.tif 000025
【０５１８】
【表７】
2020074542.tif 000026
【０５１９】
各ＣＳＩ-ＲＳ  ｒｅｓｏｕｒｃｅ（＃１、＃２、＃３等）でのアンテナポートナンバリング方法を、上述のオプション１に従って適用すると、以下のとおりである。
【０５２０】
まず、ＣＳＩ-ＲＳ  ｒｅｓｏｕｒｃｅ  ＃１にマッピングされるアンテナポートは、（０、１、２、３）または（１５、１６、１７、１８）であり、ＣＳＩ-ＲＳ  ｒｅｓｏｕｒｃｅ  ＃２にマッピングされるアンテナポートは、（４、５、６、７）または（１９、２０、２１、２２）であり、ＣＳＩ-ＲＳ  ｒｅｓｏｕｒｃｅ  ＃３にマッピングされるアンテナポートは、（８、９、１０、１１）または（２３、２４、２５、２６）でありうる。
【０５２１】
また、アンテナポート０（または１５）、４（または１９）、８（または２３）がマッピングされるＲＥの位置は、各ＣＳＩ-ＲＳ  ｒｅｓｏｕｒｃｅに対応するＣＳＩ-ＲＳ  ｃｏｎｆｉｇｕｒａｔｉｏｎ  ｎｕｍｂｅｒ（またはｉｎｄｅｘ）により決定されることができる。
【０５２２】
前に例に挙げた、ＣＳＩ-ＲＳ  ｒｅｓｏｕｒｃｅ別アンテナポートマッピング規則は、以下の数式１３で定義されうる。
【０５２３】
【数１３】
2020074542.tif 000027
【０５２４】
式中、ｉは、ＣＳＩ-ＲＳ  ｒｅｓｏｕｒｃｅ  ｎｕｍｂｅｒを表し、
2020074542.tif 000028
の値を有することができる。
【０５２５】
そして、アンテナポートｐは、
2020074542.tif 000029
と決定され、ｐ’は、
2020074542.tif 000030
の値を有することができる。
【０５２６】
式中、特定‘ＣＳＩ  ｒｅｆｅｒｅｎｃｅ  ｓｉｇｎａｌ  ｃｏｎｆｉｇｕｒａｔｉｏｎ’ｎｕｍｂｅｒ（例えば、＝２）は、ｌｅｇａｃｙ  ＣＳＩ-ＲＳ  ｒｅｓｏｕｒｃｅ設定内に含まれたものでありうる。
【０５２７】
すなわち、ＲＲＣ  ｓｉｇｎａｌｉｎｇ構造上、前記‘ＣＳＩ  ｒｅｆｅｒｅｎｃｅ  ｓｉｇｎａｌ  ｃｏｎｆｉｇｕｒａｔｉｏｎ’ｎｕｍｂｅｒ２、６、４のうち、特定の一つ（例えば、最前の２であるか、最後の４でありうる）は、ｌｅｇａｃｙ  （ｄｅｆａｕｌｔ）  ＣＳＩ-ＲＳ  ｒｅｓｏｕｒｃｅ設定ＲＲＣ  ｍｅｓｓａｇｅ（例：ＣＳＩ-ＲＳ  ｃｏｎｆｉｇ．ＩＥ）内での情報を介して提供されることができる。
【０５２８】
一例として、前記特定ＣＳＩ  ｒｅｆｅｒｅｎｃｅ  ｓｉｇｎａｌ  ｃｏｎｆｉｇｕｒａｔｉｏｎ’ｎｕｍｂｅｒは、表６でのＣＳＩ-ＲＳ-ＣｏｎｆｉｇＮＺＰ-ｒ１１内のｒｅｓｏｕｒｃｅ  Ｃｏｎｆｉｇ-ｒ１１を介して提供されることができる。
【０５２９】
そして、残りの他の‘ＣＳＩ  ｒｅｆｅｒｅｎｃｅ  ｓｉｇｎａｌ  ｃｏｎｆｉｇｕｒａｔｉｏｎ’ｎｕｍｂｅｒは、ａｄｄｉｔｉｏｎａｌ  ｃｏｎｆｉｇｕｒａｔｉｏｎ  ｎｕｍｂｅｒ関連情報として端末に追加提供される形態でＲＲＣシグナルリングがデザインされることもできる。
【０５３０】
一例として、前記残りのＣＳＩ  ｒｅｆｅｒｅｎｃｅ  ｓｉｇｎａｌ  ｃｏｎｆｉｇｕｒａｔｉｏｎ’ｎｕｍｂｅｒは、表６でのｎｚｐ-ｒｅｓｏｕｒｃｅＣｏｎｆｉｇＬｉｓｔ-ｒ１３及びｒｅｓｏｕｒｃｅＣｏｎｆｉｇ-ｒ１３を介して提供されることができる。
【０５３１】
ここで、前記ｌｅｇａｃｙ  （ｄｅｆａｕｌｔ）  ＣＳＩ-ＲＳ  ｒｅｓｏｕｒｃｅ設定を介して提供される特定‘ＣＳＩ  ｒｅｆｅｒｅｎｃｅ  ｓｉｇｎａｌ  ｃｏｎｆｉｇｕｒａｔｉｏｎ’ｎｕｍｂｅｒ（例えば、＝２）をＣＳＩ-ＲＳ  ｒｅｓｏｕｒｃｅ  ＃１に最も先に対応させることができ、または前記ＣＳＩ-ＲＳ  ｒｅｓｏｕｒｃｅ  ＃３に最も先に対応させることもできる。
【０５３２】
これと関連して、特定ＲＲＣ  ｍｅｓｓａｇｅ  ｄｅｌｉｖｅｒｙ構造によって 他のＲＲＣｃｏｎｔａｉｎｅｒを介して基地局が端末炉シグナルリングを送信する場合にも、基地局と端末間の曖昧さ（ａｍｂｉｇｕｉｔｙ）があってはならない。
【０５３３】
したがって、このために特定の決まった順序（または規則（ｒｕｌｅ））により前記設定される‘ＣＳＩ  ｒｅｆｅｒｅｎｃｅ  ｓｉｇｎａｌ  ｃｏｎｆｉｇｕｒａｔｉｏｎ’ｎｕｍｂｅｒと上述の方法でのＣＳＩ-ＲＳ  ｒｅｓｏｕｒｃｅ  ＃１、＃２、＃３、…間に１対１に対応が明確に認識されうるようにする方法が規定されるように定義する。
【０５３４】
まず、ｌｅｇａｃｙ  （ｄｅｆａｕｌｔ）  ＣＳＩ-ＲＳ  ｒｅｓｏｕｒｃｅ設定（情報要素）を介して提供される特定‘ＣＳＩ  ｒｅｆｅｒｅｎｃｅ  ｓｉｇｎａｌ  ｃｏｎｆｉｇｕｒａｔｉｏｎ’ｎｕｍｂｅｒが最も低いＣＳＩ-ＲＳ  ｒｅｓｏｕｒｃｅ  ｉｎｄｅｘ（例：ＣＳＩ-ＲＳ  ｒｅｓｏｕｒｃｅ  ＃１）に対応する場合について 説明する。
【０５３５】
例えば、ＣＳＩ-ＲＳ  ｒｅｓｏｕｒｃｅ  ＃１は、特定“ＣＳＩ-Ｐｒｏｃｅｓｓ-ｒ１１”設定内の（ｌｅｇａｃｙ）“ｃｓｉ-ＲＳ-ＣｏｎｆｉｇＮＺＰＩｄ-ｒ１１”で指示する“ｒｅｓｏｕｒｃｅ  Ｃｏｎｆｉｇ-ｒ１１  ＩＮＴＥＧＥＲ（０．．３１）”設定値に対応できる。
【０５３６】
そして、ＣＳＩ-ＲＳ  ｒｅｓｏｕｒｃｅ  ＃２は、“ＣＳＩ-ＲＳ-ＣｏｎｆｉｇＮＺＰ-ＥＭＩＭＯ-ｒ１３”の“ｎｚｐ-ｒｅｓｏｕｒｃｅＣｏｎｆｉｇＬｉｓｔ-ｒ１３  ＳＥＱＵＥＮＣＥ  ＳＩＺＥ（１．．２）または（２．．８））ＯＦ  ＮＺＰ-ＲｅｓｏｕｒｃｅＣｏｎｆｉｇ-ｒ１３”で表現される追加設定情報のうち、第１番目の“ＮＺＰ-ＲｅｓｏｕｒｃｅＣｏｎｆｉｇ-ｒ１３”で指示する“ＲｅｓｏｕｒｃｅＣｏｎｆｉｇ-ｒ１３：：＝ＩＮＴＥＧＥＲ（０．．３１）”設定値に対応できる。
【０５３７】
そして、ＣＳＩ-ＲＳ  ｒｅｓｏｕｒｃｅ  ＃３は、“ＣＳＩ-ＲＳ-ＣｏｎｆｉｇＮＺＰ-ＥＭＩＭＯ-ｒ１３”の“ｎｚｐ-ｒｅｓｏｕｒｃｅＣｏｎｆｉｇＬｉｓｔ-ｒ１３  ＳＥＱＵＥＮＣＥ（ＳＩＺＥ（１．．２））ＯＦ  ＮＺＰ-ＲｅｓｏｕｒｃｅＣｏｎｆｉｇ-ｒ１３”で表現される追加設定情報のうち、第２番目の“ＮＺＰ-ＲｅｓｏｕｒｃｅＣｏｎｆｉｇ-ｒ１３”で指示する“ＲｅｓｏｕｒｃｅＣｏｎｆｉｇ-ｒ１３：：＝ＩＮＴＥＧＥＲ（０．．３１）”設定値に対応できる。
【０５３８】
上述の方法は、１６-ｐｏｒｔ  ＣＳＩ-ＲＳ  ｒｅｓｏｕｒｃｅに対するａｎｔｅｎｎａ  ｐｏｒｔマッピング方法に対しても同様に適用できることはもちろんである。
【０５３９】
すなわち、Ｘ＝８（Ｘは、ａｎｔｅｎｎａ  ｐｏｒｔの数）、Ｙ＝２（Ｙは、ＣＳＩ-ＲＳ  ｒｅｓｏｕｒｃｅの数）の構造において、各ＣＳＩ-ＲＳ  ｒｅｓｏｕｒｃｅにａｎｔｅｎｎａ  ｐｏｒｔをマッピングする方法にも同様に適用されることができる。
【０５４０】
以下の表８は、上述のｌｅｇａｃｙ（ｄｅｆａｕｌｔ）を最初に対応する場合を簡略に整理した表である。表８の場合、ｎｏｒｍａｌ  ＣＰの場合を例とした。
【０５４１】
【表８】
2020074542.tif 000031
【０５４２】
表８において、ｋ’は、資源ブロック内の副搬送波インデックスを表し、ｌ’は、スロット内のＯＦＤＭシンボルインデックスを表し、ｎｓは、ｓｕｂｆｒａｍｅ内のｓｌｏｔを表す。
【０５４３】
表８中、ＣＳＩ-ＲＳ  ｃｏｎｆｉｇｕｒａｔｉｏｎ  ｎｕｍｂｅｒ（またはｉｎｄｅｘ）は、前の表３及び４を参照することにする。
【０５４４】
次に、ｌｅｇａｃｙ  （ｄｅｆａｕｌｔ）  ＣＳＩ-ＲＳ  ｒｅｓｏｕｒｃｅ設定を介して提供される特定‘ＣＳＩ  ｒｅｆｅｒｅｎｃｅ  ｓｉｇｎａｌ  ｃｏｎｆｉｇｕｒａｔｉｏｎ’ｎｕｍｂｅｒが最も高いＣＳＩ-ＲＳ  ｒｅｓｏｕｒｃｅ  ｉｎｄｅｘ（ＣＳＩ-ＲＳ  ｒｅｓｏｕｒｃｅ  ＃３）に対応する場合について述べる。
【０５４５】
例えば、上述の方法（方法１ないし方法３）において、ＣＳＩ-ＲＳ  ｒｅｓｏｕｒｃｅ  ＃３は、“ＣＳＩ-ＲＳ-ＣｏｎｆｉｇＮＺＰ-ＥＭＩＭＯ-ｒ１３”の“ｎｚｐ-ｒｅｓｏｕｒｃｅＣｏｎｆｉｇＬｉｓｔ-ｒ１３ＳＥＱＵＥＮＣＥ（ＳＩＺＥ（１．．２）または（２．．８））ＯＦ  ＮＺＰ-ＲｅｓｏｕｒｃｅＣｏｎｆｉｇ-ｒ１３”と表現される追加設定情報のうち、第１番めの“ＮＺＰ-ＲｅｓｏｕｒｃｅＣｏｎｆｉｇ-ｒ１３”で指示する“ＲｅｓｏｕｒｃｅＣｏｎｆｉｇ-ｒ１３：：＝ＩＮＴＥＧＥＲ（０．．３１）”設定値に対応できる。
【０５４６】
そして、ＣＳＩ-ＲＳ  ｒｅｓｏｕｒｃｅ  ＃２は、“ＣＳＩ-ＲＳ-ＣｏｎｆｉｇＮＺＰ-ＥＭＩＭＯ-ｒ１３”の“ｎｚｐ-ｒｅｓｏｕｒｃｅＣｏｎｆｉｇＬｉｓｔ-ｒ１３  ＳＥＱＵＥＮＣＥ（ＳＩＺＥ（１．．２））  ＯＦ  ＮＺＰ-ＲｅｓｏｕｒｃｅＣｏｎｆｉｇ-ｒ１３”と表現される追加設定情報のうち、第２番目の“ＮＺＰ-ＲｅｓｏｕｒｃｅＣｏｎｆｉｇ-ｒ１３”で指示する“ＲｅｓｏｕｒｃｅＣｏｎｆｉｇ-ｒ１３：：＝ＩＮＴＥＧＥＲ（０．．３１）”設定値に対応できる。
【０５４７】
そして、ＣＳＩ-ＲＳ  ｒｅｓｏｕｒｃｅ  ＃１は、特定“ＣＳＩ-Ｐｒｏｃｅｓｓ-ｒ１１”設定内の（ｌｅｇａｃｙ）“ｃｓｉ-ＲＳ-ＣｏｎｆｉｇＮＺＰＩｄ-ｒ１１”で指示している“ｒｅｓｏｕｒｃｅＣｏｎｆｉｇ-ｒ１１  ＩＮＴＥＧＥＲ（０．．３１）”設定値に対応できる。
【０５４８】
以下の表９は、上述のｌｅｇａｃｙ  （ｄｅｆａｕｌｔ）を最後に対応する場合を簡略に整理した表である。表９の場合、ｎｏｒｍａｌ  ＣＰの場合を例に挙げた。
【０５４９】
【表９】
2020074542.tif 000032
【０５５０】
図２５は、本明細書で提案する併合されたＣＳＩ-ＲＳ資源を利用して、チャネル状態情報を報告するための方法の一例を示したフローチャートである。
【０５５１】
図２５を参照すると、端末は、８ポート（ｐｏｒｔ）より多いアンテナポートを使用するＣＳＩ-ＲＳ（Ｒｅｆｅｒｅｎｃｅ  ｓｉｇｎａｌ）の資源設定を表すＣＳＩ-ＲＳ資源設定（ｒｅｓｏｕｒｃｅ  ｃｏｎｆｉｇｕｒａｔｉｏｎ）情報を基地局から受信する（Ｓ２５１０）。
【０５５２】
前記ＣＳＩ-ＲＳ資源設定情報は、上位階層シグナルリング（ｈｉｇｈ  ｌａｙｅｒ  ｓｉｇｎａｌｉｎｇ）を介して前記基地局から受信されることができる。
【０５５３】
また、前記８ポートより多いアンテナポートを使用するＣＳＩ-ＲＳの資源は、二つ以上のレガシー（ｌｅｇａｃｙ）ＣＳＩ-ＲＳ資源の併合（ａｇｇｒｅｇａｔｉｏｎ）を介して設定されることができる。
【０５５４】
また、前記レガシー（ｌｅｇａｃｙ）ＣＳＩ-ＲＳ資源は、８ポート以下のアンテナポートを使用するＣＳＩ-ＲＳの資源を表すことができる。
【０５５５】
また、前記８ポートより多いアンテナポートを使用するＣＳＩ-ＲＳの資源は、同じサブフレームに含まれる形態でありうる。
【０５５６】
また、前記８ポートより多いアンテナポートを使用するＣＳＩ-ＲＳの資源は、連続した一定数のシンボル内に含まれる形態でありうる。
【０５５７】
また、前記８ポート（ｐｏｒｔ）より多いアンテナポートは、１２ポートまたは１６ポートでありうる。
【０５５８】
また、前記８ポート以下のアンテナポートは、１ポート、２ポート、４ポートまたは８ポートでありうる。
【０５５９】
また、前記併合された二つ以上のレガシーＣＳＩ-ＲＳ資源は、３個または２個でありうる。
【０５６０】
前記ＣＳＩ-ＲＳ資源設定情報は、多数のレガシー（ｌｅｇａｃｙ）ＣＳＩ-ＲＳ設定値を含み、前記多数のレガシーＣＳＩ-ＲＳ設定値は、前記併合された二つ以上のレガシーＣＳＩ-ＲＳ資源の各々に対応できる。
【０５６１】
ここで、前記レガシーＣＳＩ-ＲＳ設定値は、レガシー（ｌｅｇａｃｙ）ＣＳＩ-ＲＳ  ｒｅｓｏｕｒｃｅが始まる資源要素の位置を表す値でありうる。
【０５６２】
前記ＣＳＩ-ＲＳ資源設定情報に含まれる特定レガシーＣＳＩ-ＲＳ設定値は、前記併合されたレガシーＣＳＩ-ＲＳ資源のうち、最も低いインデックスを有するレガシーＣＳＩ-ＲＳ資源に対応するか、または最も高いインデックスを有するレガシーＣＳＩ-ＲＳ資源に対応できる。
【０５６３】
また、前記併合さた二つ以上のレガシーＣＳＩ-ＲＳ資源は、降順または昇順に整列された多数のレガシー設定値に低い値から順次に対応できる。
【０５６４】
また、前記レガシーＣＳＩ-ＲＳ資源での資源要素（ＲＥ）別アンテナポート番号マッピングは、一定規則により行われることができる。
【０５６５】
ここで、前記一定規則は、各レガシーＣＳＩ-ＲＳ資源別に順次にマッピングされるか、または各レガシーＣＳＩ-ＲＳ資源内の特定資源要素別に順次にマッピングされることができる。
【０５６６】
一例として、前記二つ以上のレガシーＣＳＩ-ＲＳ資源は、ＣＳＩ-ＲＳ  ｒｅｓｏｕｒｃｅ  ＃１、ＣＳＩ-ＲＳ  ｒｅｓｏｕｒｃｅ  ＃２及びＣＳＩ-ＲＳ  ｒｅｓｏｕｒｃｅ  ＃３でありうる。
【０５６７】
このとき、前記ＣＳＩ-ＲＳ  ｒｅｓｏｕｒｃｅ  ＃１の資源要素は、アンテナポート１５、１６、１７、１８にマッピングされ、前記ＣＳＩ-ＲＳ  ｒｅｓｏｕｒｃｅ  ＃２の資源要素は、アンテナポート１９、２０、２１、２２にマッピングされ、前記ＣＳＩ-ＲＳ  ｒｅｓｏｕｒｃｅ  ＃３の資源要素は、アンテナポート２３、２４、２５、２６にマッピングされることができる。
【０５６８】
さらに他の一例として、前記二つ以上のレガシーＣＳＩ-ＲＳ資源は、ＣＳＩ-ＲＳ  ｒｅｓｏｕｒｃｅ  ＃１及びＣＳＩ-ＲＳ  ｒｅｓｏｕｒｃｅ  ＃２でありうる。
【０５６９】
このとき、前記ＣＳＩ-ＲＳ  ｒｅｓｏｕｒｃｅ  ＃１の資源要素は、アンテナポート１５、１６、１７、１８、１９、２０、２１、２２にマッピングされ、前記ＣＳＩ-ＲＳ  ｒｅｓｏｕｒｃｅ  ＃２の資源要素は、アンテナポート２３、２４、２５、２６、２７、２８、２９、３０にマッピングされることができる。
【０５７０】
以後、前記端末は、前記受信されたＣＳＩ-ＲＳ資源設定情報に基づいて、前記基地局から前記８ポートより多いアンテナポートを使用するＣＳＩ-ＲＳを受信する（Ｓ２５２０）。
【０５７１】
以後、前記端末は、前記受信されたＣＳＩ-ＲＳに基づいて、チャネル状態情報（Ｃｈａｎｎｅｌ  Ｓｔａｔｅ  Ｉｎｆｏｒｍａｔｉｏｎ：ＣＳＩ）を測定する（Ｓ２５３０）。
【０５７２】
以後、前記端末は、前記測定されたＣＳＩを前記基地局に報告（ｒｅｐｏｒｔｉｎｇ）する（Ｓ２５４０）。
【０５７３】
上述の方式の他にも、前記ｌｅｇａｃｙ  （ｄｅｆａｕｌｔ）  ＣＳＩ-ＲＳ  ｒｅｓｏｕｒｃｅが何番めの‘ＣＳＩ  ｒｅｆｅｒｅｎｃｅ  ｓｉｇｎａｌ  ｃｏｎｆｉｇｕｒａｔｉｏｎ’ｎｕｍｂｅｒに対応するかなどが他の形態で規定されることもでき、このような類似変形案は、すべて本発明の範ちゅうに含まれると認識されることができる。
【０５７４】
上述の方法は、ＲＲＣ  ｓｉｇｎａｌｉｎｇ上においてＣＳＩ-ＲＳ  ｒｅｓｏｕｒｃｅ  ＩＤ別にｒｅｃｏｎｆｉｇｕｒａｔｉｏｎが発生する等のイベントが発生するとき、ＣＳＩ-ＲＳ  ｒｅｓｏｕｒｃｅ  ＩＤの再割り当て過程において連続的なＣＳＩ-ＲＳ  ｒｅｓｏｕｒｃｅ  ＩＤが付与されない問題を防止できるようになる。
【０５７５】
また、該当方法により、常に端末が有効に設定されたＣＳＩ-ＲＳ  ｒｅｓｏｕｒｃｅのうち、実際指示している‘ＣＳＩ  ｒｅｆｅｒｅｎｃｅ  ｓｉｇｎａｌ  ｃｏｎｆｉｇｕｒａｔｉｏｎ’ｎｕｍｂｅｒに基づいて、ａｎｔｅｎｎａ  ｐｏｒｔ  ｎｕｍｂｅｒｉｎｇを適用できるという効果がある。
【０５７６】
このような動作においては、好ましくは、Ｎｅｗ  ＣＳＩ-ＲＳ  ｐａｔｔｅｒｎ（またはＮｅｗ  ＣＳＩ-ＲＳ  ｒｅｓｏｕｒｃｅ）は、常に同じサブフレーム内でのｍｕｌｔｉｐｌｅ  ＣＳＩ-ＲＳ  ｒｅｓｏｕｒｃｅ  ａｇｇｒｅｇａｔｉｏｎをすると仮定することができる。
【０５７７】
その理由は、ｐｈａｓｅ  ｄｒｉｆｔなどを最小化するためである。
【０５７８】
こういう場合、前記‘ＣＳＩ  ｒｅｆｅｒｅｎｃｅ  ｓｉｇｎａｌ  ｃｏｎｆｉｇｕｒａｔｉｏｎ’ｎｕｍｂｅｒは、前記Ｙ個のＣＳＩ-ＲＳ  ｒｅｓｏｕｒｃｅｓ間に重複ｎｕｍｂｅｒが割り当てられる場合がないと仮定することができる。
【０５７９】
しかしながら、万が一、ｍｕｌｔｉｐｌｅ  ｓｕｂｆｒａｍｅにかけて前記Ｙ個のＣＳＩ-ＲＳ  ｒｅｓｏｕｒｃｅｓが設定さうると仮定すると、同じ‘ＣＳＩ  ｒｅｆｅｒｅｎｃｅ  ｓｉｇｎａｌ  ｃｏｎｆｉｇｕｒａｔｉｏｎ’ｎｕｍｂｅｒを有する二つ以上のＣＳＩ-ＲＳ  ｒｅｓｏｕｒｃｅが設定されうるようになる。
【０５８０】
この場合には、上述のＲＲＣ  ｓｉｇｎａｌｉｎｇ上のＣＳＩ-ＲＳ  ｒｅｓｏｕｒｃｅ  ＩＤの昇順（または降順）に２次的な優先順位規則を決める方法も考慮することができる。
【０５８１】
本発明が適用されることができる装置一般
【０５８２】
図２６は、本発明の一実施の形態による無線通信装置のブロック構成図を例示する。
【０５８３】
図２６に示すように、無線通信システムは、基地局２６１０と基地局２６１０領域内に位置した多数の端末２６２０とを含む。
【０５８４】
基地局２６１０は、プロセッサ（ｐｒｏｃｅｓｓｏｒ）２６１１、メモリ（ｍｅｍｏｒｙ）２６１２及びＲＦ部（ｒａｄｉｏ  ｆｒｅｑｕｅｎｃｙ  ｕｎｉｔ）２６１３を含む。プロセッサ２６１１は、上述の図１ないし図２５で提案された機能、過程及び／または方法を具現する。無線インターフェスプロトコルの階層は、プロセッサ２６１１により具現化されることができる。メモリ２６１２は、プロセッサ２６１１に接続されて、プロセッサ２６１１を駆動するための多様な情報を格納する。ＲＦ部２６１３は、プロセッサ２６１１に接続されて、無線信号を送信及び／または受信する。
【０５８５】
端末２６２０は、プロセッサ２６２１、メモリ２６２２及びＲＦ部２６２３を含む。プロセッサ２６２１は、前の図１ないし図２５で提案された機能、過程及び／または方法を具現する。無線インターフェスプロトコルの階層は、プロセッサ２６２１により具現化されることができる。メモリ２６２２は、プロセッサ２６２１に接続されて、プロセッサ２６２１を駆動するための多様な情報を格納する。ＲＦ部２６２３は、プロセッサ２６２１に接続されて、無線信号を送信及び／または受信する。
【０５８６】
メモリ２６１２、２６２２は、プロセッサ２６１１、２６２１の内部または外部にあることができ、周知の多様な手段としてプロセッサ２６１１、２６２１に接続されることができる。また、基地局２６１０及び／または端末２６２０は、一個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０５８７】
以上説明された実施の形態は、本発明の構成要素と特徴が所定形態で結合されたことである。各構成要素または特徴は、別の明示上言及がない限り、選択的なものと考慮されなければならない。各構成要素または特徴は、他の構成要素または特徴と結合されない形態で実施されることができる。また、一部構成要素及び／または特徴を結合して、本発明の実施の形態を構成することも可能である。本発明の実施形態において説明される動作の順序は変更されることができる。ある実施の形態の一部構成または特徴は、他の実施の形態に含まれることができ、または他の実施の形態の対応する構成または特徴と交替されることができる。特許請求の範囲において明示上引用関係がない請求項を結合して実施の形態を構成するか、または出願後の補正により新しい請求項に含めることができることは明らかである。
【０５８８】
本発明に係る実施の形態は、多様な手段、例えば、ハードウェア、ファームウェア（ｆｉｒｍｗａｒｅ）、ソフトウェアまたはそれらの結合などにより具現化されることができる。ハードウェアによる具現の場合、本発明の一実施の形態は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現化されることができる。
【０５８９】
ファームウェアまたはソフトウェアによる具現の場合、本発明の一実施の形態は、以上説明された機能または動作を行うモジュール、手順、関数などの形態により具現化されることができる。ソフトウェアコードは、メモリに格納されてプロセッサにより駆動されることができる。前記メモリは、前記プロセッサの内部または外部に位置して、既に公知された多様な手段により前記プロセッサとデータをやり取りすることができる。
【０５９０】
本発明は、本発明の必須特徴から逸脱しない範囲内で他の特定の形態により具体化されうることは当業者にとって自明である。よって、上述の詳細な説明は、すべての面において制約的に解析されてはならず、例示的なものと考慮されなければならない。本発明の範囲は、添付された請求項の合理的解析により決定されなければならず、本発明の等価的範囲内でのすべての変更は、本発明の範囲に含まれる。
【０５９１】
本発明の無線通信システムにおけるチャネル状態情報を報告する方案は、３ＧＰＰ  ＬＴＥ／ＬＴＥ-Ａシステムに適用される例を中心に説明したが、３ＧＰＰ  ＬＴＥ／ＬＴＥ-Ａシステムの他にも多様な無線通信システムに適用することが可能である。
【図１】
2020074542.tif 000033
【図２】
2020074542.tif 000034
【図３】
2020074542.tif 000035
【図４】
2020074542.tif 000036
【図５】
2020074542.tif 000037
【図６】
2020074542.tif 000038
【図７】
2020074542.tif 000039
【図８】
2020074542.tif 000040
【図９】
2020074542.tif 000041
【図１０】
2020074542.tif 000042
【図１１】
2020074542.tif 000043
【図１２】
2020074542.tif 000044
【図１３】
2020074542.tif 000045
【図１４】
2020074542.tif 000046
【図１５】
2020074542.tif 000047
【図１６】
2020074542.tif 000048
【図１７】
2020074542.tif 000049
【図１８】
2020074542.tif 000050
【図１９】
2020074542.tif 000051
【図２０】
2020074542.tif 000052
【図２１】
2020074542.tif 000053
【図２２】
2020074542.tif 000054
【図２３】
2020074542.tif 000055
【図２４】
2020074542.tif 000056
【図２５】
2020074542.tif 000057
【図２６】
2020074542.tif 000058
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
端末（ＵＥ）が無線通信システムにおけるチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ―ＲＳ）を受信するための方法であって、
基地局から無線リソース制御（ＲＲＣ）シグナリングを介して複数のＣＳＩ−ＲＳ資源のナンバリングに関連するＣＳＩ−ＲＳ資源設定情報を受信するステップと、    
前記ＣＳＩ−ＲＳ資源設定情報は第１のＣＳＩ−ＲＳ設定情報と少なくとも一つの第２のＣＳＩ−ＲＳ設定情報を含み、
前記受信したＣＳＩ−ＲＳ資源設定に基づいて前記複数のＣＳＩ−ＲＳ資源のための数を決定するステップとを含み、
前記複数のＣＳＩ−ＲＳ資源の中の特定のＣＳＩ−ＲＳ資源は前記第１のＣＳＩ−ＲＳ設定情報に設定された値に対応し、前記複数のＣＳＩ−ＲＳ資源の中の前記特定のＣＳＩ−ＲＳ資源以外の少なくとも一つのＣＳＩ−ＲＳ資源は前記第２のＣＳＩ−ＲＳ設定情報に設定された値に対応し、
前記特定のＣＳＩ−ＲＳ資源は、前記複数のＣＳＩ−ＲＳ資源の中の最も低い数に関連したＣＳＩ−ＲＳ資源である、方法。
【請求項２】
前記複数のＣＳＩ−ＲＳ資源は、８以上のアンテナポートを利用して前記ＣＳＩ−ＲＳのためのアンテナポートの総数を取得するために併合される、請求項１に記載の方法。
【請求項３】
前記少なくとも一つのＣＳＩ−ＲＳ資源は前記第２のＣＳＩ−ＲＳ設定情報に設定されたそれぞれの値に対応する、請求項１に記載の方法。
【請求項４】
前記少なくとも一つのＣＳＩ−ＲＳ資源のｋ番目のＣＳＩ−ＲＳ資源は、特定の順序のＣＳＩ−ＲＳ資源であって、前記第２のＣＳＩ−ＲＳ設定情報に設定された、特定の順序の、ｋ番目の値に対応する、請求項２に記載の方法。
【請求項５】
前記第１のＣＳＩ−ＲＳ設定情報はＣＳＩ−ＲＳ資源設定の特定に利用されるｃｓｉ−ＲＳ−ＣｏｎｆｉｇＮＺＰｌｄ−ｒ１１で表されるＣＳＩ−ＲＳ設定に関連するｒｅｓｏｒｃｅＣｏｎｆｉｇ−ｒ１１であり、前記第２のＣＳＩ−ＲＳ設定情報はＣＳＩ−ＲＳ資源に関連するｎｚｐ−ｒｅｓｏｒｃｅＣｏｎｆｉｇ−ｒ１３である、請求項１に記載の方法。
【請求項６】
ＣＳＩ−ＲＳ資源数情報とＣＳＩ−ＲＳ資源アンテナポート数情報を利用して、アンテナポートの総数を決定するステップをさらに含む、請求項１に記載の方法。
【請求項７】
前記複数のＣＳＩ−ＲＳ資源は同じサブフレームに含まれる、請求項１に記載の方法。
【請求項８】
無線通信システムにおけるチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）を受信するための端末（ＵＥ）であって、
無線信号を送受信するＲＦモジュールと、
前記ＲＦモジュールと機能的に結合し、前記ＵＥを制御するプロセッサとを備え、
前記プロセッサは、基地局から無線リソース制御（ＲＲＣ）シグナリングを介して複数のＣＳＩ−ＲＳ資源のためのナンバリングに関連したＣＳＩ−ＲＳ資源設定情報を受信し、 
前記ＣＳＩ−ＲＳ資源設定情報は第１のＣＳＩ−ＲＳ設定情報と少なくとも一つの第２のＣＳＩ−ＲＳ設定情報を含み、
前記受信したＣＳＩ−ＲＳ資源設定に基づいて前記複数のＣＳＩ−ＲＳ資源の数を決定するように設定され、
前記複数のＣＳＩ−ＲＳ資源の中の特定のＣＳＩ−ＲＳ資源は前記第１のＣＳＩ−ＲＳ設定情報に設定された値に対応し、前記複数のＣＳＩ−ＲＳ資源の中の前記特定のＣＳＩ−ＲＳ資源以外の少なくとも一つのＣＳＩ−ＲＳ資源は前記第２のＣＳＩ−ＲＳ設定情報に設定された値に対応し、
前記特定のＣＳＩ−ＲＳ資源は、前記複数のＣＳＩ−ＲＳ資源の中の最も低い数に関連したＣＳＩ−ＲＳ資源である、端末。
【請求項９】
前記複数のＣＳＩ−ＲＳ資源は、８以上のアンテナポートを利用して前記ＣＳＩ−ＲＳのためのアンテナポートの総数を取得するために併合される、請求項８に記載の端末。
【請求項１０】
前記少なくとも一つのＣＳＩ−ＲＳ資源は前記第２のＣＳＩ−ＲＳ設定情報に設定されたそれぞれの値に対応する、請求項８に記載の端末。
【請求項１１】
前記少なくとも一つのＣＳＩ−ＲＳ資源のｋ番目のＣＳＩ−ＲＳ資源は、特定の順序のＣＳＩ−ＲＳ資源であって、前記第２のＣＳＩ−ＲＳ設定情報に設定された、特定の順序の、ｋ番目の値に対応する、請求項１０に記載の端末。
【請求項１２】
前記第１のＣＳＩ−ＲＳ設定情報はＣＳＩ−ＲＳ資源設定の特定に利用されるｃｓｉ−ＲＳ−ＣｏｎｆｉｇＮＺＰｌｄ−ｒ１１で表されるＣＳＩ−ＲＳ設定に関連するｒｅｓｏｒｃｅＣｏｎｆｉｇ−ｒ１１であり、前記第２のＣＳＩ−ＲＳ設定情報はＣＳＩ−ＲＳ資源に関連するｎｚｐ−ｒｅｓｏｒｃｅＣｏｎｆｉｇＬｉｓｔ−ｒ１３である、請求項８に記載の端末。
【請求項１３】
前記プロセッサは、ＣＳＩ−ＲＳ資源数情報とＣＳＩ−ＲＳ資源アンテナポート数情報を利用してアンテナポートの総数を決定するために制御する、請求項８に記載の端末。
【請求項１４】
前記複数のＣＳＩ−ＲＳ資源は、同一のサブフレームに含まれる、請求項８に記載の端末。